(57)【特許請求の範囲】
【請求項１】
ユーザ機器の電力消費選択が低電力消費にセットされたとき、前記ユーザ機器が高電力消費状態にあるかどうか判定し、前記ユーザ機器が前記高電力消費状態にあると判定された場合に、低電力消費選択指示の送信を制限するために使用される第１のタイマが切れたかどうかを判定し、判定結果が、前記第１のタイマが切れたというものである場合に、前記ユーザ機器によって前記低電力消費選択指示を基地局に送信するステップと、
前記ユーザ機器の前記電力消費選択が高電力消費に変更されたとき、高電力消費選択指示を前記基地局に送信するステップと、
前記高電力消費選択指示を前記基地局に送信した後に、前記第１のタイマを開始するステップと、
を含み、
前記ユーザ機器の別のタイマが切れるか、または、前記ユーザ機器のアイドル状態の期間が前記ユーザ機器の前記別のタイマの長さ以上であると前記ユーザ機器が推定したとき、前記ユーザ機器の前記電力消費選択が前記低電力消費にセットされたと判定され、
前記第１のタイマの長さが前記ユーザ機器に対して前記基地局により指定される、シグナリングを送信するための方法。
【請求項２】
低電力消費選択指示を前記基地局に送信した後、または、高電力消費選択指示を前記基地局に送信した後、
前記ユーザ機器により、前記ユーザ機器に対して前記基地局により受信した前記低電力消費選択指示または高電力消費選択指示に従って構成された無線リソース・パラメータを受信するステップ
さらに含む、請求項１に記載のシグナリングを送信するための方法。
【請求項３】
前記第１のタイマの長さが無線リソース管理接続セットアップ・プロセスまたは無線リソース管理接続再構成プロセスで前記ユーザ機器に対して前記基地局により指定される、
請求項１又は２に記載のシグナリングを送信するための方法。
【請求項４】
コンピュータ記憶媒体であって、前記コンピュータ記憶媒体はプログラムを格納することができ、前記プログラムがプロセッサにより実行されたとき、前記プログラムは請求項１乃至３の何れか１項に記載のシグナリングを送信するための方法の命令を含む、コンピュータ記憶媒体。
【請求項５】
入力装置、出力装置、およびプロセッサを備えたユーザ機器であって、前記プロセッサは、
前記ユーザ機器の電力消費選択が低電力消費にセットされたとき、前記ユーザ機器が高電力消費状態にあるかどうか判定し、前記ユーザ機器が前記高電力消費状態にあると判定された場合に、低電力消費選択指示の送信を制限するために使用される第１のタイマが切れたかどうかを判定し、判定結果が、前記第１のタイマが切れたというものである場合に、前記低電力消費選択指示を基地局に送信するように前記出力装置に指示するステップと、
前記ユーザ機器の前記電力消費選択が高電力消費に変更されたとき、高電力消費選択指示を前記基地局に送信するように前記出力装置に指示するステップと、
前記高電力消費選択指示を前記基地局に送信した後、前記第１のタイマを開始するステップと
を実施し、
前記ユーザ機器の別のタイマが切れるか、または、前記ユーザ機器のアイドル状態の期間が前記ユーザ機器の前記別のタイマの長さ以上であると前記ユーザ機器が推定したとき、前記ユーザ機器の前記電力消費選択が前記低電力消費にセットされたと判定され、
前記第１のタイマの長さが前記ユーザ機器に対して前記基地局により指定される、ユーザ機器。
【請求項６】
前記プロセッサはさらに、
前記入力装置により、無線リソース管理接続セットアップ・プロセスまたは無線リソース管理接続再構成プロセスで前記基地局により前記ユーザ機器に対して指定された前記第１のタイマの長さを受信するステップ
を実施する、請求項５に記載のユーザ機器。
【発明の詳細な説明】
【技術分野】
【０００１】
関連出願の記載
本願は、発明の名称を「シグナリングを送信するための方法および関連機器」とした、２０１２年８月６日に中国知識産権局に出願された中国特許出願第ＰＣＴ／ＣＮ２０１２／０７９７４３号に対する優先権を主張し、その全体を引用により本明細書に取り込む。
【０００２】
本発明は通信の分野に関し、特に、シグナリングを送信するための方法および関連機器に関する。
【背景技術】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ、第三世代パートナシップ・プロジェクト）ＥＤＤＡ（Ｅｎｈａｎｃｅｍｅｎｔ  ｏｎ  Ｄｉｖｅｒｓｅ  Ｄａｔａ  Ａｐｐｌｉｃａｔｉｏｎｓ、多様データ・アプリケーション拡張）ＷＩ（Ｗｏｒｋ  Ｉｔｅｍ、作業項目）の標準に関する議論において、ＵＥ（Ｕｓｅｒ  Ｅｑｕｉｐｍｅｎｔ、ユーザ機器）がＵＥ電力消費選択に関する指示（ｐｏｗｅｒ  ｐｒｅｆｅｒｅｎｃｅ  ｉｎｄｉｃａｔｉｏｎ）をｅＮＢ（ｅｖｏｌｖｅｄ  Ｎｏｄｅ  Ｂ、発展型ＮｏｄｅＢ）に送信できることが合意されている。例えば、ＵＥの画面が閉じられると、ＵＥは、電力がより節約される状態で動作することを望み、したがって、より電力が節約される構成をｅＮＢから取得するのを要求するかもしれない。ＵＥがデフォルト状態、即ち、ＵＥのＱｏＳ（Ｑｕａｌｉｔｙ  ｏｆ  Ｓｅｒｖｉｃｅ、サービス品質）要件を保証できる状態に復帰するのを望むとき、ＵＥは、ＵＥのデフォルト状態に復帰するのを要求し、ＱｏＳ要件を保証する構成パラメータをｅＮＢから取得するのを要求するかもしれない。
【０００４】
さらに、当該電力消費選択指示がさらに、「高／低」電力消費を要求するための指示として定義されることもある。例えば、ＵＥが現在のＤＲＸ（Ｄｉｓｃｏｎｔｉｎｕｏｕｓ  Ｒｅｃｅｐｔｉｏｎ、不連続受信）構成に満足していないとき、ＵＥは低電力消費の構成を要求、即ち、ＵＥは、値が「低い」指示をｅＮＢに送信する可能性がある。逆に、ＵＥが良好なユーザ・エクスペリエンスを望み電力消費については気にしない場合には、ＵＥは値が「高い」指示をｅＮＢに送信するかもしれない。「高」または「低」は相対的な概念である。即ち、ＵＥは、断続的に「高」電力消費を要求するかまたは断続的に「低」電力消費を要求するかもしれない。
【０００５】
制限されない場合には不要なシグナリング・オーバヘッドをもたらしＵＥの電力消費を増大させるおそれがある、当該電力消費の選択指示の頻繁な送信を制限するために、先行技術では何らかの制限機構が設けられている。それらのうち１つは、タイマ・ベースの制限機構である。当該機構は、ＵＥが電力消費選択指示（「高／低」電力消費を要求するための指示）を送信した後に、予め設定されたタイマを開始し、当該タイマが切れたときにのみ当該電力消費選択指示を再び送信するステップを含む。
【発明の概要】
【発明が解決しようとする課題】
【０００６】
ＵＥの電力消費選択指示が、電力最適化（即ち、ＤＲＸサイクルの拡張と電力消費の削減）のための要求であることもあり、性能を向上させる（即ち、ＤＲＸサイクルを短縮し、電力消費を犠牲にして性能を向上させ、電力消費を増大させる）ための要求であることもある。この２つの要求から分かるように、ＵＥの性能を向上させるための要求は電力最適化の要求よりも緊急度が高い。性能を向上させるための要求を迅速に満たすことができなければ、ユーザ・エクスペリエンスが悪化しうる。
【課題を解決するための手段】
【０００７】
これに鑑み、本発明では、低電力消費選択指示と高電力消費選択指示を別々に処理し、ユーザ・エクスペリエンスを高めるための、シグナリングを送信するための方法および関連機器を提供する。
【０００８】
第１の態様では、本発明はシグナリングを送信するための方法を提供する。当該方法は、ユーザ機器の電力消費選択が低電力消費に変更されたとき、低電力消費選択指示の送信を制限するために使用される第１のタイマが切れたかどうかを判定し、判定結果が肯定的である場合に、低電力消費選択指示を基地局に送信するステップと、ユーザ機器の電力消費選択が高電力消費に変更されたとき、高電力消費選択指示を基地局に送信するステップとを含んでもよい。
【０００９】
第１の態様に従って、第１の可能な実装方式では、ユーザ機器は２つの状態、即ち、デフォルト状態と低電力消費状態を有し、したがって、ユーザ機器の電力消費選択が低電力消費に変更されたとき、ユーザ機器がデフォルト状態にあるかどうかに関する第１の判定が実行され、当該第１の判定の判定結果が肯定的である場合には、低電力消費選択指示の送信を制限するために使用される第１のタイマが切れたかどうかに関する第２の判定が実行され、当該第２の判定の判定結果が肯定的である場合には、低電力消費選択指示が基地局に送信され、ユーザ機器の電力消費選択が高電力消費に変更されたとき、ユーザ機器が低電力消費状態にあるかどうかが判定され、判定結果が肯定的である場合に、高電力消費指示が基地局に送信され、ユーザ機器の電力消費選択が高電力消費に変更されたとき、ユーザ機器が低電力消費状態にあるかどうかに関する第３の判定が実行され、当該第３の判定の判定結果が肯定的である場合には、高電力消費選択指示の送信を制限するために使用される第２のタイマが切れたかどうかに関する第４の判定が実行され、当該第４の判定の判定結果が肯定的である場合には、高電力消費選択指示が基地局に送信される。
【００１０】
第１の態様の第１の可能な実装方式に従って、第２の可能な実装方式では、ユーザ機器によりユーザ機器の状態を判定するための方法は、ユーザ機器により、指定されたパラメータ長に従ってユーザ機器の状態を判定し、デフォルト状態が要求する長さを当該パラメータ長が満たすとき、ユーザ機器がデフォルト状態にあると判定するか、もしくは、低電力消費状態が要求する長さを当該パラメータ長が満たすとき、ユーザ機器が低電力消費状態にあると判定するステップを含むか、または、ユーザ機器によりユーザ機器の状態を判定するための方法は、ユーザ機器により、ユーザ機器に対して基地局により構成された不連続受信ＤＲＸパラメータに従ってユーザ機器の状態を判定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含む。
【００１１】
第１の態様、第１の態様の第１の可能な実装方式、または第１の態様の第２の可能な実装方式に従って、第３の可能な実装方式では、当該方法は、第１のタイマが切れていないと判定されたとき、ユーザ機器内にあり低電力消費選択指示の送信に使用されるプロトコル層により、ユーザ機器の電力消費選択の変化を学習するために使用されるプロトコル層に、低電力消費選択指示の送信が制限されると通知するステップ、または、第１のタイマが切れていないと判定されたとき、ユーザ機器により、動作を実施しないステップをさらに含む。
【００１２】
第１の態様、第１の態様の第１の可能な実装方式、または第１の態様の第２の可能な実装方式に従って、第４の可能な実装方式では、当該方法は、第２のタイマが切れていないと判定されたとき、高電力消費選択指示を送信するために使用されるユーザ機器内のプロトコル層により、ユーザ機器の電力消費選択の変化を学習するために使用されるプロトコル層に、高電力消費選択指示の送信が制限されると通知するステップ、または、第２のタイマが切れていないと判定されたとき、ユーザ機器により、動作を実施しないステップをさらに含む。
【００１３】
第１の態様、または第１の態様の第１の可能な実装方式、または第１の態様の第２の可能な実装方式、または第１の態様の第３の可能な実装方式、または第１の態様の第４の可能な実装方式に従って、第５の可能な実装方式では、低電力消費選択指示を基地局に送信した後、または、高電力消費選択指示を基地局に送信した後、当該方法は、ユーザ機器が第１のタイマを備えるとき第１のタイマを開始するステップと、ユーザ機器が第１のタイマと第２のタイマを備えるとき、第１のタイマまたは第２のタイマまたはその両方を開始するステップとさらに含む。
【００１４】
第１の態様の第５の可能な実装方式に従って、第６の可能な実装方式では、当該方法は、ユーザ機器内の第１のタイマが切れておらず、基地局が送信した無線リソース・パラメータ構成結果が受信され、かつ、ユーザ機器の電力消費選択が再び低電力消費に変更されたとき、第１のタイマが切れるまで、ユーザ機器が低電力消費選択指示を基地局に送信することができないステップと、ユーザ機器内の第２のタイマが切れておらず、基地局が送信した無線リソース・パラメータ構成結果が受信され、かつ、ユーザ機器の電力消費選択が再び高電力消費に変更されたとき、第２のタイマが切れるまで、ユーザ機器が高電力消費選択指示を基地局に送信することができないステップとを含む。
【００１５】
第１の態様の第５の可能な実装方式に従って、第７の可能な実装方式では、当該方法は、ユーザ機器内の第１のタイマが切れたが、基地局が送信した無線リソース・パラメータ構成結果が受信されず、かつ、ユーザ機器の電力消費選択が再び低電力消費に変更されたとき、基地局が送信した無線リソース・パラメータ構成結果が受信されるまで、ユーザ機器が低電力消費選択指示を基地局に送信できないステップと、ユーザ機器内の第２のタイマが切れたが、基地局が送信した無線リソース・パラメータ構成結果が受信されず、かつ、ユーザ機器の電力消費選択が再び高電力消費に変更されたとき、基地局が送信した無線リソース・パラメータ構成結果が受信されるまで、ユーザ機器が高電力消費選択指示を基地局に送信することができないステップとをさらに含む。
【００１６】
第１の態様乃至第１の態様の第４の可能な実装方式に従って、第８の可能な実装方式では、低電力消費選択指示を基地局に送信した後、または、高電力消費選択指示を基地局に送信した後、当該方法は、ユーザ機器により、ユーザ機器に対して基地局により構成された無線リソース・パラメータを、受信した低電力消費選択指示または高電力消費選択指示に従って受信するステップをさらに含む。
【００１７】
第１の態様の第８の可能な実装方式に従って、第９の可能な実装方式では、無線リソース・パラメータをユーザ機器に対して構成した後、当該方法は、ユーザ機器が第１のタイマを備えるとき第１のタイマを開始するステップと、ユーザ機器が第１のタイマと第２のタイマを備えるとき、第１のタイマまたは第２のタイマまたはその両方を開始するステップとをさらに含む。
【００１８】
第１の態様乃至第１の態様の第４の可能な実装方式に従って、第１０の可能な実装方式では、当該方法は、無線リソース・パラメータ構成を現在ユーザ機器に対して更新できないと基地局が判定したとき、ユーザ機器により、低電力消費選択指示または高電力消費選択指示に関して基地局により送信された応答メッセージを受信しないステップをさらに含む。
【００１９】
第１の態様の第８の可能な実装方式または第１の態様の第９の可能な実装方式に従って、第１１の可能な実装方式では、ユーザ機器により、ユーザ機器に対して基地局により構成された無線リソース・パラメータを、受信した低電力消費選択指示または高電力消費選択指示に従って受信するステップは、ユーザ機器により、無線リソース管理プロセスでユーザ機器に対して基地局により構成された不連続受信ＤＲＸパラメータと物理層パラメータを受信するステップを含む。
【００２０】
第１の態様の第１１の可能な実装方式に従って、第１２の可能な実装方式では、ユーザ機器が２つの状態、即ち、デフォルト状態と低電力消費状態を有するとき、ユーザ機器により、無線リソース管理プロセスでユーザ機器に対して基地局により構成された不連続受信ＤＲＸパラメータと物理層パラメータを受信するステップは、ユーザ機器により、基地局が無線リソース管理ＲＲＣ接続再構成を実施したときにユーザ機器に対して基地局により構成された２組の不連続受信ＤＲＸパラメータとユーザ機器が無線リソース管理接続を実施したときに低電力消費に対応するＤＲＸパラメータを使用するようにユーザ機器に指示する指示情報とを受信するステップと、当該２組の不連続受信ＤＲＸパラメータと、無線リソース管理接続再構成を実施した後に低電力消費に対応するＤＲＸパラメータに対応する物理層パラメータを使用するようにユーザ機器に指示する指示情報とに従って、ユーザ機器に対して基地局により構成された２組の物理層パラメータを受信するステップとを含む。
【００２１】
第１の態様の第１１の可能な実装方式に従って、第１３の可能な実装方式では、ユーザ機器が２つの状態、即ち、デフォルト状態と低電力消費状態を有するとき、ユーザ機器により、無線リソース管理プロセスでユーザ機器に対して基地局により構成された不連続受信ＤＲＸパラメータと物理層パラメータを受信するステップは、ユーザ機器により、基地局が無線リソース管理ＲＲＣ接続再構成を実施したときにユーザ機器に対して基地局により構成された２組の不連続受信ＤＲＸパラメータとユーザ機器が無線リソース管理接続を実施したとき高電力消費に対応するＤＲＸパラメータを使用するようにユーザ機器に指示する指示情報とを受信するステップと、当該２組の不連続受信ＤＲＸパラメータと無線リソース管理接続再構成を実施した後に、高電力消費に対応するＤＲＸパラメータに対応する物理層パラメータを使用するようにユーザ機器に指示する指示情報とに従って、ユーザ機器に対して基地局により構成された２組の物理層パラメータを受信するステップとを含む。
【００２２】
第１の態様乃至第１の態様の第１３の可能な実装方式に従って、第１４の可能な実装方式では、第１のタイマの長さは第２のタイマの長さ以上である。
【００２３】
第１の態様の第５の可能な実装方式または第１の態様の第１０の可能な実装方式に従って、第１５の可能な実装方式では、第１のタイマの長さ、第２のタイマの長さ、および第３のタイマの長さがユーザ機器で予め設定されるか、または、第１のタイマの長さ、第２のタイマの長さ、および第３のタイマの長さが無線リソース管理接続セットアップ・プロセスまたは無線リソース管理接続再構成プロセスでユーザ機器に対して基地局により指定される。
【００２４】
第１の態様乃至第１の態様の第１５の可能な実装方式の何れか１つに従って、第１６の可能な実装方式では、ユーザ機器の電力消費選択が低電力消費に変更される前に、当該方法は、ユーザ機器により第４のタイマを取得するステップと、ユーザ機器の第４のタイマが切れるか、または、ユーザ機器のアイドル状態の期間がユーザ機器の第４のタイマの長さ以上であるとユーザ機器が推定したとき、ユーザ機器の電力消費選択が低電力消費に変更されたと判定するステップとをさらに含み、ユーザ機器の電力消費選択が高電力消費に変更される前に、当該方法は、ユーザ機器により第５のタイマを取得するステップと、ユーザ機器の第５のタイマが切れるか、または、ユーザ機器のアイドル状態の期間がユーザ機器の第５のタイマの長さ以下であるとユーザ機器が推定したとき、ユーザ機器の電力消費選択が高電力消費に変更されたと判定するステップとをさらに含む。
【００２５】
第１の態様の第１６の可能な実装方式に従って、第１７の可能な実装方式では、ユーザ機器により第４のタイマを取得するステップは、ユーザ機器により、第４のタイマを第６のタイマに従って設定するか、または、第４のタイマを基地局から取得するステップであって、第６のタイマは基地局で設定されたタイマであるステップを含み、ユーザ機器により第５のタイマを取得するステップは、ユーザ機器により、第５のタイマを第７のタイマに従って設定するか、または、第５のタイマを基地局から取得するステップであって、第７のタイマは基地局で設定されたタイマであるステップを含む。
【００２６】
第１の態様の第１７の可能な実装方式のうち何れか１つに従って、第１８の可能な実装方式では、第４のタイマの長さは第６のタイマの長さ以下であり、ユーザ機器が第６のタイマに従って第４のタイマを設定する前に、当該方法は、第６のタイマを基地局から取得するか、または、基地局から取得されたメッセージに従って、基地局で設定された第６のタイマの長さを推定するステップを含み、第５のタイマの長さは第７のタイマの長さ以下であり、ユーザ機器が第７のタイマに従って第５のタイマを設定する前に、当該方法は、第７のタイマを基地局から取得するか、または、基地局から取得されたメッセージに従って、基地局で設定された第７のタイマの長さを推定するステップをさらに含む。
【００２７】
第１の態様の第１８の可能な実装方式のうち何れか１つに従って、第１９の可能な実装方式では、第４のタイマを基地局から取得するとき、第４のタイマは、基地局により送信された無線リソース制御プロトコル・メッセージ、物理層メッセージ、データ・リンク層メッセージ、およびセル・ハンドオーバ・メッセージのうち何れか１つで運搬され、第５のタイマを基地局から取得するとき、第５のタイマは、基地局により送信された無線リソース制御プロトコル・メッセージ、物理層メッセージ、データ・リンク層メッセージ、およびセル・ハンドオーバ・メッセージのうち何れか１つで運搬され、第６のタイマを基地局から取得するとき、第６のタイマは、基地局により送信された無線リソース制御プロトコル・メッセージ、物理層メッセージ、データ・リンク層メッセージ、およびセル・ハンドオーバ・メッセージのうち何れか１つで運搬され、第７のタイマを基地局から取得するとき、第７のタイマは、基地局により送信された無線リソース制御プロトコル・メッセージ、物理層メッセージ、データ・リンク層メッセージ、およびセル・ハンドオーバ・メッセージのうち何れか１つで運搬される。
【００２８】
第２の態様では、本発明は電力消費選択を決定するための方法を提供する。当該方法は、ユーザ機器により、第４のタイマと第５のタイマのうち少なくとも１つを取得するステップと、ユーザ機器の第４のタイマが切れるか、または、ユーザ機器のアイドル状態の期間がユーザ機器の第４のタイマの長さ以上であるとユーザ機器が推定したとき、ユーザ機器の電力消費選択が低電力消費に変更されたと判定するステップと、ユーザ機器の第５のタイマが切れるか、または、ユーザ機器のアイドル状態の期間がユーザ機器の第５のタイマの長さ以下であるとユーザ機器が推定したとき、ユーザ機器の電力消費選択が高電力消費に変更されたと判定するステップとを含んでもよい。
【００２９】
第２の態様に従って、第１の可能な実装方式では、ユーザ機器により第４のタイマを取得するステップは、ユーザ機器により、第４のタイマを第６のタイマに従って設定するか、または、第４のタイマを基地局から取得するステップであって、第６のタイマは基地局で設定されたタイマであるステップを含み、ユーザ機器により第５のタイマを取得するステップは、ユーザ機器により、第５のタイマを第７のタイマに従って設定するか、または、第５のタイマを基地局から取得するステップであって、第７のタイマは基地局で設定されたタイマであるステップを含む。
【００３０】
第２の態様の第１の可能な実装方式に従って、第２の可能な実装方式では、第４のタイマの長さは第６のタイマの長さ以下であり、ユーザ機器が第６のタイマに従って第４のタイマを設定する前に、当該方法は、第６のタイマを基地局から取得するか、または、基地局から取得されたメッセージに従って、基地局で設定された第６のタイマの長さを推定するステップを含み、第５のタイマの長さは第７のタイマの長さ以下であり、ユーザ機器が第７のタイマに従って第５のタイマを設定する前に、当該方法は、第７のタイマを基地局から取得するか、または、基地局から取得されたメッセージに従って、基地局で設定された第７のタイマの長さを推定するステップをさらに含む。
【００３１】
第２の態様の第２の可能な実装方式に従って、第３の可能な実装方式では、第４のタイマを基地局から取得するとき、第４のタイマは、基地局により送信された無線リソース制御プロトコル・メッセージ、物理層メッセージ、データ・リンク層メッセージ、およびセル・ハンドオーバ・メッセージのうち何れか１つで運搬され、第５のタイマを基地局から取得するとき、第５のタイマは、基地局により送信された無線リソース制御プロトコル・メッセージ、物理層メッセージ、データ・リンク層メッセージ、およびセル・ハンドオーバ・メッセージのうち何れか１つで運搬され、第６のタイマを基地局から取得するとき、第６のタイマは、基地局により送信された無線リソース制御プロトコル・メッセージ、物理層メッセージ、データ・リンク層メッセージ、およびセル・ハンドオーバ・メッセージのうち何れか１つで運搬され、第７のタイマを基地局から取得するとき、第７のタイマは、基地局により送信された無線リソース制御プロトコル・メッセージ、物理層メッセージ、データ・リンク層メッセージ、およびセル・ハンドオーバ・メッセージのうち何れか１つで運搬される。
【００３２】
第３の態様では、本発明ではユーザ機器を提供する。ユーザ機器は、指示送信モジュールと第１の制御モジュールを備えることに基づいて、第２の制御モジュールと第３の制御モジュールのうち少なくとも１つをさらに備える。指示送信モジュールは電力消費選択指示を基地局に送信するように構成され、当該電力消費選択指示は低電力消費選択指示または高電力消費選択指示を含む。第１の制御モジュールは、ユーザ機器の電力消費選択が低電力消費に変更されたとき、低電力消費選択指示の送信を制限するために使用される第１のタイマが切れたかどうかを判定し、判定結果が肯定的である場合に、低電力消費選択指示を基地局に送信するよう指示送信モジュールに通知するように構成される。第２の制御モジュールは、ユーザ機器の電力消費選択が高電力消費に変更されたとき、高電力消費選択指示を基地局に送信するよう指示送信モジュールに通知するように構成され、または、第３の制御モジュールは、ユーザ機器の電力消費選択が高電力消費に変更されたとき、高電力消費選択指示の送信を制限するために使用される第２のタイマが切れたかどうかを判定し、判定結果が肯定的である場合に、高電力消費選択指示を基地局に送信するよう指示送信モジュールに通知するように構成される。
【００３３】
第３の態様に従って、第１の可能な実装方式では、取得モジュールは特に、第２のネットワークで確立されたデータ・インタフェースを通じて外部ネットワーク情報問合せ要求を第２のネットワーク機器に送信し、当該問合せ要求に従って第２のネットワーク機器が返した問合せ結果情報を受信するように構成される。ユーザ機器は２つの状態、即ち、デフォルト状態と低電力消費状態を有し、ユーザ機器はさらに、ユーザ機器の状態を決定するための状態判定モジュールを備える。したがって、第１の制御モジュールは特に、ユーザ機器の電力消費選択が低電力消費に変更され、ユーザ機器がデフォルト状態にあると状態判定モジュールが示すとき、低電力消費選択指示の送信を制限するために使用される第１のタイマが切れたかどうかを判定し、判定結果が肯定的である場合に、低電力消費選択指示を基地局に送信するよう指示送信モジュールに通知するように構成される。第２の制御モジュールは特に、ユーザ機器の電力消費選択が高電力消費に変更され、ユーザ機器が低電力消費状態にあると状態判定モジュールが示すとき、高電力消費指示を基地局に送信するよう指示送信モジュールに通知するように構成される。第３の制御モジュールは特に、ユーザ機器の電力消費選択が高電力消費に変更され、ユーザ機器が低電力消費状態にあると状態判定モジュールが示すとき、高電力消費選択指示の送信を制限するために使用される第２のタイマが切れたかどうかを判定し、判定結果が肯定的である場合に、高電力消費選択指示を基地局に送信するよう指示送信モジュールに通知するように構成される。
【００３４】
第３の態様の第１の可能な実装方式に従って、第２の可能な実装方式では、状態判定モジュールによりユーザ機器の状態を決定するステップは、状態判定モジュールにより、ユーザ機器の状態を指定されたパラメータ長に従って決定し、デフォルト状態が要求する長さを当該パラメータ長が満たすとき、ユーザ機器がデフォルト状態にあると判定するか、もしくは、低電力消費状態が要求する長さを当該パラメータ長が満たすとき、ユーザ機器が低電力消費状態にあると判定するステップを含むか、または、状態判定モジュールによりユーザ機器の状態を決定するステップは、状態判定モジュールにより、ユーザ機器に対して基地局により構成された不連続受信ＤＲＸパラメータに従ってユーザ機器の状態を判定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含む。
【００３５】
第３の態様乃至第３の態様の第２の可能な実装方式に従って、第３の可能な実装方式では、第１の制御モジュールはさらに、第１のタイマが切れていないと判定されたとき、ユーザ機器の電力消費選択の変化を学習するために使用されるユーザ機器内のプロトコル層に低電力消費選択指示の送信が制限されると通知するように、低電力消費選択指示を送信するために使用されるユーザ機器内のプロトコル層にある指示送信モジュールに指示するか、または、第１のタイマが切れていないと判定されたとき、動作を実施しないようにユーザ機器に指示するように構成される。
【００３６】
第３の態様乃至第３の態様の第２の可能な実装方式に従って、第４の可能な実装方式では、第３の制御モジュールはさらに、第２のタイマが切れていないと判定されたとき、ユーザ機器の電力消費選択の変化を学習するために使用されるプロトコル層に高電力消費選択指示の送信が制限されることを通知するように、高電力消費選択指示を送信するために使用されるユーザ機器内のプロトコル層に指示するか、または、第２のタイマが切れていないと判定されたとき、動作を実施しないようにユーザ機器に指示するように構成される。
【００３７】
第３の態様乃至第３の態様の第４の可能な実装方式に従って、第５の可能な実装方式では、ユーザ機器は、指示送信モジュールが電力消費選択指示を基地局に送信した後かつユーザ機器が第１のタイマを備えるとき、第１のタイマを開始し、指示送信モジュールが電力消費選択指示を基地局に送信した後かつユーザ機器が第１のタイマと第２のタイマを備えるとき、第１のタイマまたは第２のタイマまたは第１のタイマと第２のタイマの両方を開始するように構成された第１のタイマ管理モジュールをさらに備える。
【００３８】
第３の態様の第５の可能な実装方式に従って、第６の可能な実装方式では、ユーザ機器は、ユーザ機器に対して基地局により構成された無線リソース・パラメータ構成結果を受信するように構成された構成受信モジュールをさらに備える。構成受信モジュールを備えることに基づいて、ユーザ機器は、第６の制御モジュールと第７の制御モジュールのうち少なくとも１つをさらに備える。第６の制御モジュールは、ユーザ機器内の第１のタイマが切れていないが、構成受信モジュールが無線リソース・パラメータ構成結果を受信し、かつ、ユーザ機器の電力消費選択が再び低電力消費に変更されたとき、第１のタイマが切れる前に指示送信モジュールが低電力消費選択指示を基地局に送信できないと指示送信モジュールに通知するように構成される。第７の制御モジュールは、ユーザ機器内の第２のタイマが切れていないが、基地局が送信した無線リソース・パラメータ構成結果を構成受信モジュールが受信し、かつ、ユーザ機器の電力消費選択が再び高電力消費に変更されたとき、第２のタイマが切れる前に指示送信モジュールが高電力消費選択指示を基地局に送信できないと指示送信モジュールに通知するように構成される。
【００３９】
第３の態様の第５の可能な実装方式に従って、第７の可能な実装方式では、ユーザ機器は、ユーザ機器に対して基地局により構成された無線リソース・パラメータ構成結果を受信するように構成された構成受信モジュールをさらに備える。構成受信モジュールを備えることに基づいて、ユーザ機器はさらに、第８の制御モジュールと第９の制御モジュールのうち少なくとも１つを備える。第８の制御モジュールは、ユーザ機器内の第１のタイマが切れたが、基地局により送信された無線リソース・パラメータ構成結果を構成受信モジュールが受信せず、かつ、ユーザ機器の電力消費選択が再び低電力消費に変更されたとき、基地局が送信した無線リソース・パラメータ構成結果が受信される前に指示送信モジュールが低電力消費選択指示を基地局に送信できないと指示送信モジュールに通知するように構成され、第９の制御モジュールは、ユーザ機器内の第２のタイマが切れたが、基地局により送信された無線リソース・パラメータ構成結果を構成受信モジュールが受信せず、かつ、ユーザ機器の電力消費選択が再び高電力消費に変更されたとき、基地局が送信した無線リソース・パラメータ構成結果が受信される前に指示送信モジュールが高電力消費選択指示を基地局に送信できないと指示送信モジュールに通知するように構成される。
【００４０】
第３の態様の第５の可能な実装方式に従って、第１０の可能な実装方式では、ユーザ機器は、ユーザ機器において第１のタイマの長さと第２のタイマの長さを予め設定するように構成された設定モジュールをさらに備える。
【００４１】
第３の態様の第５の可能な実装方式に従って、第１１の可能な実装方式では、ユーザ機器は、ユーザ機器に対して基地局により指定される第１のタイマの長さ、第２のタイマの長さ、および第３のタイマの長さを受信するように構成された長さ受信モジュールをさらに備える。
【００４２】
第３の態様乃至第３の態様の第１１の可能な実装方式のうち何れか１つに従って、第１２の可能な実装方式では、ユーザ機器は、第４のタイマと第５のタイマのうち少なくとも１つを取得するように構成されたタイマ取得モジュールと、タイマ取得モジュールにより取得された第４のタイマが切れるか、または、ユーザ機器のアイドル状態の期間がタイマ取得モジュールにより取得された第４のタイマの長さ以上であるとユーザ機器が推定したとき、ユーザ機器の電力消費選択が低電力消費に変更されたと判定し、かつ／または、タイマ取得モジュールにより取得された第５のタイマが切れるか、または、ユーザ機器のアイドル状態の期間がタイマ取得モジュールにより取得された第５のタイマの長さ以下であるとユーザ機器が推定したとき、ユーザ機器の電力消費選択が高電力消費に変更されたと判定するように構成された指示決定モジュールとをさらに備える。
【００４３】
第３の態様の第１２の可能な実装方式に従って、第１３の可能な実装方式では、タイマ取得モジュールは第１の取得サブモジュールと第２の取得サブモジュールのうち少なくとも１つを備える。第１の取得サブモジュールは、第４のタイマを第６のタイマに従って設定するか、または、第４のタイマを基地局から取得するように構成され、第６のタイマは基地局で設定されたタイマであり、第２の取得サブモジュールは、第５のタイマを第７のタイマに従って設定するか、または、第５のタイマを基地局から取得するように構成され、第７のタイマは基地局で設定されたタイマである。
【００４４】
第３の態様の第１３の可能な実装方式に従って、第１４の可能な実装方式では、第４のタイマの長さは第６のタイマの長さ以下であり、第１の取得サブモジュールはさらに、第６のタイマを基地局から取得するか、または基地局から取得されたメッセージに従って、基地局で設定された第６のタイマの長さを推定するように構成され、第５のタイマの長さは第７のタイマの長さ以下であり、第２の取得サブモジュールはさらに、第７のタイマを基地局から取得するか、または、基地局から取得されたメッセージに従って、基地局で設定された第７のタイマの長さを推定するように構成される。
【００４５】
第３の態様の第１４の可能な実装方式に従って、第１５の可能な実装方式では、第４のタイマの長さは第６のタイマの長さ以下であり、第２の設定モジュールが第４のタイマを設定する前に、タイマ受信モジュールが第６のタイマを基地局から取得するか、または、第２の設定モジュールが第４のタイマを設定する前に、第６のタイマの長さが基地局から取得されたメッセージに従って推定され、第５のタイマの長さは第７のタイマの長さ以下であり、第２の設定モジュールが第５のタイマを設定する前に、タイマ受信モジュールが第７のタイマを基地局から取得するか、または、第２の設定モジュールが第５のタイマを設定する前に、基地局から取得されたメッセージに従って第７のタイマの長さが推定される。
【００４６】
第３の態様の第１５の可能な実装方式に従って、第１６の可能な実装方式では、第１の取得サブモジュールが第４のタイマを基地局から取得するとき、第４のタイマは基地局により送信された無線リソース制御プロトコル・メッセージ、物理層メッセージ、データ・リンク層メッセージ、およびセル・ハンドオーバ・メッセージのうち何れか１つから取得され、第２の取得サブモジュールが第５のタイマを基地局から取得するとき、第５のタイマは基地局により送信された無線リソース制御プロトコル・メッセージ、物理層メッセージ、データ・リンク層メッセージ、およびセル・ハンドオーバ・メッセージのうち何れか１つから取得され、第１の取得サブモジュールが第６のタイマを基地局から取得するとき、第６のタイマは基地局により送信された無線リソース制御プロトコル・メッセージ、物理層メッセージ、データ・リンク層メッセージ、およびセル・ハンドオーバ・メッセージのうち何れか１つから取得され、第２の取得サブモジュールが第７のタイマを基地局から取得するとき、第７のタイマは基地局により送信された無線リソース制御プロトコル・メッセージ、物理層メッセージ、データ・リンク層メッセージ、およびセル・ハンドオーバ・メッセージのうち何れか１つから取得される。
【００４７】
第４の態様では、本発明はユーザ機器を提供する。ユーザ機器は、第４のタイマと第５のタイマのうち少なくとも１つを取得するように構成されたタイマ取得モジュールと、タイマ取得モジュールにより取得された第４のタイマが切れるか、もしくは、ユーザ機器のアイドル状態の期間がタイマ取得モジュールにより取得された第４のタイマの長さ以上であるとユーザ機器が推定したとき、ユーザ機器の電力消費選択が低電力消費に変更されたと判定し、かつ／または、タイマ取得モジュールにより取得された第５のタイマが切れるか、もしくは、ユーザ機器のアイドル状態の期間がタイマ取得モジュールにより取得された第５のタイマの長さ以下であるとユーザ機器が推定したとき、ユーザ機器の電力消費選択が高電力消費に変更されたと判定するように構成された指示決定モジュールとを備えてもよい。
【００４８】
第４の態様に従って、第１の可能な実装方式では、タイマ取得モジュールは、第１の取得サブモジュールと第２の取得サブモジュールのうち少なくとも１つを備える。第１の取得サブモジュールは、第４のタイマを第６のタイマに従って設定するか、または、第４のタイマを基地局から取得するように構成され、第６のタイマは基地局で設定されたタイマであり、第２の取得サブモジュールは、第５のタイマを第７のタイマに従って設定するか、または、第５のタイマを基地局から取得するように構成され、第７のタイマは基地局で設定されたタイマである。
【００４９】
第４の態様の第１の可能な実装方式に従って、第２の可能な実装方式では、第４のタイマの長さは第６のタイマの長さ以下であり、第１の取得サブモジュールはさらに、第６のタイマを基地局から取得するか、または基地局から取得されたメッセージに従って、基地局で設定された第６のタイマの長さを推定するように構成され、第５のタイマの長さは第７のタイマの長さ以下であり、第２の取得サブモジュールはさらに、第７のタイマを基地局から取得するか、または、基地局から取得されたメッセージに従って、基地局で設定された第７のタイマの長さを推定するように構成される。
【００５０】
第４の態様の第２の可能な実装方式に従って、第３の可能な実装方式では、第４のタイマの長さは第６のタイマの長さ以下であり、第２の設定モジュールが第４のタイマを設定する前に、タイマ受信モジュールが第６のタイマを基地局から取得するか、または、第２の設定モジュールが第４のタイマを設定する前に、第６のタイマの長さが基地局から取得されたメッセージに従って推定され、第５のタイマの長さは第７のタイマの長さ以下であり、第２の設定モジュールが第５のタイマを設定する前に、タイマ受信モジュールが第７のタイマを基地局から取得するか、または、第２の設定モジュールが第５のタイマを設定する前に、基地局から取得されたメッセージに従って第７のタイマの長さが推定される。
【００５１】
第４の態様の第３の可能な実装方式に従って、第４の可能な実装方式では、第１の取得サブモジュールが第４のタイマを基地局から取得するとき、第４のタイマは基地局により送信された無線リソース制御プロトコル・メッセージ、物理層メッセージ、データ・リンク層メッセージ、およびセル・ハンドオーバ・メッセージのうち何れか１つから取得され、第２の取得サブモジュールが第５のタイマを基地局から取得するとき、第５のタイマは基地局により送信された無線リソース制御プロトコル・メッセージ、物理層メッセージ、データ・リンク層メッセージ、およびセル・ハンドオーバ・メッセージのうち何れか１つから取得され、第１の取得サブモジュールが第６のタイマを基地局から取得するとき、第６のタイマは基地局により送信された無線リソース制御プロトコル・メッセージ、物理層メッセージ、データ・リンク層メッセージ、およびセル・ハンドオーバ・メッセージのうち何れか１つから取得され、第２の取得サブモジュールが第７のタイマを基地局から取得するとき、第７のタイマは基地局により送信された無線リソース制御プロトコル・メッセージ、物理層メッセージ、データ・リンク層メッセージ、およびセル・ハンドオーバ・メッセージのうち何れか１つから取得される。
【００５２】
第５の態様では、本発明はシグナリング送信を制御するためのシステムを提供する。当該システムは、本発明に従う上述のユーザ機器と基地局のうち何れか１つを含んでもよい。基地局は、ユーザ機器により送信された電力消費選択指示を受信し、無線リソース管理プロセスでユーザ機器に対して無線リソース・パラメータ構成を実施するように構成される。当該電力消費選択指示は低電力消費選択指示または高電力消費選択指示を含む。
【００５３】
第５の態様に従って、第１の可能な実装方式では、基地局はさらに、第４のタイマ、第５のタイマ、第６のタイマ、および第７のタイマのうち少なくとも１つをユーザ機器に送信するように構成される。
【００５４】
第５の態様乃至第５の態様の第１の可能な実装方式に従って、第２の可能な実装方式では、ユーザ機器が２つの状態、即ち、デフォルト状態と低電力消費状態を有するとき、基地局により、ユーザ機器に対する無線リソース・パラメータ構成を無線リソース管理プロセスで実施するステップは、無線リソース管理接続セットアップの間に、基地局により、ユーザ機器に対して２組の不連続受信ＤＲＸパラメータを構成し、ユーザ機器が無線リソース管理接続を実施するときに使用されるＤＲＸパラメータを示すステップであって、一方の組のパラメータはユーザ機器がデフォルト状態にあることを示すのに使用され、他方の組のパラメータはユーザ機器が低電力消費状態にあることを示すのに使用されるステップと、基地局により、異なる不連続受信ＤＲＸパラメータに従って、ユーザ機器に対する２組の対応する物理層を構成するステップを含むか、または、基地局により、ユーザ機器に対する無線リソース・パラメータ構成を無線リソース管理プロセスで実施するステップは、無線リソース管理再構成プロセスにおいて、基地局により、ユーザ機器に対して２組の不連続受信ＤＲＸパラメータを構成し、ユーザ機器が無線リソース管理再構成を完了した後に使用されるＤＲＸパラメータを示すステップであって、一方の組のパラメータはユーザ機器がデフォルト状態にあることを示すのに使用され、他方の組のパラメータはユーザ機器が低電力消費状態にあることを示すのに使用されるステップと、基地局により、異なる不連続受信ＤＲＸパラメータに従って、ユーザ機器に対する２組の対応する物理層を構成するステップを含む。
【００５５】
第６の態様では、本発明はコンピュータ記憶媒体を提供する。当該コンピュータ記憶媒体はプログラムを格納することができ、当該プログラムが実行されたとき、当該プログラムは、本発明に従うシグナリングを送信するための方法のステップの全部または一部を含んでもよい。
【００５６】
第７の態様では、本発明はコンピュータ記憶媒体を提供する。当該コンピュータ記憶媒体はプログラムを格納することができ、当該プログラムが実行されたとき、当該プログラムは、本発明に従う電力消費選択を決定するための方法のステップの全部または一部を含んでもよい。
【００５７】
第８の態様では、本発明は、入力装置、出力装置、およびプロセッサを備えるユーザ機器を提供する。プロセッサは、ユーザ機器の電力消費選択が低電力消費に変更されたとき、低電力消費選択指示の送信を制限するために使用される第１のタイマが切れたかどうかを判定し、判定結果が肯定的である場合に、低電力消費選択指示を基地局に送信するように出力装置に指示するステップと、ユーザ機器の電力消費選択が高電力消費に変更されたとき、高電力消費選択指示を基地局に送信するように出力装置に指示するステップ、または、高電力消費選択指示の送信を制限するために使用される第２のタイマが切れたかどうかを判定し、判定結果が肯定的である場合に、高電力消費選択指示を基地局に送信するように出力装置に指示するステップとを実施する。
【００５８】
第８の態様に従って、第１の可能な実装方式では、ユーザ機器は２つの状態、即ち、デフォルト状態と低電力消費状態を有し、したがってプロセッサはさらに、ユーザ機器の電力消費選択が低電力消費に変更されたとき、ユーザ機器がデフォルト状態にあるかどうかに関する第１の判定を実行し、当該第１の判定の判定結果が肯定的である場合には、低電力消費選択指示の送信を制限するために使用される第１のタイマが切れたかどうかに関する第２の判定を実行し、当該第２の判定の判定結果が肯定的である場合には、低電力消費選択指示を基地局に送信するように出力装置に指示するステップと、ユーザ機器の電力消費選択が高電力消費に変更されたとき、ユーザ機器が低電力消費状態にあるかどうかを判定し、判定結果が肯定的である場合に、高電力消費指示を基地局に送信するように出力装置に指示するステップ、または、ユーザ機器の電力消費選択が高電力消費に変更されたとき、ユーザ機器が低電力消費状態にあるかどうかに関する第３の判定を実行し、当該第３の判定の判定結果が肯定的である場合には、高電力消費選択指示の送信を制限するために使用される第２のタイマが切れたかどうかに関する第４の判定を実行し、当該第４の判定の判定結果が肯定的である場合には、高電力消費選択指示を基地局に送信するように出力装置に指示するステップとを実施する。
【００５９】
第８の態様の第１の可能な実装方式に従って、第２の可能な実装方式では、プロセッサによりユーザ機器の状態を決定するための方法は、プロセッサにより、指定されたパラメータ長に従ってユーザ機器の状態を決定し、デフォルト状態が要求する長さを当該パラメータ長が満たすとき、ユーザ機器がデフォルト状態にあると判定するか、もしくは、低電力消費状態が要求する長さを当該パラメータ長が満たすとき、ユーザ機器が低電力消費状態にあると判定するステップを含むか、または、プロセッサによりユーザ機器の状態を決定するための方法は、プロセッサにより、ユーザ機器に対して基地局により構成された不連続受信ＤＲＸパラメータに従ってユーザ機器の状態を決定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含む。
【００６０】
第８の態様乃至第８の態様の第２の可能な実装方式に従って、第３の可能な実装方式では、プロセッサはさらに、第１のタイマが切れていないと判定されたとき、低電力消費選択指示を送信するために使用されるユーザ機器内のプロトコル層に通知して、ユーザ機器の電力消費選択の変化を学習するために使用されるプロトコル層に、低電力消費選択指示の送信が制限されることを通知するステップ、または、第１のタイマが切れていないと判定されたとき、動作を実施しないようにユーザ機器に通知するステップを実施する。
【００６１】
第８の態様乃至第８の態様の第２の可能な実装方式に従って、第４の可能な実装方式では、プロセッサはさらに、第２のタイマが切れていないと判定されたとき、高電力消費選択指示を送信するために使用されるユーザ機器内のプロトコル層に通知して、ユーザ機器の電力消費選択の変化を学習するために使用されるプロトコル層に高電力消費選択指示の送信が制限されることを通知するステップ、または、第２のタイマが切れていないと判定されたとき、動作を実施しないようにユーザ機器に通知するステップを実施する。
【００６２】
第８の態様乃至第８の態様の第４の可能な実装方式に従って、第５の可能な実装方式では、低電力消費選択指示を基地局に送信した後、または、高電力消費選択指示を基地局に送信した後、プロセッサはさらに、ユーザ機器が第１のタイマを備えるとき第１のタイマを開始するステップと、ユーザ機器が第１のタイマと第２のタイマを備えるとき第１のタイマと第２のタイマを開始するステップとを実施する。
【００６３】
第８の態様の第５の可能な実装方式に従って、第６の可能な実装方式では、プロセッサはさらに、ユーザ機器内の第１のタイマが切れておらず、基地局が送信した無線リソース・パラメータ構成結果が受信され、かつ、ユーザ機器の電力消費選択が再び低電力消費に変更されたとき、第１のタイマが切れるまで、出力装置が低電力消費選択指示を基地局に送信できないと示すステップと、ユーザ機器内の第２のタイマが切れておらず、基地局が送信した無線リソース・パラメータ構成結果が受信され、かつ、ユーザ機器の電力消費選択が再び高電力消費に変更されたとき、第２のタイマが切れるまで、出力装置が高電力消費選択指示を基地局に送信できないと示すステップとを実施する。
【００６４】
第８の態様の第５の可能な実装方式に従って、第７の可能な実装方式では、プロセッサはさらに、ユーザ機器内の第１のタイマが切れたが、基地局が送信した無線リソース・パラメータ構成結果が受信されず、かつ、ユーザ機器の電力消費選択が再び低電力消費に変更されたとき、基地局が送信した無線リソース・パラメータ構成結果が受信されるまで、出力装置が低電力消費選択指示を基地局に送信できないと示すステップと、ユーザ機器内の第２のタイマが切れたが、基地局が送信した無線リソース・パラメータ構成結果が受信されず、かつ、ユーザ機器の電力消費選択が再び高電力消費に変更されたとき、基地局が送信した無線リソース・パラメータ構成結果が受信されるまで、出力装置が高電力消費選択指示を基地局に送信できないと示すステップとを実施する。
【００６５】
第８の態様の第７の可能な実装方式に従って、第８の可能な実装方式では、プロセッサはさらに、基地局が送信した無線リソース・パラメータ構成結果を受信するステップと、ユーザ機器が第１のタイマを備えるとき第１のタイマを開始するステップと、ユーザ機器が第１のタイマと第２のタイマを備えるとき第１のタイマと第２のタイマを開始するステップとを実施する。
【００６６】
第８の態様乃至第８の態様の第８の可能な実装方式に従って、第９の可能な実装方式では、第１のタイマの長さは第２のタイマの長さ以上である。
【００６７】
第８の態様の第５の可能な実装方式に従って、第１０の可能な実装方式では、プロセッサはさらに、第１のタイマの長さと第２のタイマの長さをユーザ機器で予め設定するステップ、または、ユーザ機器に対して基地局により指定された第１のタイマの長さと第２のタイマの長さを、無線リソース管理接続セットアップ・プロセスまたは無線リソース管理接続再構成プロセスで受信するステップを実施する。
【００６８】
第８の態様乃至第８の態様の第１０の可能な実装方式に従って、第１１の可能な実装方式では、プロセッサはさらに、第４のタイマを取得するステップと、取得した第４のタイマが切れるか、または、ユーザ機器のアイドル状態の期間が第４のタイマの長さ以上であるとユーザ機器が推定したとき、プロセッサにより、ユーザ機器の電力消費選択が低電力消費に変更されたと判定するステップと、第５のタイマを取得するステップと、ユーザ機器の第５のタイマが切れるか、または、ユーザ機器のアイドル状態の期間がユーザ機器の第５のタイマの長さ以下であるとユーザ機器が推定したとき、プロセッサにより、ユーザ機器の電力消費選択が高電力消費に変更されたと判定するステップとを実施する。
【００６９】
第８の態様の第１１の可能な実装方式に従って、第１２の可能な実装方式では、プロセッサにより第４のタイマを取得するステップは特に、プロセッサにより、第６のタイマに従って第４のタイマを設定するか、または、プロセッサにより、第４のタイマを基地局から取得するステップであって、第６のタイマは基地局で設定されたタイマであるステップを含み、プロセッサにより第５のタイマを取得するステップは特に、プロセッサにより、第７のタイマに従って第５のタイマを設定するか、または、プロセッサにより、第５のタイマを基地局から取得するステップであって、第７のタイマは基地局で設定されたタイマであるステップを含む。
【００７０】
第８の態様の第１２の可能な実装方式に従って、第１３の可能な実装方式では、第４のタイマの長さは第６のタイマの長さ以下であり、プロセッサが第６のタイマに従って第４のタイマを設定する前に、プロセッサはさらに、第６のタイマを基地局から取得するか、または、基地局から取得されたメッセージに従って、基地局で設定された第６のタイマの長さを推定するステップを実施し、第５のタイマの長さは第７のタイマの長さ以下であり、プロセッサが第７のタイマに従って第５のタイマを設定する前に、プロセッサはさらに、第７のタイマを基地局から取得するか、または、基地局から取得されたメッセージに従って、基地局で設定された第７のタイマの長さを推定するステップを実施する。
【００７１】
第８の態様の第１２の可能な実装方式に従って、第１３の可能な実装方式では、プロセッサが第４のタイマを基地局から取得するとき、第４のタイマは、基地局により送信された無線リソース制御プロトコル・メッセージ、物理層メッセージ、データ・リンク層メッセージ、およびセル・ハンドオーバ・メッセージのうち何れか１つで運搬され、プロセッサが第５のタイマを基地局から取得するとき、第５のタイマは、基地局により送信された無線リソース制御プロトコル・メッセージ、物理層メッセージ、データ・リンク層メッセージ、およびセル・ハンドオーバ・メッセージのうち何れか１つで運搬され、プロセッサが第６のタイマを基地局から取得するとき、第６のタイマは、基地局により送信された無線リソース制御プロトコル・メッセージ、物理層メッセージ、データ・リンク層メッセージ、およびセル・ハンドオーバ・メッセージのうち何れか１つで運搬され、プロセッサが第７のタイマを基地局から取得するとき、第７のタイマは、基地局により送信された無線リソース制御プロトコル・メッセージ、物理層メッセージ、データ・リンク層メッセージ、およびセル・ハンドオーバ・メッセージのうち何れか１つで運搬される。
【００７２】
上から分かるように、本発明の幾つかの実現可能な実装方式では、ユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。
【図面の簡単な説明】
【００７３】
【図１】本発明に従うシグナリングを送信するための方法の第１の実施形態の略流れ図である。
【図２】本発明に従うシグナリングを送信するための方法の第２の実施形態の略流れ図である。
【図３】本発明に従うシグナリングを送信するための方法の第３の実施形態の略流れ図である。
【図４】本発明に従うシグナリングを送信するための方法の第４の実施形態の略流れ図である。
【図５】本発明に従うユーザ機器の第１の実施形態の略構造図である。
【図６】本発明に従うユーザ機器の第２の実施形態の略構造図である。
【図７】本発明に従うユーザ機器の第３の実施形態の略構造図である。
【図８】本発明に従うユーザ機器の第４の実施形態の略構造図である。
【図９】本発明に従うシグナリングを送信するためのシステムの１実施形態の略構造図である。
【図１０】本発明に従うユーザ機器の第７の実施形態の略構造図である。
【発明を実施するための形態】
【００７４】
本発明の幾つかの実現可能な実装方式では、ユーザ機器の電力消費選択が低電力消費に変更されたとき、低電力消費選択指示の送信を制限するために使用される第１のタイマが切れたかどうかが判定され、判定結果が肯定的である場合に、低電力消費選択指示が基地局に送信され、ユーザ機器の電力消費選択が高電力消費に変更されたとき、高電力消費選択指示が基地局に送信されるか、または、ユーザ機器の電力消費選択が高電力消費に変更されたとき、高電力消費選択指示の送信を制限するために使用される第２のタイマが切れたかどうかが判定され、判定結果が肯定的である場合に、高電力消費選択指示が基地局に送信される。それにより、ユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。以下で、添付図面を参照して本発明の諸実施形態を詳細に説明する。
【００７５】
図１は、本発明に従うシグナリングを送信するための方法の第１の実施形態の略流れ図である。図１に示すように、当該方法は以下を含んでもよい。
【００７６】
ステップＳ１０で、ユーザ機器の電力消費選択が低電力消費に変更されたとき、低電力消費選択指示の送信を制限するために使用される第１のタイマが切れたかどうかを判定し、判定結果が肯定的である場合に、ステップＳ１１を実施する。ステップＳ１１で、ユーザ機器が低電力消費選択指示を基地局に送信する。ステップＳ１２で、ユーザ機器の電力消費選択が高電力消費に変更されたとき、高電力消費選択指示を基地局に送信する。
【００７７】
幾つかの実現可能な実装方式では、ステップＳ１０およびステップＳ１２を任意の順序で行ってもよい。即ち、ユーザ機器の電力消費選択を最初に高電力消費に変更し、次いで低電力消費に変更する。
【００７８】
幾つかの実現可能な実装方式では、ステップＳ１０の前に、当該方法はさらに、ユーザ機器の電力消費選択が低電力消費に変更されたかどうかを判定するプロセスを含んでもよい。当該プロセスは、ユーザ機器により第４のタイマを取得するステップと、ユーザ機器の第４のタイマが切れるか、または、ユーザ機器のアイドル状態の期間がユーザ機器の第４のタイマの長さ以上であるとユーザ機器が推定したとき、ユーザ機器の電力消費選択が低電力消費に変更されたと判定するステップを含んでもよい。
【００７９】
幾つかの実現可能な実装方式では、ステップＳ１２の前に、当該方法はさらに、ユーザ機器の電力消費選択が高電力消費に変更されたかどうかを判定するプロセスを含んでもよい。当該プロセスは、ユーザ機器により第５のタイマを取得するステップと、ユーザ機器の第５のタイマが切れるか、または、ユーザ機器のアイドル状態の期間がユーザ機器の第５のタイマの長さ以下であるとユーザ機器が推定したとき、ユーザ機器の電力消費選択が高電力消費に変更されたと判定するステップを含んでもよい。
【００８０】
幾つかの実現可能な実装方式では、ユーザ機器が第４のタイマを基地局から取得してもよく、ユーザ機器が第５のタイマを基地局から取得してもよい。第４のタイマまたは第５のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第４のタイマの長さは基地局における第６のタイマの長さ以下であり、第５のタイマの長さは基地局における第７のタイマの長さ以下である。第６のタイマは基地局で維持され基地局側により使用される、低電力消費をトリガするためのトリガであり、第７のタイマは基地局で維持され基地局側により使用される、高電力消費をトリガするためのトリガである。それにより、ユーザ機器が取得した第４のタイマが切れたとき、ユーザ機器の電力消費選択が低電力消費に変更されたと判定され、ユーザ機器が取得した第５のタイマが切れたとき、ユーザ機器の電力消費選択が高電力消費に変更されたと判定される。
【００８１】
幾つかの実現可能な実装方式では、ユーザ機器が第６のタイマを基地局から取得してもよく、ユーザ機器が第７のタイマを基地局から取得してもよい。第６のタイマまたは第７のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、ユーザ機器が第６のタイマの長さと第７のタイマの長さを基地局から取得したとき、第４のタイマを第６のタイマに従ってユーザ機器において設定してもよく、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、ユーザ機器で設定された第４のタイマが切れたとき、ユーザ機器の電力消費選択が低電力消費に変更されたと判定され、ユーザ機器により設定した第５のタイマが切れたとき、ユーザ機器の電力消費選択が高電力消費に変更されたと判定される。
【００８２】
幾つかの実現可能な実装方式では、ユーザ機器自体が、基地局から取得されたメッセージに従って第６のタイマの長さまたは第７のタイマまたはその両方を推定してもよい。例えば、ＵＥがデータ送受信動作を実施した後タイマを開始し、ＵＥが次のデータ送受信動作を実施した後に当該タイマを再開する。基地局が再構成メッセージまたはＲＲＣ接続解放メッセージをユーザ機器に配信すると仮定すると、ユーザ機器が、再構成メッセージまたはＲＲＣ接続解放メッセージの内容に従って、当該タイマの長さを第６のタイマの長さおよび第７のタイマの長さとして記録するかどうかを判定してもよい。例えば、再構成メッセージまたはＲＲＣ接続解放メッセージがハンドオーバ・コマンドであるか、または、新たな無線ベアラをセットアップするか、もしくは、元の無線ベアラを解放する等のために使用される場合には、ユーザ機器は当該タイマの長さを第６のタイマの長さおよび第７のタイマの長さとして記録せず、再構成メッセージまたはＲＲＣ接続解放メッセージがＤＲＸを構成するかまたはより多くの電力節約ＤＲＸを構成するために使用される場合には、ユーザ機器は当該タイマの長さを第６のタイマの長さと第７のタイマの長さとして記録する。
【００８３】
具体的な実装では、ユーザ機器が第６のタイマの長さと第７のタイマの長さを記録するとき、第４のタイマを第６のタイマに従ってユーザ機器において設定してもよく、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、ユーザ機器で設定された第４のタイマが切れたとき、ユーザ機器の電力消費選択が低電力消費に変更されたと判定され、ユーザ機器により設定した第５のタイマが切れたとき、ユーザ機器の電力消費選択が高電力消費に変更されたと判定される。
【００８４】
幾つかの実現可能な実装方式では、ユーザ機器が、複数の推定を実施することで、例えば、複数の推定結果を平均することで、または、最小値を用いることで、または、最大値を用いることで、第６のタイマの長さまたは第７のタイマまたはその両方を取得してもよい。各推定プロセスは上述の推定方法と同じでありここでは繰り返さない。これにより、第６のタイマまたは第７のタイマまたはその両方の取得した長さの精度が高まる。
【００８５】
幾つかの実現可能な実装方式では、ユーザ機器がデータ送受信動作を完了しアイドル状態を入ったとき、ユーザ機器がユーザ機器のアイドル状態の期間、例えば、１０秒を推定してもよい（具体的な実装では、ユーザ機器が、ユーザ機器が送信または受信しているデータのサービス・タイプや現在のネットワーク条件のような因子に従ってユーザ機器のアイドル状態の期間を推定してもよい）。一方、ユーザ機器が、基地局から受信した第６のタイマに従って第４のタイマを設定してもよく、第６のタイマが８秒であると仮定すると、ユーザ機器が、第４のタイマを５秒に設定するか、または、基地局から直接第４のタイマ（例えば、１１秒）を受信してもよい。それにより、ユーザ機器のアイドル状態の期間（例えば、１０秒）がユーザ機器の第４のタイマの長さ（例えば、５秒）以上であるとユーザ機器が推定したとき、ユーザ機器の電力消費選択が低電力消費に変更されたと判定される。ユーザ機器のアイドル状態の期間（例えば、１０秒）がユーザ機器の第４のタイマの長さ（例えば、１１秒）より短いとユーザ機器が推定した場合には、選択が低電力消費に変更されたとの結論に達することはできない。第５のタイマはそれと同様でありここでは繰り返さない。
【００８６】
具体的な実装では、本発明の当該実施形態における、ユーザ機器の電力消費選択が低電力消費に変更されたと判定するステップ、またはユーザ機器の電力消費選択が高電力消費に変更されたと判定するステップ、またはその両方の上述のプロセスが図１に示すプロセスと独立であってもよい。
【００８７】
幾つかの実現可能な実装方式では、電力消費選択指示（「電力選択指示」。低電力消費選択指示と高電力消費選択指示を含む）の送信は、ユーザ機器の２つの有限状態に基づいて実施される。この場合、ユーザ機器は２つの状態、即ち、デフォルト状態（「ｄｅｆａｕｌｔ」状態）と低電力消費状態（「ｌｏｗｅｒ  ｐｏｗｅｒ  ｃｏｎｓｕｍｐｔｉｏｎ」状態）を有する。ユーザ機器が「デフォルト（ｄｅｆａｕｌｔ）」状態にあるとユーザ機器が判定したとき、ユーザ機器は、「低電力消費（ｌｏｗｅｒ  ｐｏｗｅｒ  ｃｏｎｓｕｍｐｔｉｏｎ）」選択指示を基地局（例えば、発展型ＮｏｄｅＢ  ｅＮＢ）に送信できるのみである。逆に、ユーザが「低電力消費」状態にあるとユーザが判定した場合には、ユーザは「デフォルト」状態（高電力消費）に戻るための選択指示を基地局に送信できるのみである。この場合、ステップＳ１０で、ユーザ機器の電力消費選択が低電力消費に変更されたとき、ユーザ機器は、ユーザ機器がデフォルト状態にあるかどうかを先ず判定し、判定結果が肯定的である場合、低電力消費選択指示の送信を制限するために使用される第１のタイマ（これを「Ｔ＿Ｄｅｆａｕｌｔ」と記録してもよい）が切れた（即ち、当該タイマが実行されていない）かどうかをさらに判定し、判定結果が肯定的である場合に、ステップＳ１１を実施する。ステップＳ１２で、ユーザ機器の電力消費選択が高電力消費に変更されたとき、ユーザ機器は、ユーザ機器が低電力消費状態にあるかどうかを判定し、判定結果が肯定的である場合に、高電力消費選択指示を基地局に送信する。
【００８８】
幾つかの実現可能な実装方式では、ユーザ機器によりユーザ機器の状態を判定するための方法は、ユーザ機器により、指定されたパラメータ長に従ってユーザ機器の状態を判定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定するステップを含んでもよい。例えば、ユーザ機器が、不連続受信サイクル（ＤＲＸサイクル）の長さを用いてユーザ機器の状態を決定してもよい。ユーザ機器に対して現在構成されているＤＲＸサイクルの長さがアイドル（ＩＤＬＥ）状態にあるＤＲＸサイクルの長さより短いとき、ユーザ機器はユーザ機器が「デフォルト」状態にあると判定し、ユーザ機器に対して現在構成されているＤＲＸサイクルの長さがアイドル状態にあるＤＲＸサイクルの長さ以上であるとき、ユーザ機器はＵＥが「低電力消費」状態にあるとみなす。アイドル状態にあるＤＲＸサイクルの長さを上では「デフォルト」状態と「低電力消費」状態を区別するための閾値として使用しているが、これは例にすぎない。具体的な実装では、他のパラメータの長さを、判定を実行するための閾値として使用してもよい。それにより、ステップＳ１０で、ユーザ機器が「デフォルト」状態に対応するＤＲＸサイクルの長さを使用しているとき、即ち、ユーザ機器が「デフォルト」状態にあるとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。ステップＳ１２で、ユーザ機器が「低電力消費」状態に対応するＤＲＸサイクルの長さを使用しているとき、即ち、ユーザ機器が「低電力消費」状態にあるとき、ユーザ機器の電力選択が変化しユーザ機器が高性能、即ち、高電力消費を期待する場合には、ユーザ機器は「電力選択指示」を基地局に送信し、「デフォルト」状態に対応するＤＲＸパラメータ構成の使用を要求する。
【００８９】
幾つかの実現可能な実装方式では、ユーザ機器によるユーザ機器の状態を決定するための方法は、ユーザ機器により、ユーザ機器に対して基地局により構成された不連続受信ＤＲＸパラメータに従ってユーザ機器の状態を判定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含んでもよい。
【００９０】
幾つかの実現可能な実装方式では、基地局が、ユーザ機器に対するデフォルト状態に対応する不連続受信ＤＲＸパラメータおよび低電力消費状態に対応する不連続受信ＤＲＸパラメータを同時に構成してもよく、当該パラメータに対応する状態をユーザに明示的または暗黙的に通知してもよい。あるいは、基地局が、ユーザ機器に対して１組のＤＲＸパラメータのみを毎回構成し、当該ＤＲＸパラメータに対応する状態を明示的に示してもよい。例えば、基地局が、無線リソース管理ＲＲＣ接続を構成するときユーザ機器に対して２組の異なるＤＲＸパラメータを構成してもよい。さらに、基地局が、ＵＥがＲＲＣ接続状態に入ったときにどの組のＤＲＸパラメータを使用するか（「デフォルト」に対応するＤＲＸパラメータを使用するか、または、「低電力消費」に対応するＤＲＸパラメータを使用する）、即ち、ＵＥがどの状態にあるかを明示的に示してもよく、または、デフォルトで、ユーザ機器が、ＲＲＣ接続状態に入ったとき「デフォルト」状態に直接入り、「デフォルト」状態に対応するＤＲＸパラメータを使用すると示してもよく、または、デフォルトで、ユーザ機器が、ＲＲＣ接続状態に入ったとき「低電力消費」状態に直接入り、「低電力消費」状態に対応するＤＲＸパラメータを使用すると示してもよい。別の例として、基地局がＲＲＣ接続再構成プロセスで当該構成を実施してもよい。即ち、基地局は、ＲＲＣ接続再構成プロセスでユーザ機器に対して２組の異なるＤＲＸパラメータを構成する。したがって、基地局が、ＲＲＣ接続再構成プロセスの後にどの組のＤＲＸパラメータがユーザ機器により使用されるか、即ち、ユーザ機器がどの状態にあるかを示してもよい。別の例として、基地局がユーザ機器の状態を暗黙的に示す。通常は、現在使用されているＤＲＸパラメータを決定することでユーザ機器がユーザ機器の状態を決定する。即ち、基地局により新たに構成された２組のＤＲＸパラメータのうち一方の組がユーザ機器により現在使用されているＤＲＸパラメータと同じであることをユーザ機器が発見した場合には、ＵＥは、当該１組のＤＲＸパラメータに対応する状態を使用することで、再構成の後のＵＥの状態を決定する。それにより、ステップＳ１０で、ユーザ機器が「デフォルト」状態に対応するＤＲＸパラメータを使用しているとき、即ち、ユーザ機器が「デフォルト」状態にあるとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。ステップＳ１２で、ユーザ機器が「低電力消費」状態に対応するＤＲＸパラメータを使用しているとき、即ち、ユーザ機器が「低電力消費」状態にあるとき、ユーザ機器の電力選択が変化しユーザ機器が高性能、即ち、高電力消費を期待する場合には、ユーザ機器は「電力選択指示」を基地局に送信し、「デフォルト」状態に対応するＤＲＸパラメータ構成の使用を要求する。
【００９１】
幾つかの実現可能な実装方式では、電力消費選択指示（「電力選択指示」。低電力消費選択指示と高電力消費選択指示を含む）の送信をユーザ機器の状態により制限しなくともよい。即ち、ユーザ機器の電力消費選択が変化する限り、電力消費選択指示を基地局に送信してもよい。この場合、ステップＳ１０で、ユーザ機器の電力消費選択が低電力消費に変更されたとき、ユーザ機器が、低電力消費選択指示の送信を制限するために使用される第１のタイマが切れたかどうかを直接判定し、判定結果が肯定的である場合に、低電力消費選択指示を基地局に送信する。ステップＳ１２で、ユーザ機器の電力消費選択が高電力消費に変更されたとき、ユーザ機器は高電力消費選択指示を基地局に直接送信する。
【００９２】
幾つかの実現可能な実装方式では、場合によっては、ステップＳ１０での第１のタイマが切れたかどうかの判定結果が否定的であるとき、即ち、第１のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、ユーザ機器のＡＳは「電力選択指示」の送信が制限されると上位層に通知してもよく、対応する第１のタイマが切れた後、ユーザ機器のＡＳはさらに、送信が制限されていないと上位層に通知してもよい。しかし、当該ＡＳの上位層が当該非制限指示を受信した後、ユーザ機器が依然として低電力消費選択指示を送信する必要があると上位層が判定した場合には、アクセス層ＡＳに通知してもよい。そうでなく、ユーザ機器が低電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、ユーザ機器が動作を実施しなくともよい。
【００９３】
幾つかの実現可能な実装方式では、第１のタイマの長さはユーザ機器で予め設定される。幾つかの実現可能な実装方式では、第１のタイマの長さは、無線リソース管理接続セットアップ・プロセスまたは無線リソース管理接続再構成プロセスで、基地局によりユーザ機器に対して指定される。
【００９４】
幾つかの実現可能な実装方式では、場合によっては、ユーザ機器が低電力消費選択指示を基地局に送信するかまたは高電力消費選択指示を基地局に送信した後、基地局は無線リソース・パラメータ構成をユーザ機器に対して現在更新できるかどうかを判定してもよく、判定結果が否定的である場合には、基地局は低電力消費選択指示に応答しないか、または、基地局は高電力消費選択指示に応答しない。
【００９５】
幾つかの実現可能な実装方式では、場合によっては、ユーザ機器が低電力消費選択指示を基地局に送信した後、基地局は無線リソース・パラメータ構成をユーザ機器に対して現在更新できるかどうかを判定し、判定結果が否定的である場合には、基地局は低電力消費選択指示に応答しない。
【００９６】
上から分かるように、本発明の幾つかの実現可能な実装方式では、第１のタイマを使用してユーザ機器による低電力消費選択指示の送信を制限するが、高電力消費選択指示の送信は制限されない。それによりユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。さらに、本発明の当該実施形態では、ネットワーク側の第６のタイマにより制御される第４のタイマが、ユーザ機器が低電力消費選択に入るかどうかを制御し、当該ネットワーク側の第７のタイマにより制御される第５のタイマが高電力消費選択を制御する。したがって、当該ネットワーク側とユーザ機器の電力選択要件がより効果的に調整され、ユーザ機器が電力選択を最短時間で調節することが保証される。ネットワーク側のタイマとユーザ機器側のタイマの期間の衝突に起因して電力選択を適時に調節できないという欠点を効果的に解決することができる。さらに、本発明の当該実施形態では、第４のタイマおよび第５のタイマを、ユーザ機器により推定されるユーザ機器のアイドル状態の期間とともに使用してユーザ機器が低電力消費または高電力消費選択に入るかどうかを一緒に制御する。したがって、ユーザ機器の電力選択要件がより効果的に調整され、ユーザ機器が電力選択を最短時間で調節することが保証される。
【００９７】
図２は、本発明に従うシグナリングを送信するための方法の第２の実施形態の略流れ図である。当該第２の実施形態は当該第１の実施形態の拡張である。図２に示すように、当該第２の実施形態は以下を含んでもよい。
【００９８】
ステップＳ２０で、ユーザ機器の電力消費選択が低電力消費に変更されたとき、低電力消費選択指示の送信を制限するために使用される第１のタイマが切れたかどうかを判定し、判定結果が肯定的である場合に、ステップＳ２１を実施する。ステップＳ２１で、ユーザ機器が低電力消費選択指示を基地局に送信する。ステップＳ２２で、ユーザ機器の電力消費選択が高電力消費に変更されたとき、高電力消費選択指示の送信を制限するために使用される第２のタイマが切れたかどうかを判定し、判定結果が肯定的である場合に、ステップＳ２３を実施する。ステップＳ２３で、ユーザ機器が高電力消費選択指示を基地局に送信する。
【００９９】
幾つかの実現可能な実装方式では、ステップＳ２０およびステップＳ２２を任意の順序で行ってもよい。即ち、ユーザ機器の電力消費選択を最初に高電力消費に変更し、次いで低電力消費に変更する。
【０１００】
幾つかの実現可能な実装方式では、ステップＳ２０の前に、当該方法はさらに、ユーザ機器の電力消費選択が低電力消費に変更されたかどうかを判定するプロセスを含んでもよい。当該プロセスは、ユーザ機器により第４のタイマを取得するステップと、ユーザ機器の第４のタイマが切れるか、または、ユーザ機器のアイドル状態の期間がユーザ機器の第４のタイマの長さ以上であるとユーザ機器が推定したとき、ユーザ機器の電力消費選択が低電力消費に変更されたと判定するステップを含んでもよい。
【０１０１】
幾つかの実現可能な実装方式では、ステップＳ２２の前に、当該方法はさらに、ユーザ機器の電力消費選択が高電力消費に変更されたかどうかを判定するプロセスを含んでもよい。当該プロセスは、ユーザ機器により第５のタイマを取得するステップと、ユーザ機器の第５のタイマが切れるか、または、ユーザ機器のアイドル状態の期間がユーザ機器の第５のタイマの長さ以下であるとユーザ機器が推定したとき、ユーザ機器の電力消費選択が高電力消費に変更されたと判定するステップを含んでもよい。
【０１０２】
幾つかの実現可能な実装方式では、ユーザ機器が第４のタイマを基地局から取得してもよく、ユーザ機器が第５のタイマを基地局から取得してもよい。第４のタイマまたは第５のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第４のタイマの長さは基地局における第６のタイマの長さ以下であり、第５のタイマの長さは基地局における第７のタイマの長さ以下である。第６のタイマは基地局で維持され基地局側により使用される、低電力消費をトリガするためのトリガであり、第７のタイマは基地局で維持され基地局側により使用される、高電力消費をトリガするためのトリガである。それにより、ユーザ機器が取得した第４のタイマが切れたとき、ユーザ機器の電力消費選択が低電力消費に変更されたと判定され、ユーザ機器が取得した第５のタイマが切れたとき、ユーザ機器の電力消費選択が高電力消費に変更されたと判定される。
【０１０３】
幾つかの実現可能な実装方式では、ユーザ機器が第６のタイマを基地局から取得してもよく、ユーザ機器が第７のタイマを基地局から取得してもよい。第６のタイマまたは第７のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、ユーザ機器が第６のタイマの長さと第７のタイマの長さを基地局から取得したとき、第４のタイマを第６のタイマに従ってユーザ機器において設定してもよく、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、ユーザ機器で設定された第４のタイマが切れたとき、ユーザ機器の電力消費選択が低電力消費に変更されたと判定され、ユーザ機器により設定した第５のタイマが切れたとき、ユーザ機器の電力消費選択が高電力消費に変更されたと判定される。
【０１０４】
幾つかの実現可能な実装方式では、ユーザ機器自体が、基地局から取得されたメッセージに従って第６のタイマの長さまたは第７のタイマまたはその両方を推定してもよい。例えば、ＵＥがデータ送受信動作を実施した後タイマを開始し、ＵＥが次のデータ送受信動作を実施した後に当該タイマを再開する。基地局が再構成メッセージまたはＲＲＣ接続解放メッセージをユーザ機器に配信すると仮定すると、ユーザ機器が、再構成メッセージまたはＲＲＣ接続解放メッセージの内容に従って、当該タイマの長さを第６のタイマの長さおよび第７のタイマの長さとして記録するかどうかを判定してもよい。例えば、再構成メッセージまたはＲＲＣ接続解放メッセージがハンドオーバ・コマンドであるか、または、新たな無線ベアラをセットアップするか、もしくは、元の無線ベアラを解放する等のために使用される場合には、ユーザ機器は当該タイマの長さを第６のタイマの長さおよび第７のタイマの長さとして記録せず、再構成メッセージまたはＲＲＣ接続解放メッセージがＤＲＸを構成するかまたはより多くの電力節約ＤＲＸを構成するために使用される場合には、ユーザ機器は当該タイマの長さを第６のタイマの長さと第７のタイマの長さとして記録する。
【０１０５】
具体的な実装では、ユーザ機器が第６のタイマの長さと第７のタイマの長さを記録するとき、第４のタイマを第６のタイマに従ってユーザ機器において設定してもよく、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、ユーザ機器で設定された第４のタイマが切れたとき、ユーザ機器の電力消費選択が低電力消費に変更されたと判定され、ユーザ機器により設定した第５のタイマが切れたとき、ユーザ機器の電力消費選択が高電力消費に変更されたと判定される。
【０１０６】
幾つかの実現可能な実装方式では、ユーザ機器が、複数の推定を実施することで、例えば、複数の推定結果を平均することで、または、最小値を用いることで、または、最大値を用いることで、第６のタイマの長さまたは第７のタイマまたはその両方を取得してもよい。各推定プロセスは上述の推定方法と同じでありここでは繰り返さない。これにより、第６のタイマまたは第７のタイマまたはその両方の取得した長さの精度が高まる。
【０１０７】
幾つかの実現可能な実装方式では、ユーザ機器がデータ送受信動作を完了しアイドル状態を入ったとき、ユーザ機器がユーザ機器のアイドル状態の期間、例えば、１０秒を推定してもよい（具体的な実装では、ユーザ機器が、ユーザ機器が送信または受信しているデータのサービス・タイプや現在のネットワーク条件のような因子に従ってユーザ機器のアイドル状態の期間を推定してもよい）。一方、ユーザ機器が、基地局から受信した第６のタイマに従って第４のタイマを設定してもよく、第６のタイマが８秒であると仮定すると、ユーザ機器が、第４のタイマを５秒に設定するか、または、基地局から直接第４のタイマ（例えば、１１秒）を受信してもよい。それにより、ユーザ機器のアイドル状態の期間（例えば、１０秒）がユーザ機器の第４のタイマの長さ（例えば、５秒）以上であるとユーザ機器が推定したとき、ユーザ機器の電力消費選択が低電力消費に変更されたと判定される。ユーザ機器のアイドル状態の期間（例えば、１０秒）がユーザ機器の第４のタイマの長さ（例えば、１１秒）より短いとユーザ機器が推定した場合には、選択が低電力消費に変更されたとの結論に達することはできない。第５のタイマはそれと同様でありここでは繰り返さない。
【０１０８】
具体的な実装では、本発明の当該実施形態における、ユーザ機器の電力消費選択が低電力消費に変更されたと判定するステップ、またはユーザ機器の電力消費選択が高電力消費に変更されたと判定するステップ、またはその両方の上述のプロセスが図２に示すプロセスと独立であってもよい。
【０１０９】
幾つかの実現可能な実装方式では、電力消費選択指示（「電力選択指示」。低電力消費選択指示と高電力消費選択指示を含む）の送信は、ユーザ機器の２つの有限状態に基づいて実施される。この場合、ユーザ機器は２つの状態、即ち、デフォルト状態（「ｄｅｆａｕｌｔ」状態）と低電力消費状態（「ｌｏｗｅｒ  ｐｏｗｅｒ  ｃｏｎｓｕｍｐｔｉｏｎ」状態）を有する。ユーザ機器が「デフォルト（ｄｅｆａｕｌｔ）」状態にあるとユーザ機器が判定したとき、ユーザ機器は、「低電力消費（ｌｏｗｅｒ  ｐｏｗｅｒ  ｃｏｎｓｕｍｐｔｉｏｎ）」選択指示を基地局（例えば、発展型ＮｏｄｅＢ  ｅＮＢ）に送信できるのみである。逆に、ユーザが「低電力消費」状態にあるとユーザが判定した場合には、ユーザは「デフォルト」状態（高電力消費）に戻るための選択指示を基地局に送信できるのみである。この場合、ステップＳ２０で、ユーザ機器の電力消費選択が低電力消費に変更されたとき、ユーザ機器は、ユーザ機器がデフォルト状態にあるかどうかを先ず判定し、判定結果が肯定的である場合、低電力消費選択指示の送信を制限するために使用される第１のタイマ（これを「Ｔ＿Ｄｅｆａｕｌｔ」と記録してもよい）が切れた（即ち、当該タイマが実行されていない）かどうかをさらに判定し、判定結果が肯定的である場合に、ステップＳ２１を実施する。ステップＳ２２で、ユーザ機器の電力消費選択が高電力消費に変更されたとき、ユーザ機器はユーザ機器が低電力消費状態にあるかどうかを判定し、判定結果が肯定的である場合に、高電力消費選択指示の送信を制限するために使用される第２のタイマ（これを「Ｔ＿ＬｏｗｅｒＰｏｗｅｒ」として記録してもよい）が切れたかどうかをさらに判定する。第２のタイマが切れた場合には、ユーザ機器が高電力消費選択指示を基地局に送信する。
【０１１０】
幾つかの実現可能な実装方式では、ユーザ機器によりユーザ機器の状態を判定するための方法は以下を含んでもよい。
【０１１１】
ユーザ機器により、指定されたパラメータ長に従ってユーザ機器の状態を判定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定する。例えば、ユーザ機器が、不連続受信サイクル（ＤＲＸサイクル）の長さを用いてユーザ機器の状態を決定してもよい。ユーザ機器に対して現在構成されているＤＲＸサイクルの長さがアイドル（ＩＤＬＥ）状態にあるＤＲＸサイクルの長さより短いとき、ユーザ機器はユーザ機器が「デフォルト」状態にあると判定し、ユーザ機器に対して現在構成されているＤＲＸサイクルの長さがアイドル状態にあるＤＲＸサイクルの長さ以上であるとき、ユーザ機器はＵＥが「低電力消費」状態にあるとみなす。アイドル状態にあるＤＲＸサイクルの長さを上では「デフォルト」状態と「低電力消費」状態を区別するための閾値として使用しているが、これは例にすぎない。具体的な実装では、他のパラメータの長さを、判定を実行するための閾値として使用してもよい。それにより、ステップＳ２０で、ユーザ機器が「デフォルト」状態に対応するＤＲＸサイクルの長さを使用しているとき、即ち、ユーザ機器が「デフォルト」状態にあるとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。ステップＳ２２で、ユーザ機器が「低電力消費」状態に対応するＤＲＸサイクルの長さを使用しているとき、即ち、ユーザ機器が「低電力消費」状態にあるとき、ユーザ機器の電力選択が変化しユーザ機器が高性能、即ち、高電力消費を期待する場合には、ユーザ機器は「電力選択指示」を基地局に送信し、「デフォルト」状態に対応するＤＲＸパラメータ構成の使用を要求する。
【０１１２】
幾つかの実現可能な実装方式では、ユーザ機器によるユーザ機器の状態を決定するための方法は、ユーザ機器により、ユーザ機器に対して基地局により構成された不連続受信ＤＲＸパラメータに従ってユーザ機器の状態を判定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含んでもよい。
【０１１３】
幾つかの実現可能な実装方式では、基地局が、ユーザ機器に対するデフォルト状態に対応する不連続受信ＤＲＸパラメータおよび低電力消費状態に対応する不連続受信ＤＲＸパラメータを同時に構成してもよく、当該パラメータに対応する状態をユーザに明示的または暗黙的に通知してもよい。あるいは、基地局が、ユーザ機器に対して１組のＤＲＸパラメータのみを毎回構成し、当該ＤＲＸパラメータに対応する状態を明示的に示してもよい。例えば、基地局が、無線リソース管理ＲＲＣ接続を構成するときユーザ機器に対して２組の異なるＤＲＸパラメータを構成してもよい。さらに、基地局が、ＵＥがＲＲＣ接続状態に入ったときにどの組のＤＲＸパラメータを使用するか（「デフォルト」に対応するＤＲＸパラメータを使用するか、または、「低電力消費」に対応するＤＲＸパラメータを使用する）、即ち、ＵＥがどの状態にあるかを明示的に示してもよく、または、デフォルトで、ユーザ機器が、ＲＲＣ接続状態に入ったとき「デフォルト」状態に直接入り、「デフォルト」状態に対応するＤＲＸパラメータを使用すると示してもよく、または、デフォルトで、ユーザ機器が、ＲＲＣ接続状態に入ったとき「低電力消費」状態に直接入り、「低電力消費」状態に対応するＤＲＸパラメータを使用すると示してもよい。別の例として、基地局がＲＲＣ接続再構成プロセスで当該構成を実施してもよい。即ち、基地局は、ＲＲＣ接続再構成プロセスでユーザ機器に対して２組の異なるＤＲＸパラメータを構成する。したがって、基地局が、ＲＲＣ接続再構成プロセスの後にどの組のＤＲＸパラメータがユーザ機器により使用されるか、即ち、ユーザ機器がどの状態にあるかを示してもよい。別の例として、基地局がユーザ機器の状態を暗黙的に示す。通常は、現在使用されているＤＲＸパラメータを決定することでユーザ機器がユーザ機器の状態を決定する。即ち、基地局により新たに構成された２組のＤＲＸパラメータのうち一方の組がユーザ機器により現在使用されているＤＲＸパラメータと同じであることをユーザ機器が発見した場合には、ＵＥは、当該１組のＤＲＸパラメータに対応する状態を使用することで、再構成の後のＵＥの状態を決定する。それにより、ステップＳ２０で、ユーザ機器が「デフォルト」状態に対応するＤＲＸパラメータを使用しているとき、即ち、ユーザ機器が「デフォルト」状態にあるとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。ステップＳ２２で、ユーザ機器が「低電力消費」状態に対応するＤＲＸパラメータを使用しているとき、即ち、ユーザ機器が「低電力消費」状態にあるとき、ユーザ機器の電力選択が変化しユーザ機器が高性能、即ち、高電力消費を期待する場合には、第２のタイマが切れたことを前提に、ユーザ機器は「電力選択指示」を基地局に送信し、「デフォルト」状態に対応するＤＲＸパラメータ構成の使用を要求する。
【０１１４】
幾つかの実現可能な実装方式では、電力消費選択指示（「電力選択指示」。低電力消費選択指示と高電力消費選択指示を含む）の送信をユーザ機器の状態により制限しなくともよい。即ち、ユーザ機器の電力消費選択が変化する限り、電力消費選択指示を基地局に送信してもよい。この場合、ステップＳ２０で、ユーザ機器の電力消費選択が低電力消費に変更されたとき、ユーザ機器が、低電力消費選択指示の送信を制限するために使用される第１のタイマが切れたかどうかを直接判定し、判定結果が肯定的である場合に、低電力消費選択指示を基地局に送信する。ステップＳ２２で、ユーザ機器の電力消費選択が高電力消費に変更されたとき、ユーザ機器が、高電力消費選択指示の送信を制限するために使用される第２のタイマが切れたかどうかを直接判定し、判定結果が肯定的である場合に、高電力消費選択指示を基地局に送信する。
【０１１５】
幾つかの実現可能な実装方式では、場合によっては、ステップＳ２０での第１のタイマが切れたかどうかの判定結果が否定的であるとき、即ち、第１のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、ユーザ機器のＡＳは「電力選択指示」の送信が制限されると上位層に通知してもよく、対応する第１のタイマが切れた後、ユーザ機器のＡＳはさらに、送信が制限されていないと上位層に通知してもよい。しかし、当該ＡＳの上位層が当該非制限指示を受信した後、ユーザ機器が依然として低電力消費選択指示を送信する必要があると上位層が判定した場合には、アクセス層ＡＳに通知してもよい。そうでなく、ユーザ機器が低電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、ユーザ機器が動作を実施しなくともよい。
【０１１６】
幾つかの実現可能な諸実施形態では、場合によっては、ステップＳ２２での第２のタイマが切れたかどうかの判定結果が否定的である、即ち、第２のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、ユーザ機器のＡＳは「電力選択指示」の送信が制限されると当該上位層に通知してもよい。第２のタイマが切れた後は、ユーザ機器のＡＳはさらに、送信が制限されていないと上位層に通知してもよい。しかし、当該ＡＳの上位層が当該非制限指示を受信した後、ユーザ機器が依然として高電力消費選択指示を送信する必要があると当該上位層が判定した場合には、アクセス層ＡＳに通知してもよい。そうでなく、ユーザ機器が高電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、ユーザ機器が動作を実施しなくともよい。
【０１１７】
幾つかの実現可能な実装方式では、第１のタイマと第２のタイマの長さをユーザ機器で予め設定してもよい。幾つかの実現可能な実装方式では、第１のタイマの長さと第２のタイマの長さを、無線リソース管理接続セットアップ・プロセスまたは無線リソース管理接続再構成プロセスにおいて、基地局によりユーザ機器に対して指定してもよい。幾つかの実現可能な実装方式では、第１のタイマの長さは第２のタイマの長さ以上である。
【０１１８】
幾つかの実現可能な実装方式では、場合によっては、ユーザ機器が低電力消費選択指示を基地局に送信するかまたは高電力消費選択指示を基地局に送信した後、基地局は無線リソース・パラメータ構成をユーザ機器に対して現在更新できるかどうかを判定してもよく、判定結果が否定的である場合には、基地局は低電力消費選択指示に応答しないか、または、基地局は高電力消費選択指示に応答しない。
【０１１９】
幾つかの実現可能な実装方式では、場合によっては、ユーザ機器が低電力消費選択指示を基地局に送信した後、基地局は無線リソース・パラメータ構成をユーザ機器に対して現在更新できるかどうかを判定し、判定結果が否定的である場合には、基地局は低電力消費選択指示に応答しない。
【０１２０】
上から分かるように、本発明の幾つかの実現可能な実装方式では、第１のタイマを使用してユーザ機器による低電力消費選択指示の送信を制限し、第２のタイマを使用して高電力消費選択指示の送信を制限する。それによりユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。さらに、本発明の当該実施形態では、ネットワーク側の第６のタイマにより制御される第４のタイマが、ユーザ機器が低電力消費選択に入るかどうかを制御し、当該ネットワーク側の第７のタイマにより制御される第５のタイマが高電力消費選択を制御する。したがって、当該ネットワーク側とユーザ機器の電力選択要件がより効果的に調整され、ユーザ機器が電力選択を最短時間で調節することが保証される。ネットワーク側のタイマとユーザ機器側のタイマの期間の衝突に起因して電力選択を適時に調節できないという欠点を効果的に解決することができる。さらに、本発明の当該実施形態では、第４のタイマおよび第５のタイマを、ユーザ機器により推定されるユーザ機器のアイドル状態の期間とともに使用してユーザ機器が低電力消費または高電力消費選択に入るかどうかを一緒に制御する。したがって、ユーザ機器の電力選択要件がより効果的に調整され、ユーザ機器が電力選択を最短時間で調節することが保証される。
【０１２１】
図３は、本発明に従うシグナリングを送信するための方法の第３の実施形態の略流れ図である。当該実施形態は第２の実施形態に基づく拡張である。図３に示すように、当該実施形態は以下を含んでもよい。
【０１２２】
ステップＳ３０で、ユーザ機器の電力消費選択が低電力消費に変更されたとき、低電力消費選択指示の送信を制限するために使用される第１のタイマが切れたかどうかを判定し、判定結果が肯定的である場合に、ステップＳ３１を実施する。
【０１２３】
ステップＳ３１で、ユーザ機器が低電力消費選択指示を基地局に送信する。ステップＳ３２で、ユーザ機器の電力消費選択が高電力消費に変更されたとき、高電力消費選択指示の送信を制限するために使用される第２のタイマが切れたかどうかを判定し、判定結果が肯定的である場合に、ステップＳ３３を実施する。ステップＳ３３で、ユーザ機器が高電力消費選択指示を基地局に送信する。ステップＳ３４で、ユーザ機器が第１のタイマまたは第２のタイマまたはその両方を開始する。
【０１２４】
幾つかの実現可能な実装方式では、ステップＳ３０およびステップＳ３２を任意の順序で行ってもよい。即ち、ユーザ機器の電力消費選択を最初に高電力消費に変更し、次いで低電力消費に変更する。ステップ３４とステップ３０、ステップ３１、ステップ３２、およびステップ３３の間のシーケンスは、ステップ３０、ステップ３１、ステップ３４、またはステップ３２、ステップ３３、ステップ３４である。即ち、ユーザ機器が電力消費選択指示を基地局に送信した後は常に、送信された電力消費選択指示が低電力消費選択指示であるか高電力消費選択指示であるかに関わらず、ステップ３４を実施する必要がある。
【０１２５】
幾つかの実現可能な実装方式では、ステップＳ３０の前に、当該方法はさらに、ユーザ機器の電力消費選択が低電力消費に変更されたかどうかを判定するプロセスを含んでもよい。当該プロセスは、ユーザ機器により第４のタイマを取得するステップと、ユーザ機器の第４のタイマが切れるか、または、ユーザ機器のアイドル状態の期間がユーザ機器の第４のタイマの長さ以上であるとユーザ機器が推定したとき、ユーザ機器の電力消費選択が低電力消費に変更されたと判定するステップを含んでもよい。
【０１２６】
幾つかの実現可能な実装方式では、ステップＳ３２の前に、当該方法はさらに、ユーザ機器の電力消費選択が高電力消費に変更されたかどうかを判定するプロセスを含んでもよい。当該プロセスは、ユーザ機器により第５のタイマを取得するステップと、ユーザ機器の第５のタイマが切れるか、または、ユーザ機器のアイドル状態の期間がユーザ機器の第５のタイマの長さ以下であるとユーザ機器が推定したとき、ユーザ機器の電力消費選択が高電力消費に変更されたと判定するステップを含んでもよい。
【０１２７】
幾つかの実現可能な実装方式では、ユーザ機器が第４のタイマを基地局から取得してもよく、ユーザ機器が第５のタイマを基地局から取得してもよい。第４のタイマまたは第５のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第４のタイマの長さは基地局における第６のタイマの長さ以下であり、第５のタイマの長さは基地局における第７のタイマの長さ以下である。第６のタイマは基地局で維持され基地局側により使用される、低電力消費をトリガするためのトリガであり、第７のタイマは基地局で維持され基地局側により使用される、高電力消費をトリガするためのトリガである。それにより、ユーザ機器が取得した第４のタイマが切れたとき、ユーザ機器の電力消費選択が低電力消費に変更されたと判定され、ユーザ機器が取得した第５のタイマが切れたとき、ユーザ機器の電力消費選択が高電力消費に変更されたと判定される。
【０１２８】
幾つかの実現可能な実装方式では、ユーザ機器が第６のタイマを基地局から取得してもよく、ユーザ機器が第７のタイマを基地局から取得してもよい。第６のタイマまたは第７のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、ユーザ機器が第６のタイマの長さと第７のタイマの長さを基地局から取得したとき、第４のタイマを第６のタイマに従ってユーザ機器において設定してもよく、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、ユーザ機器で設定された第４のタイマが切れたとき、ユーザ機器の電力消費選択が低電力消費に変更されたと判定され、ユーザ機器により設定した第５のタイマが切れたとき、ユーザ機器の電力消費選択が高電力消費に変更されたと判定される。
【０１２９】
幾つかの実現可能な実装方式では、ユーザ機器自体が、基地局から取得されたメッセージに従って第６のタイマの長さまたは第７のタイマまたはその両方を推定してもよい。例えば、ＵＥがデータ送受信動作を実施した後タイマを開始し、ＵＥが次のデータ送受信動作を実施した後に当該タイマを再開する。基地局が再構成メッセージまたはＲＲＣ接続解放メッセージをユーザ機器に配信すると仮定すると、ユーザ機器が、再構成メッセージまたはＲＲＣ接続解放メッセージの内容に従って、当該タイマの長さを第６のタイマの長さおよび第７のタイマの長さとして記録するかどうかを判定してもよい。例えば、再構成メッセージまたはＲＲＣ接続解放メッセージがハンドオーバ・コマンドであるか、または、新たな無線ベアラをセットアップするか、もしくは、元の無線ベアラを解放する等のために使用される場合には、ユーザ機器は当該タイマの長さを第６のタイマの長さおよび第７のタイマの長さとして記録せず、再構成メッセージまたはＲＲＣ接続解放メッセージがＤＲＸを構成するかまたはより多くの電力節約ＤＲＸを構成するために使用される場合には、ユーザ機器は当該タイマの長さを第６のタイマの長さと第７のタイマの長さとして記録する。
【０１３０】
具体的な実装では、ユーザ機器が第６のタイマの長さと第７のタイマの長さを記録するとき、第４のタイマを第６のタイマに従ってユーザ機器において設定してもよく、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、ユーザ機器で設定された第４のタイマが切れたとき、ユーザ機器の電力消費選択が低電力消費に変更されたと判定され、ユーザ機器により設定した第５のタイマが切れたとき、ユーザ機器の電力消費選択が高電力消費に変更されたと判定される。
【０１３１】
幾つかの実現可能な実装方式では、ユーザ機器が、複数の推定を実施することで、例えば、複数の推定結果を平均することで、または、最小値を用いることで、または、最大値を用いることで、第６のタイマの長さまたは第７のタイマまたはその両方を取得してもよい。各推定プロセスは上述の推定方法と同じでありここでは繰り返さない。これにより、第６のタイマまたは第７のタイマまたはその両方の取得した長さの精度が高まる。
【０１３２】
幾つかの実現可能な実装方式では、ユーザ機器がデータ送受信動作を完了しアイドル状態を入ったとき、ユーザ機器がユーザ機器のアイドル状態の期間、例えば、１０秒を推定してもよい（具体的な実装では、ユーザ機器が、ユーザ機器が送信または受信しているデータのサービス・タイプや現在のネットワーク条件のような因子に従ってユーザ機器のアイドル状態の期間を推定してもよい）。一方、ユーザ機器が、基地局から受信した第６のタイマに従って第４のタイマを設定してもよく、第６のタイマが８秒であると仮定すると、ユーザ機器が、第４のタイマを５秒に設定するか、または、基地局から直接第４のタイマ（例えば、１１秒）を受信してもよい。それにより、ユーザ機器のアイドル状態の期間（例えば、１０秒）がユーザ機器の第４のタイマの長さ（例えば、５秒）以上であるとユーザ機器が推定したとき、ユーザ機器の電力消費選択が低電力消費に変更されたと判定される。ユーザ機器のアイドル状態の期間（例えば、１０秒）がユーザ機器の第４のタイマの長さ（例えば、１１秒）より短いとユーザ機器が推定した場合には、選択が低電力消費に変更されたとの結論に達することはできない。第５のタイマはそれと同様でありここでは繰り返さない。
【０１３３】
具体的な実装では、本発明の当該実施形態における、ユーザ機器の電力消費選択が低電力消費に変更されたと判定するステップ、またはユーザ機器の電力消費選択が高電力消費に変更されたと判定するステップ、またはその両方の上述のプロセスが図３に示すプロセスと独立であってもよい。
【０１３４】
幾つかの実現可能な実装方式では、電力消費選択指示（「電力選択指示」。低電力消費選択指示と高電力消費選択指示を含む）の送信は、ユーザ機器の２つの有限状態に基づいて実施される。この場合、ユーザ機器は２つの状態、即ち、デフォルト状態（「ｄｅｆａｕｌｔ」状態）と低電力消費状態（「ｌｏｗｅｒ  ｐｏｗｅｒ  ｃｏｎｓｕｍｐｔｉｏｎ」状態）を有する。ユーザ機器が「デフォルト（ｄｅｆａｕｌｔ）」状態にあるとユーザ機器が判定したとき、ユーザ機器は、「低電力消費（ｌｏｗｅｒ  ｐｏｗｅｒ  ｃｏｎｓｕｍｐｔｉｏｎ）」選択指示を基地局（例えば、発展型ＮｏｄｅＢ  ｅＮＢ）に送信できるのみである。逆に、ユーザが「低電力消費」状態にあるとユーザが判定した場合には、ユーザは「デフォルト」状態（高電力消費）に戻るための選択指示を基地局に送信できるのみである。この場合、ステップＳ３０で、ユーザ機器の電力消費選択が低電力消費に変更されたとき、ユーザ機器は、ユーザ機器がデフォルト状態にあるかどうかを先ず判定し、判定結果が肯定的である場合、低電力消費選択指示の送信を制限するために使用される第１のタイマ（これを「Ｔ＿Ｄｅｆａｕｌｔ」と記録してもよい）が切れた（即ち、当該タイマが実行されていない）かどうかをさらに判定し、判定結果が肯定的である場合に、ステップＳ３１を実施する。ステップＳ３２で、ユーザ機器の電力消費選択が高電力消費に変更されたとき、ユーザ機器はユーザ機器が低電力消費状態にあるかどうかを判定し、判定結果が肯定的である場合に、高電力消費選択指示の送信を制限するために使用される第２のタイマ（これを「Ｔ＿ＬｏｗｅｒＰｏｗｅｒ」として記録してもよい）が切れたかどうかをさらに判定する。第２のタイマが切れた場合には、ユーザ機器が高電力消費選択指示を基地局に送信する。
【０１３５】
幾つかの実現可能な実装方式では、ユーザ機器によりユーザ機器の状態を判定するための方法が、ユーザ機器により、指定されたパラメータ長に従ってユーザ機器の状態を判定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定するステップを含んでもよい。例えば、ユーザ機器が、不連続受信サイクル（ＤＲＸサイクル）の長さを用いてユーザ機器の状態を決定してもよい。ユーザ機器に対して現在構成されているＤＲＸサイクルの長さがアイドル（ＩＤＬＥ）状態にあるＤＲＸサイクルの長さより短いとき、ユーザ機器はユーザ機器が「デフォルト」状態にあると判定し、ユーザ機器に対して現在構成されているＤＲＸサイクルの長さがアイドル状態にあるＤＲＸサイクルの長さ以上であるとき、ユーザ機器はＵＥが「低電力消費」状態にあるとみなす。アイドル状態にあるＤＲＸサイクルの長さを上では「デフォルト」状態と「低電力消費」状態を区別するための閾値として使用しているが、これは例にすぎない。具体的な実装では、他のパラメータの長さを、判定を実行するための閾値として使用してもよい。それにより、ステップＳ３０で、ユーザ機器が「デフォルト」状態に対応するＤＲＸサイクルの長さを使用しているとき、即ち、ユーザ機器が「デフォルト」状態にあるとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。ステップＳ３２で、ユーザ機器が「低電力消費」状態に対応するＤＲＸサイクルの長さを使用しているとき、即ち、ユーザ機器が「低電力消費」状態にあるとき、ユーザ機器の電力選択が変化しユーザ機器が高性能、即ち、高電力消費を期待する場合には、ユーザ機器は「電力選択指示」を基地局に送信し、「デフォルト」状態に対応するＤＲＸパラメータ構成の使用を要求する。
【０１３６】
幾つかの実現可能な実装方式では、ユーザ機器によるユーザ機器の状態を決定するための方法は、ユーザ機器により、ユーザ機器に対して基地局により構成された不連続受信ＤＲＸパラメータに従ってユーザ機器の状態を判定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含んでもよい。
【０１３７】
幾つかの実現可能な実装方式では、基地局が、ユーザ機器に対するデフォルト状態に対応する不連続受信ＤＲＸパラメータおよび低電力消費状態に対応する不連続受信ＤＲＸパラメータを同時に構成してもよく、当該パラメータに対応する状態をユーザに明示的または暗黙的に通知してもよい。あるいは、基地局が、ユーザ機器に対して１組のＤＲＸパラメータのみを毎回構成し、当該ＤＲＸパラメータに対応する状態を明示的に示してもよい。例えば、基地局が、無線リソース管理ＲＲＣ接続を構成するときユーザ機器に対して２組の異なるＤＲＸパラメータを構成してもよい。さらに、基地局が、ＵＥがＲＲＣ接続状態に入ったときにどの組のＤＲＸパラメータを使用するか（「デフォルト」に対応するＤＲＸパラメータを使用するか、または、「低電力消費」に対応するＤＲＸパラメータを使用する）、即ち、ＵＥがどの状態にあるかを明示的に示してもよく、または、デフォルトで、ユーザ機器が、ＲＲＣ接続状態に入ったとき「デフォルト」状態に直接入り、「デフォルト」状態に対応するＤＲＸパラメータを使用すると示してもよく、または、デフォルトで、ユーザ機器が、ＲＲＣ接続状態に入ったとき「低電力消費」状態に直接入り、「低電力消費」状態に対応するＤＲＸパラメータを使用すると示してもよい。別の例として、基地局がＲＲＣ接続再構成プロセスで当該構成を実施してもよい。即ち、基地局は、ＲＲＣ接続再構成プロセスでユーザ機器に対して２組の異なるＤＲＸパラメータを構成する。したがって、基地局が、ＲＲＣ接続再構成プロセスの後にどの組のＤＲＸパラメータがユーザ機器により使用されるか、即ち、ユーザ機器がどの状態にあるかを示してもよい。別の例として、基地局がユーザ機器の状態を暗黙的に示す。通常は、現在使用されているＤＲＸパラメータを決定することでユーザ機器がユーザ機器の状態を決定する。即ち、基地局により新たに構成された２組のＤＲＸパラメータのうち一方の組がユーザ機器により現在使用されているＤＲＸパラメータと同じであることをユーザ機器が発見した場合には、ＵＥは、当該１組のＤＲＸパラメータに対応する状態を使用することで、再構成の後のＵＥの状態を決定する。それにより、ステップＳ３１０で、ユーザ機器が「デフォルト」状態に対応するＤＲＸパラメータを使用しているとき、即ち、ユーザ機器が「デフォルト」状態にあるとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。ステップＳ３２で、ユーザ機器が「低電力消費」状態に対応するＤＲＸパラメータを使用しているとき、即ち、ユーザ機器が「低電力消費」状態にあるとき、ユーザ機器の電力選択が変化しユーザ機器が高性能、即ち、高電力消費を期待する場合には、第２のタイマが切れたことを前提に、ユーザ機器は「電力選択指示」を基地局に送信し、「デフォルト」状態に対応するＤＲＸパラメータ構成の使用を要求する。
【０１３８】
幾つかの実現可能な実装方式では、電力消費選択指示（「電力選択指示」。低電力消費選択指示と高電力消費選択指示を含む）の送信をユーザ機器の状態により制限しなくともよい。即ち、ユーザ機器の電力消費選択が変化する限り、電力消費選択指示を基地局に送信してもよい。この場合、ステップＳ３０で、ユーザ機器の電力消費選択が低電力消費に変更されたとき、ユーザ機器が、低電力消費選択指示の送信を制限するために使用される第１のタイマが切れたかどうかを直接判定し、判定結果が肯定的である場合に、低電力消費選択指示を基地局に送信する。ステップＳ３２で、ユーザ機器の電力消費選択が高電力消費に変更されたとき、ユーザ機器が、高電力消費選択指示の送信を制限するために使用される第２のタイマが切れたかどうかを直接判定し、判定結果が肯定的である場合に、が高電力消費選択指示を基地局に送信する。
【０１３９】
幾つかの実現可能な実装方式では、場合によっては、ステップＳ３０での第１のタイマが切れたかどうかの判定結果が否定的であるとき、即ち、第１のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、ユーザ機器のＡＳは「電力選択指示」の送信が制限されると上位層に通知してもよく、対応する第１のタイマが切れた後、ユーザ機器のＡＳはさらに、送信が制限されていないと上位層に通知してもよい。しかし、当該ＡＳの上位層が当該非制限指示を受信した後、ユーザ機器が依然として低電力消費選択指示を送信する必要があると上位層が判定した場合には、アクセス層ＡＳに通知してもよい。そうでなく、ユーザ機器が低電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、ユーザ機器が動作を実施しなくともよい。
【０１４０】
幾つかの実現可能な諸実施形態では、場合によっては、ステップＳ３２での第２のタイマが切れたかどうかの判定結果が否定的である、即ち、第２のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、ユーザ機器のＡＳは「電力選択指示」の送信が制限されると当該上位層に通知してもよい。第２のタイマが切れた後は、ユーザ機器のＡＳはさらに、送信が制限されていないと上位層に通知してもよい。しかし、当該ＡＳの上位層が当該非制限指示を受信した後、ユーザ機器が依然として高電力消費選択指示を送信する必要があると当該上位層が判定した場合には、アクセス層ＡＳに通知してもよい。そうでなく、ユーザ機器が高電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、ユーザ機器が動作を実施しなくともよい。
【０１４１】
幾つかの実現可能な実装方式では、第１のタイマと第２のタイマの長さをユーザ機器で予め設定してもよい。幾つかの実現可能な実装方式では、第１のタイマの長さと第２のタイマの長さを、無線リソース管理接続セットアップ・プロセスまたは無線リソース管理接続再構成プロセスにおいて、基地局によりユーザ機器に対して指定してもよい。幾つかの実現可能な実装方式では、第１のタイマの長さは第２のタイマの長さ以上である。
【０１４２】
幾つかの実現可能な実装方式では、場合によっては、ユーザ機器が低電力消費選択指示を基地局に送信するかまたは高電力消費選択指示を基地局に送信した後、基地局は無線リソース・パラメータ構成をユーザ機器に対して現在更新できるかどうかを判定してもよく、判定結果が否定的である場合には、基地局は低電力消費選択指示に応答しないか、または、基地局は高電力消費選択指示に応答しない。
【０１４３】
幾つかの実現可能な実装方式では、場合によっては、ユーザ機器が低電力消費選択指示を基地局に送信した後、基地局は無線リソース・パラメータ構成をユーザ機器に対して現在更新できるかどうかを判定し、判定結果が否定的である場合には、基地局は低電力消費選択指示に応答しない。
【０１４４】
幾つかの実現可能な実装方式では、「ユーザ機器の電力消費選択が高電力消費に変更されたとき、高電力消費選択指示を基地局に送信する」ステップをを使用してステップＳ３２およびステップＳ３３を置き換えてもよい。この場合、ステップＳ３４を「ユーザ機器が第１のタイマを開始する」で置き換えてもよい。
【０１４５】
幾つかの実現可能な諸実施形態では、ユーザ機器が２つの有限状態を有するとき、即ち、ステップＳ３４で、ユーザ機器がデフォルト状態にあるとき、第１のタイマのみを開始してもよく、ユーザ機器が低電力消費状態にあるときは、第２のタイマのみを開始してもよい。ユーザ機器が第１のタイマのみを含む場合には、ユーザが低電力消費状態にあるとステップＳで判定されたとき、当該タイマを開始する必要はない。ユーザ機器が当該状態により制限されない場合には、ステップＳ３４で第１のタイマと第２のタイマを同時に開始してもよい。ユーザ機器が第１のタイマのみを含む場合には、第１のタイマのみをステップＳ３４で開始する。ユーザ機器が当該２つのタイマを同時に開始したとき、ユーザ機器が新たな電力消費選択の送信を要求し、送信条件が満たされたため送信が成功した場合には、当該２つのタイマのうち一方が依然として実行されている場合には、当該タイマが停止した後に第１のタイマと第２のタイマを同時に開始する必要がある。当該実施形態と以降の実施形態では、本発明における「開始する」は、初めて開始したこと、および、タイマがその後ゼロにクリアされた後に再開することを含む。
【０１４６】
幾つかの実現可能な実装方式では、場合によっては、ステップＳ３４を実施した後、ユーザ機器内の第１のタイマが切れたが、基地局が送信した無線リソース・パラメータ構成結果が受信されず、かつ、ユーザ機器の電力消費選択が再び低電力消費に変更されたとき、基地局が送信した無線リソース・パラメータ構成結果が受信されるまで、ユーザ機器が低電力消費選択指示を基地局に送信できない。
【０１４７】
幾つかの実現可能な実装方式では、場合によっては、ステップＳ３４を実施した後、ユーザ機器内の第２のタイマが切れたが、基地局が送信した無線リソース・パラメータ構成結果が受信されず、かつ、ユーザ機器の電力消費選択が再び高電力消費に変更されたとき、基地局が送信した無線リソース・パラメータ構成結果が受信されるまで、ユーザ機器が高電力消費選択指示を基地局に送信できない。
【０１４８】
幾つかの実現可能な実装方式では、場合によっては、ステップＳ３４を実施した後、ユーザ機器内の第１のタイマが切れておらず、基地局が送信した無線リソース・パラメータ構成結果が受信され、かつ、ユーザ機器の電力消費選択が再び低電力消費に変更されたとき、第１のタイマが切れるまで、ユーザ機器が低電力消費選択指示を基地局に送信できない。
【０１４９】
幾つかの実現可能な実装方式では、場合によっては、ステップＳ３４を実施した後、ユーザ機器内の第２のタイマが切れておらず、基地局が送信した無線リソース・パラメータ構成結果が受信され、かつ、ユーザ機器の電力消費選択が再び高電力消費に変更されたとき、第２のタイマが切れるまで、ユーザ機器が高電力消費選択指示を基地局に送信できない。
【０１５０】
上から分かるように、本発明の幾つかの実現可能な実装方式では、第１のタイマを使用してユーザ機器による低電力消費選択指示の送信を制限し、第２のタイマを使用して高電力消費選択指示の送信を制限する。それによりユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。さらに、本発明の当該実施形態では、ネットワーク側の第６のタイマにより制御される第４のタイマが、ユーザ機器が低電力消費選択に入るかどうかを制御し、当該ネットワーク側の第７のタイマにより制御される第５のタイマが高電力消費選択を制御する。したがって、当該ネットワーク側とユーザ機器の電力選択要件がより効果的に調整され、ユーザ機器が電力選択を最短時間で調節することが保証される。ネットワーク側のタイマとユーザ機器側のタイマの期間の衝突に起因して電力選択を適時に調節できないという欠点を効果的に解決することができる。さらに、本発明の当該実施形態では、第４のタイマおよび第５のタイマを、ユーザ機器により推定されるユーザ機器のアイドル状態の期間とともに使用してユーザ機器が低電力消費または高電力消費選択に入るかどうかを一緒に制御する。したがって、ユーザ機器の電力選択要件がより効果的に調整され、ユーザ機器が電力選択を最短時間で調節することが保証される。
【０１５１】
図４は本発明に従うシグナリングを送信するための方法の第４の実施形態の略流れ図である。当該実施形態は第２の実施形態に基づく拡張である。図４に示すように、当該実施形態は以下を含んでもよい。
【０１５２】
ステップＳ４０で、ユーザ機器の電力消費選択が低電力消費に変更されたとき、低電力消費選択指示の送信を制限するために使用される第１のタイマが切れたかどうかを判定し、判定結果が肯定的である場合に、ステップＳ４１を実施する。ステップＳ４１で、ユーザ機器が低電力消費選択指示を基地局に送信する。ステップＳ４２で、ユーザ機器の電力消費選択が高電力消費に変更されたとき、高電力消費選択指示の送信を制限するために使用される第２のタイマが切れたかどうかを判定し、判定結果が肯定的である場合に、ステップＳ４３を実施する。ステップＳ４３で、ユーザ機器が高電力消費選択指示を基地局に送信する。ステップＳ４４で、基地局が、受信した低電力消費選択指示または高電力消費選択指示に従ってユーザ機器に対して無線リソース・パラメータを構成する。ステップＳ４５で、ユーザ機器が、基地局が送信した無線リソース・パラメータ構成結果を受信する。ステップＳ４６で、ユーザ機器が第１のタイマまたは第２のタイマまたはその両方を開始する。
【０１５３】
幾つかの実現可能な実装方式では、ステップＳ４０およびステップＳ４２を任意の順序で行ってもよい。即ち、ユーザ機器の電力消費選択を最初に高電力消費に変更し、次いで低電力消費に変更する。ステップ４４乃至ステップ４６およびステップ４０、ステップ４１、ステップ４２、およびステップ４３の間のシーケンスは、ステップ４０、ステップ４１、ステップ４４乃至ステップ４６、またはステップ４２、ステップ４３、ステップ４４乃至ステップ４６である。即ち、ユーザ機器が、基地局が送信した無線リソース・パラメータ構成結果を受信した後は常に、送信された電力消費選択指示が低電力消費選択指示であるか高電力消費選択指示であるかに関わらず、ステップ４４乃至ステップ４６を実施する必要がある。
【０１５４】
幾つかの実現可能な実装方式では、ステップＳ４０の前に、当該方法はさらに、ユーザ機器の電力消費選択が低電力消費に変更されたかどうかを判定するプロセスを含んでもよい。当該プロセスは、ユーザ機器により第４のタイマを取得するステップと、ユーザ機器の第４のタイマが切れるか、または、ユーザ機器のアイドル状態の期間がユーザ機器の第４のタイマの長さ以上であるとユーザ機器が推定したとき、ユーザ機器の電力消費選択が低電力消費に変更されたと判定するステップを含んでもよい。
【０１５５】
幾つかの実現可能な実装方式では、ステップＳ４２の前に、当該方法はさらに、ユーザ機器の電力消費選択が高電力消費に変更されたかどうかを判定するプロセスを含んでもよい。当該プロセスは、ユーザ機器により第５のタイマを取得するステップと、ユーザ機器の第５のタイマが切れるか、または、ユーザ機器のアイドル状態の期間がユーザ機器の第５のタイマの長さ以下であるとユーザ機器が推定したとき、ユーザ機器の電力消費選択が高電力消費に変更されたと判定するステップを含んでもよい。
【０１５６】
幾つかの実現可能な実装方式では、ユーザ機器が第４のタイマを基地局から取得してもよく、ユーザ機器が第５のタイマを基地局から取得してもよい。第４のタイマまたは第５のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第４のタイマの長さは基地局における第６のタイマの長さ以下であり、第５のタイマの長さは基地局における第７のタイマの長さ以下である。第６のタイマは基地局で維持され基地局側により使用される、低電力消費をトリガするためのトリガであり、第７のタイマは基地局で維持され基地局側により使用される、高電力消費をトリガするためのトリガである。それにより、ユーザ機器が取得した第４のタイマが切れたとき、ユーザ機器の電力消費選択が低電力消費に変更されたと判定され、ユーザ機器が取得した第５のタイマが切れたとき、ユーザ機器の電力消費選択が高電力消費に変更されたと判定される。
【０１５７】
幾つかの実現可能な実装方式では、ユーザ機器が第６のタイマを基地局から取得してもよく、ユーザ機器が第７のタイマを基地局から取得してもよい。第６のタイマまたは第７のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、ユーザ機器が第６のタイマの長さと第７のタイマの長さを基地局から取得したとき、第４のタイマを第６のタイマに従ってユーザ機器において設定してもよく、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、ユーザ機器で設定された第４のタイマが切れたとき、ユーザ機器の電力消費選択が低電力消費に変更されたと判定され、ユーザ機器により設定した第５のタイマが切れたとき、ユーザ機器の電力消費選択が高電力消費に変更されたと判定される。
【０１５８】
幾つかの実現可能な実装方式では、ユーザ機器自体が、基地局から取得されたメッセージに従って第６のタイマの長さまたは第７のタイマまたはその両方を推定してもよい。例えば、ＵＥがデータ送受信動作を実施した後タイマを開始し、ＵＥが次のデータ送受信動作を実施した後に当該タイマを再開する。基地局が再構成メッセージまたはＲＲＣ接続解放メッセージをユーザ機器に配信すると仮定すると、ユーザ機器が、再構成メッセージまたはＲＲＣ接続解放メッセージの内容に従って、当該タイマの長さを第６のタイマの長さおよび第７のタイマの長さとして記録するかどうかを判定してもよい。例えば、再構成メッセージまたはＲＲＣ接続解放メッセージがハンドオーバ・コマンドであるか、または、新たな無線ベアラをセットアップするか、もしくは、元の無線ベアラを解放する等のために使用される場合には、ユーザ機器は当該タイマの長さを第６のタイマの長さおよび第７のタイマの長さとして記録せず、再構成メッセージまたはＲＲＣ接続解放メッセージがＤＲＸを構成するかまたはより多くの電力節約ＤＲＸを構成するために使用される場合には、ユーザ機器は当該タイマの長さを第６のタイマの長さと第７のタイマの長さとして記録する。
【０１５９】
具体的な実装では、ユーザ機器が第６のタイマの長さと第７のタイマの長さを記録するとき、第４のタイマを第６のタイマに従ってユーザ機器において設定してもよく、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、ユーザ機器で設定された第４のタイマが切れたとき、ユーザ機器の電力消費選択が低電力消費に変更されたと判定され、ユーザ機器により設定した第５のタイマが切れたとき、ユーザ機器の電力消費選択が高電力消費に変更されたと判定される。
【０１６０】
幾つかの実現可能な実装方式では、ユーザ機器が、複数の推定を実施することで、例えば、複数の推定結果を平均することで、または、最小値を用いることで、または、最大値を用いることで、第６のタイマの長さまたは第７のタイマまたはその両方を取得してもよい。各推定プロセスは上述の推定方法と同じでありここでは繰り返さない。これにより、第６のタイマまたは第７のタイマまたはその両方の取得した長さの精度が高まる。
【０１６１】
幾つかの実現可能な実装方式では、ユーザ機器がデータ送受信動作を完了しアイドル状態を入ったとき、ユーザ機器がユーザ機器のアイドル状態の期間、例えば、１０秒を推定してもよい（具体的な実装では、ユーザ機器が、ユーザ機器が送信または受信しているデータのサービス・タイプや現在のネットワーク条件のような因子に従ってユーザ機器のアイドル状態の期間を推定してもよい）。一方、ユーザ機器が、基地局から受信した第６のタイマに従って第４のタイマを設定してもよく、第６のタイマが８秒であると仮定すると、ユーザ機器が、第４のタイマを５秒に設定するか、または、基地局から直接第４のタイマ（例えば、１１秒）を受信してもよい。それにより、ユーザ機器のアイドル状態の期間（例えば、１０秒）がユーザ機器の第４のタイマの長さ（例えば、５秒）以上であるとユーザ機器が推定したとき、ユーザ機器の電力消費選択が低電力消費に変更されたと判定される。ユーザ機器のアイドル状態の期間（例えば、１０秒）がユーザ機器の第４のタイマの長さ（例えば、１１秒）より短いとユーザ機器が推定した場合には、選択が低電力消費に変更されたとの結論に達することはできない。第５のタイマはそれと同様でありここでは繰り返さない。
【０１６２】
具体的な実装では、本発明の当該実施形態における、ユーザ機器の電力消費選択が低電力消費に変更されたと判定するステップ、またはユーザ機器の電力消費選択が高電力消費に変更されたと判定するステップ、またはその両方の上述のプロセスが図４に示すプロセスと独立であってもよい。
【０１６３】
幾つかの実現可能な実装方式では、電力消費選択指示（「電力選択指示」。低電力消費選択指示と高電力消費選択指示を含む）の送信は、ユーザ機器の２つの有限状態に基づいて実施される。この場合、ユーザ機器は２つの状態、即ち、デフォルト状態（「ｄｅｆａｕｌｔ」状態）と低電力消費状態（「ｌｏｗｅｒ  ｐｏｗｅｒ  ｃｏｎｓｕｍｐｔｉｏｎ」状態）を有する。ユーザ機器が「デフォルト（ｄｅｆａｕｌｔ）」状態にあるとユーザ機器が判定したとき、ユーザ機器は、「低電力消費（ｌｏｗｅｒ  ｐｏｗｅｒ  ｃｏｎｓｕｍｐｔｉｏｎ）」選択指示を基地局（例えば、発展型ＮｏｄｅＢ  ｅＮＢ）に送信できるのみである。逆に、ユーザが「低電力消費」状態にあるとユーザが判定した場合には、ユーザは「デフォルト」状態（高電力消費）に戻るための選択指示を基地局に送信できるのみである。この場合、ステップＳ４０で、ユーザ機器の電力消費選択が低電力消費に変更されたとき、ユーザ機器は、ユーザ機器がデフォルト状態にあるかどうかを先ず判定し、判定結果が肯定的である場合、低電力消費選択指示の送信を制限するために使用される第１のタイマ（これを「Ｔ＿Ｄｅｆａｕｌｔ」と記録してもよい）が切れた（即ち、当該タイマが実行されていない）かどうかをさらに判定し、判定結果が肯定的である場合に、ステップＳ４１を実施する。ステップＳ４２で、ユーザ機器の電力消費選択が高電力消費に変更されたとき、ユーザ機器はユーザ機器が低電力消費状態にあるかどうかを判定し、判定結果が肯定的である場合に、高電力消費選択指示の送信を制限するために使用される第２のタイマ（これを「Ｔ＿ＬｏｗｅｒＰｏｗｅｒ」として記録してもよい）が切れたかどうかをさらに判定する。第２のタイマが切れた場合には、ユーザ機器が高電力消費選択指示を基地局に送信する。
【０１６４】
幾つかの実現可能な実装方式では、ユーザ機器によりユーザ機器の状態を判定するための方法は、ユーザ機器により、指定されたパラメータ長に従ってユーザ機器の状態を判定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定するステップを含んでもよい。例えば、ユーザ機器が、不連続受信サイクル（ＤＲＸサイクル）の長さを用いてユーザ機器の状態を決定してもよい。ユーザ機器に対して現在構成されているＤＲＸサイクルの長さがアイドル（ＩＤＬＥ）状態にあるＤＲＸサイクルの長さより短いとき、ユーザ機器はユーザ機器が「デフォルト」状態にあると判定し、ユーザ機器に対して現在構成されているＤＲＸサイクルの長さがアイドル状態にあるＤＲＸサイクルの長さ以上であるとき、ユーザ機器はＵＥが「低電力消費」状態にあるとみなす。アイドル状態にあるＤＲＸサイクルの長さを上では「デフォルト」状態と「低電力消費」状態を区別するための閾値として使用しているが、これは例にすぎない。具体的な実装では、他のパラメータの長さを、判定を実行するための閾値として使用してもよい。それにより、ステップＳ４０で、ユーザ機器が「デフォルト」状態に対応するＤＲＸサイクルの長さを使用しているとき、即ち、ユーザ機器が「デフォルト」状態にあるとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。ステップＳ４２で、ユーザ機器が「低電力消費」状態に対応するＤＲＸサイクルの長さを使用しているとき、即ち、ユーザ機器が「低電力消費」状態にあるとき、ユーザ機器の電力選択が変化しユーザ機器が高性能、即ち、高電力消費を期待する場合には、ユーザ機器は「電力選択指示」を基地局に送信し、「デフォルト」状態に対応するＤＲＸパラメータ構成の使用を要求する。
【０１６５】
幾つかの実現可能な実装方式では、ユーザ機器によるユーザ機器の状態を決定するための方法は、ユーザ機器により、ユーザ機器に対して基地局により構成された不連続受信ＤＲＸパラメータに従ってユーザ機器の状態を判定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含んでもよい。
【０１６６】
幾つかの実現可能な実装方式では、基地局が、ユーザ機器に対するデフォルト状態に対応する不連続受信ＤＲＸパラメータおよび低電力消費状態に対応する不連続受信ＤＲＸパラメータを同時に構成してもよく、当該パラメータに対応する状態をユーザに明示的または暗黙的に通知してもよい。あるいは、基地局が、ユーザ機器に対して１組のＤＲＸパラメータのみを毎回構成し、当該ＤＲＸパラメータに対応する状態を明示的に示してもよい。例えば、基地局が、無線リソース管理ＲＲＣ接続を構成するときユーザ機器に対して２組の異なるＤＲＸパラメータを構成してもよい。さらに、基地局が、ＵＥがＲＲＣ接続状態に入ったときにどの組のＤＲＸパラメータを使用するか（「デフォルト」に対応するＤＲＸパラメータを使用するか、または、「低電力消費」に対応するＤＲＸパラメータを使用する）、即ち、ＵＥがどの状態にあるかを明示的に示してもよく、または、デフォルトで、ユーザ機器が、ＲＲＣ接続状態に入ったとき「デフォルト」状態に直接入り、「デフォルト」状態に対応するＤＲＸパラメータを使用すると示してもよく、または、デフォルトで、ユーザ機器が、ＲＲＣ接続状態に入ったとき「低電力消費」状態に直接入り、「低電力消費」状態に対応するＤＲＸパラメータを使用すると示してもよい。別の例として、基地局がＲＲＣ接続再構成プロセスで当該構成を実施してもよい。即ち、基地局は、ＲＲＣ接続再構成プロセスでユーザ機器に対して２組の異なるＤＲＸパラメータを構成する。したがって、基地局が、ＲＲＣ接続再構成プロセスの後にどの組のＤＲＸパラメータがユーザ機器により使用されるか、即ち、ユーザ機器がどの状態にあるかを示してもよい。別の例として、基地局がユーザ機器の状態を暗黙的に示す。通常は、現在使用されているＤＲＸパラメータを決定することでユーザ機器がユーザ機器の状態を決定する。即ち、基地局により新たに構成された２組のＤＲＸパラメータのうち一方の組がユーザ機器により現在使用されているＤＲＸパラメータと同じであることをユーザ機器が発見した場合には、ＵＥは、当該１組のＤＲＸパラメータに対応する状態を使用することで、再構成の後のＵＥの状態を決定する。それにより、ステップＳ４０で、ユーザ機器が「デフォルト」状態に対応するＤＲＸパラメータを使用しているとき、即ち、ユーザ機器が「デフォルト」状態にあるとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。ステップＳ４２で、ユーザ機器が「低電力消費」状態に対応するＤＲＸパラメータを使用しているとき、即ち、ユーザ機器が「低電力消費」状態にあるとき、ユーザ機器の電力選択が変化しユーザ機器が高性能、即ち、高電力消費を期待する場合には、第２のタイマが切れたことを前提に、ユーザ機器は「電力選択指示」を基地局に送信し、「デフォルト」状態に対応するＤＲＸパラメータ構成の使用を要求する。
【０１６７】
幾つかの実現可能な実装方式では、電力消費選択指示（「電力選択指示」。低電力消費選択指示と高電力消費選択指示を含む）の送信をユーザ機器の状態により制限しなくともよい。即ち、ユーザ機器の電力消費選択が変化する限り、電力消費選択指示を基地局に送信してもよい。この場合、ステップＳ４０で、ユーザ機器の電力消費選択が低電力消費に変更されたとき、ユーザ機器が、低電力消費選択指示の送信を制限するために使用される第１のタイマが切れたかどうかを直接判定し、判定結果が肯定的である場合に、低電力消費選択指示を基地局に送信する。ステップＳ４２で、ユーザ機器の電力消費選択が高電力消費に変更されたとき、ユーザ機器が、高電力消費選択指示の送信を制限するために使用される第２のタイマが切れたかどうかを直接判定し、判定結果が肯定的である場合に、が高電力消費選択指示を基地局に送信する。
【０１６８】
幾つかの実現可能な実装方式では、場合によっては、ステップＳ４０での第１のタイマが切れたかどうかの判定結果が否定的であるとき、即ち、第１のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、ユーザ機器のＡＳは「電力選択指示」の送信が制限されると上位層に通知してもよく、対応する第１のタイマが切れた後、ユーザ機器のＡＳはさらに、送信が制限されていないと上位層に通知してもよい。しかし、当該ＡＳの上位層が当該非制限指示を受信した後、ユーザ機器が依然として低電力消費選択指示を送信する必要があると上位層が判定した場合には、アクセス層ＡＳに通知してもよい。そうでなく、ユーザ機器が低電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、ユーザ機器が動作を実施しなくともよい。
【０１６９】
幾つかの実現可能な諸実施形態では、場合によっては、ステップＳ４２での第２のタイマが切れたかどうかの判定結果が否定的である、即ち、第２のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、ユーザ機器のＡＳは「電力選択指示」の送信が制限されると当該上位層に通知してもよい。第２のタイマが切れた後は、ユーザ機器のＡＳはさらに、送信が制限されていないと上位層に通知してもよい。しかし、当該ＡＳの上位層が当該非制限指示を受信した後、ユーザ機器が依然として高電力消費選択指示を送信する必要があると当該上位層が判定した場合には、アクセス層ＡＳに通知してもよい。そうでなく、ユーザ機器が高電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、ユーザ機器が動作を実施しなくともよい。
【０１７０】
幾つかの実現可能な実装方式では、ステップＳ４４で、基地局が低電力消費選択指示を受信した後、基地局が、低電力消費（「ｌｏｗｅｒ  ｐｏｗｅｒ  ｃｏｎｓｕｍｐｔｉｏｎ」）状態および（ＣＱＩ、Ｓｏｕｎｄｉｎｇのような）物理層パラメータに対応するＤＲＸパラメータをユーザ機器に対して構成する。通常は以下のように行われるかもしれない。
【０１７１】
ＲＲＣ接続再構成の最中に、基地局が、ユーザ機器に対して２組の不連続受信ＤＲＸパラメータを構成し、ユーザ機器が無線リソース管理接続を実施したとき、「低電力消費」に対応するＤＲＸパラメータを使用するようにユーザ機器に指示し、基地局が、当該２組の不連続受信ＤＲＸパラメータに従ってユーザ機器に対して２組の物理層パラメータを構成し、ユーザ機器が無線リソース管理接続を実施したとき、「低電力消費」に対応するＤＲＸパラメータに対応する物理層パラメータを使用するようにユーザ機器に指示する。
【０１７２】
幾つかの実現可能な実装方式では、ステップＳ４４で、基地局が高電力消費選択指示を受信した後、基地局が、高電力消費（「デフォルト」）状態および（ＣＱＩ、Ｓｏｕｎｄｉｎｇのような）物理層パラメータに対応するＤＲＸパラメータをユーザ機器に対して構成する。通常は以下のように行われるかもしれない。
【０１７３】
ＲＲＣ接続再構成の最中に、基地局が、ユーザ機器に対して２組の不連続受信ＤＲＸパラメータを構成し、ユーザ機器が無線リソース管理接続を実施したとき、「デフォルト」に対応するＤＲＸパラメータを使用するようにユーザ機器に指示する。基地局が、当該２組の不連続受信ＤＲＸパラメータに従ってユーザ機器に対して２組の物理層パラメータを構成し、ユーザ機器が無線リソース管理接続を実施したとき、「デフォルト」に対応するＤＲＸパラメータに対応する物理層パラメータを使用するようにユーザ機器に指示する。
【０１７４】
幾つかの実現可能な実装方式では、基地局によりＤＲＸパラメータを設定するステップは当該ＤＲＸサイクルの長さを設定するステップを含む。低電力消費選択指示を受信した後、基地局が、当該ＤＲＸサイクルの長さを、アイドル状態にあるＤＲＸサイクルの長さより短く設定してもよい。高電力消費選択指示を受信した後、基地局が、当該ＤＲＸサイクルの長さを、アイドル状態にあるＤＲＸサイクルの長さを超えない長さに設定してもよい。
【０１７５】
幾つかの実現可能な諸実施形態では、ユーザ機器が、ユーザ機器の現在状態を決定することで、使用されているＤＲＸパラメータを暗黙的に決定してもよい。即ち、ユーザ機器が現在「デフォルト」状態にあるとき、基地局が必ずしも当該状態を変更するようにユーザ機器に指示しない場合には、ユーザ機器は「デフォルト」状態に対応する新たなＤＲＸパラメータを使用し、そうでない場合には、ユーザ機器が現在「低電力消費」状態にあるとき、基地局が必ずしも当該状態を変更するようにユーザ機器に指示しない場合には、ユーザ機器は「低電力消費」状態に対応する新たなＤＲＸパラメータを使用する。
【０１７６】
幾つかの実現可能な実装方式では、第１のタイマと第２のタイマの長さをユーザ機器で予め設定してもよい。幾つかの実現可能な実装方式では、第１のタイマの長さと第２のタイマの長さを、無線リソース管理接続セットアップ・プロセスまたは無線リソース管理接続再構成プロセスにおいて、基地局によりユーザ機器に対して指定してもよい。幾つかの実現可能な実装方式では、第１のタイマの長さは第２のタイマの長さ以上である。
【０１７７】
幾つかの実現可能な実装方式では、場合によっては、ユーザ機器が低電力消費選択指示を基地局に送信するかまたは高電力消費選択指示を基地局に送信した後、基地局は無線リソース・パラメータ構成をユーザ機器に対して現在更新できるかどうかを判定してもよく、判定結果が否定的である場合には、基地局は低電力消費選択指示に応答しないか、または、基地局は高電力消費選択指示に応答しない。
【０１７８】
幾つかの実現可能な実装方式では、場合によっては、ユーザ機器が低電力消費選択指示を基地局に送信した後、基地局は無線リソース・パラメータ構成をユーザ機器に対して現在更新できるかどうかを判定し、判定結果が否定的である場合には、基地局は低電力消費選択指示に応答しない。
【０１７９】
幾つかの実現可能な実装方式では、「ユーザ機器の電力消費選択が高電力消費に変更されたとき、高電力消費選択指示を基地局に送信する」ステップを使用してステップＳ４２およびステップＳ４３を置き換えてもよい。この場合、ステップＳ４６を「ユーザ機器が第１のタイマを開始する」で置き換えてもよい。
【０１８０】
幾つかの実現可能な諸実施形態では、ユーザ機器が２つの有限状態を有する、即ち、ステップＳ４６で、ユーザ機器がデフォルト状態にあるとき、第１のタイマのみを開始してもよく、ユーザ機器が低電力消費状態にあるときは、第２のタイマのみを開始してもよい。ユーザ機器が第１のタイマのみを含む場合には、ユーザが低電力消費状態にあるとステップＳ４６で判定されたとき、当該タイマを開始する必要はない。ユーザ機器が当該状態により制限されない場合には、ステップＳ４６で第１のタイマと第２のタイマを同時に開始してもよく、ユーザ機器が第１のタイマのみを含む場合には、第１のタイマのみをステップＳ４６で開始する。ユーザ機器が当該２つのタイマを同時に開始したとき、ユーザ機器が新たな電力消費選択の送信を要求し、送信条件が満たされたため送信が成功した場合には、当該２つのタイマのうち一方が依然として実行されている場合には、当該タイマが停止した後に第１のタイマと第２のタイマを同時に開始する必要がある。
【０１８１】
上から分かるように、本発明の幾つかの実現可能な実装方式では、第１のタイマを使用してユーザ機器による低電力消費選択指示の送信を制限し、第２のタイマを使用して高電力消費選択指示の送信を制限する。それによりユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。さらに、本発明の当該実施形態では、ネットワーク側の第６のタイマにより制御される第４のタイマが、ユーザ機器が低電力消費選択に入るかどうかを制御し、当該ネットワーク側の第７のタイマにより制御される第５のタイマが高電力消費選択を制御する。したがって、当該ネットワーク側とユーザ機器の電力選択要件がより効果的に調整され、ユーザ機器が電力選択を最短時間で調節することが保証される。ネットワーク側のタイマとユーザ機器側のタイマの期間の衝突に起因して電力選択を適時に調節できないという欠点を効果的に解決することができる。さらに、本発明の当該実施形態では、第４のタイマおよび第５のタイマを、ユーザ機器により推定されるユーザ機器のアイドル状態の期間とともに使用してユーザ機器が低電力消費または高電力消費選択に入るかどうかを一緒に制御する。したがって、ユーザ機器の電力選択要件がより効果的に調整され、ユーザ機器が電力選択を最短時間で調節することが保証される。
【０１８２】
本発明の方法の諸実施形態の各解決策をより良く実現するために、本発明の諸実施形態ではさらに関連装置を提供する。
【０１８３】
図５は、本発明の方法の実施形態を実装するために使用できるユーザ機器の第１の実施形態の略構造図である。図５に示すように、本発明のユーザ機器は、指示送信モジュール７００、第１の制御モジュール７０１、および第２の制御モジュール７０２を備えてもよい。
【０１８４】
指示送信モジュール７００は、電力消費選択指示を基地局に送信するように構成される。当該電力消費選択指示は低電力消費選択指示または高電力消費選択指示を含む。
【０１８５】
第１の制御モジュール７０１は、ユーザ機器の電力消費選択が低電力消費に変更されたとき、低電力消費選択指示の送信を制限するために使用される第１のタイマが切れたかどうかを判定し、判定結果が肯定的である場合に、低電力消費選択指示を基地局に送信するように指示送信モジュール７００に通知するように構成される。
【０１８６】
第２の制御モジュール７０２は、ユーザ機器の電力消費選択が高電力消費に変更されたとき、高電力消費選択指示を基地局に送信するよう指示送信モジュールに通知するように構成される。
【０１８７】
幾つかの実現可能な実装方式では、電力消費選択指示（「電力選択指示」。低電力消費選択指示と高電力消費選択指示を含む）の送信をユーザ機器の２つの有限状態に基づいて実施してもよい。この場合、ユーザ機器は２つの状態、即ち、デフォルト状態（「ｄｅｆａｕｌｔ」状態）と低電力消費状態（「ｌｏｗｅｒ  ｐｏｗｅｒ  ｃｏｎｓｕｍｐｔｉｏｎ」状態）を有する。ユーザ機器が「デフォルト（ｄｅｆａｕｌｔ）」状態にあるとユーザ機器が判定したとき、ユーザ機器は、「低電力消費（ｌｏｗｅｒ  ｐｏｗｅｒ  ｃｏｎｓｕｍｐｔｉｏｎ）」選択指示を基地局（例えば、発展型ＮｏｄｅＢ  ｅＮＢ）に送信できるのみである。逆に、ユーザが「低電力消費」状態にあるとユーザが判定した場合には、ユーザは「デフォルト」状態（高電力消費）に戻るための選択指示を基地局に送信できるのみである。この場合、場合によっては、本発明のユーザ機器はさらに、ユーザ機器の状態を判定するように構成された状態判定モジュール７０４を備える。第１の制御モジュール７０１は、ユーザ機器の電力消費選択が低電力消費に変更され、ユーザ機器がデフォルト状態にあると状態判定モジュール７０４が示すとき、低電力消費選択指示の送信を制限するために使用される第１のタイマ（これを「Ｔ＿Ｄｅｆａｕｌｔ」と記録してもよい）が切れた（即ち、当該タイマが実行されていない）かどうかを判定し、判定結果が肯定的である場合に、低電力消費選択指示を基地局に送信するように指示送信モジュール７００に通知する。第２の制御モジュール７０２は、ユーザ機器の電力消費選択が高電力消費に変更され、ユーザ機器が低電力消費状態にあると状態判定モジュール７０４が示すとき、高電力消費指示を基地局に送信するように指示送信モジュール７００に通知する。
【０１８８】
幾つかの実現可能な実装方式では、状態判定モジュール７０４によりユーザ機器の状態を決定するための方法は、状態判定モジュール７０４により、指定されたパラメータ長に従ってユーザ機器の状態を決定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定するステップを含んでもよい。例えば、状態判定モジュール７０４が、ユーザ機器における不連続受信サイクル（ＤＲＸサイクル）の長さを用いることでユーザ機器の状態を決定してもよい。ユーザ機器に対して現在構成されているＤＲＸサイクルの長さがアイドル（ＩＤＬＥ）状態にあるＤＲＸサイクルの長さより短いとき、状態判定モジュール７０４はユーザ機器が「デフォルト」状態にあると判定し、ユーザ機器に対して現在構成されているＤＲＸサイクルの長さがアイドル状態にあるＤＲＸサイクルの長さ以上であるとき、状態判定モジュール７０４はＵＥが「低電力消費」状態にあるとみなす。アイドル状態にあるＤＲＸサイクルの長さを上では「デフォルト」状態と「低電力消費」状態を区別するための閾値として使用しているが、これは例にすぎない。具体的な実装では、他のパラメータの長さを、判定を実行するための閾値として使用してもよい。それにより、状態判定モジュール７０４が、ユーザ機器が「デフォルト」状態に対応するＤＲＸサイクルの長さを使用していると判定した、即ち、ユーザ機器が「デフォルト」状態にあると判定したとき、ユーザ機器の電力選択が変化しユーザ機器が低電力消費を期待する場合には、第１のタイマが切れたことを前提に、指示送信モジュール７００は「電力選択指示」を基地局に送信して、「低電力消費」状態に対応するＤＲＸパラメータ構成を使用することを要求してもよい。状態判定モジュール７０４が、ユーザ機器が「低電力消費」状態に対応するＤＲＸサイクルの長さを使用している、即ち、ユーザ機器が「低電力消費」状態にあると判定したとき、ユーザ機器の電力選択が変化しユーザ機器が高性能、即ち、高電力消費を期待する場合には、指示送信モジュール７００は「電力選択指示」を基地局に送信して、「デフォルト」状態に対応するＤＲＸパラメータ構成の使用を要求してもよい。
【０１８９】
幾つかの実現可能な実装方式では、状態判定モジュール７０４によるユーザ機器の状態を決定するための方法が、状態判定モジュール７０４により、ユーザ機器に対して基地局により構成された不連続受信ＤＲＸパラメータに従ってユーザ機器の状態を判定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含んでもよい。
【０１９０】
幾つかの実現可能な実装方式では、基地局が、ユーザ機器に対するデフォルト状態に対応する不連続受信ＤＲＸパラメータおよび低電力消費状態に対応する不連続受信ＤＲＸパラメータを同時に構成してもよく、当該パラメータに対応する状態をユーザに明示的または暗黙的に通知してもよい。あるいは、基地局が、ユーザ機器に対して１組のＤＲＸパラメータのみを毎回構成し、当該ＤＲＸパラメータに対応する状態を明示的に示してもよい。例えば、基地局が、無線リソース管理ＲＲＣ接続を構成するときユーザ機器に対して２組の異なるＤＲＸパラメータを構成してもよい。さらに、基地局が、ＵＥがＲＲＣ接続状態に入ったときにどの組のＤＲＸパラメータを使用するか（「デフォルト」に対応するＤＲＸパラメータを使用するか、または、「低電力消費」に対応するＤＲＸパラメータを使用する）、即ち、ＵＥがどの状態にあるかを明示的に示してもよく、または、デフォルトで、ユーザ機器が、ＲＲＣ接続状態に入ったとき「デフォルト」状態に直接入り、「デフォルト」状態に対応するＤＲＸパラメータを使用すると示してもよく、または、デフォルトで、ユーザ機器が、ＲＲＣ接続状態に入ったとき「低電力消費」状態に直接入り、「低電力消費」状態に対応するＤＲＸパラメータを使用すると示してもよい。別の例として、基地局がＲＲＣ接続再構成プロセスで当該構成を実施してもよい。即ち、基地局は、ＲＲＣ接続再構成プロセスでユーザ機器に対して２組の異なるＤＲＸパラメータを構成する。したがって、基地局が、ＲＲＣ接続再構成プロセスの後にどの組のＤＲＸパラメータがユーザ機器により使用されるか、即ち、ユーザ機器がどの状態にあるかを示してもよい。別の例として、基地局がユーザ機器の状態を暗黙的に示す。通常は、現在使用されているＤＲＸパラメータを決定することでユーザ機器がユーザ機器の状態を決定する。即ち、基地局により新たに構成された２組のＤＲＸパラメータのうち一方の組がユーザ機器により現在使用されているＤＲＸパラメータと同じであることをユーザ機器が発見した場合には、ＵＥは、当該１組のＤＲＸパラメータに対応する状態を使用することで、再構成の後のＵＥの状態を決定する。それにより、状態判定モジュール７０４が、ユーザ機器が「デフォルト」状態に対応するＤＲＸパラメータを使用している、即ち、ユーザ機器が「デフォルト」状態にあると判定したとき、ユーザ機器の電力選択が変化しユーザ機器が低電力消費を期待する場合には、第１のタイマが切れたことを前提に、ユーザ機器は「電力選択指示」を基地局に送信して、「低電力消費」状態に対応するＤＲＸパラメータ構成を使用することを要求してもよい。状態判定モジュール７０４が、ユーザ機器が「低電力消費」状態に対応するＤＲＸパラメータを使用している、即ち、ユーザ機器が「低電力消費」状態にあると判定したとき、ユーザ機器の電力選択が変化しユーザ機器が高性能、即ち、高電力消費を期待する場合には、ユーザ機器は「電力選択指示」を基地局に送信して、「デフォルト」状態に対応するＤＲＸパラメータ構成の使用を要求してもよい。
【０１９１】
幾つかの実現可能な実装方式では、電力消費選択指示（「電力選択指示」。低電力消費選択指示と高電力消費選択指示を含む）の送信をユーザ機器の状態により制限しなくともよい。即ち、ユーザ機器の電力消費選択が変化する限り、電力消費選択指示を基地局に送信してもよい。この場合、ユーザ機器は状態判定モジュール７０４を備えなくともよい。ユーザ機器の電力消費選択が低電力消費に変更されたとき、第１の制御モジュール７０１が、低電力消費選択指示の送信を制限するために使用される第１のタイマが切れたかどうかを直接判定し、判定結果が肯定的である場合に、低電力消費選択指示を基地局に送信するように指示送信モジュール７００に通知する。ユーザ機器の電力消費選択が高電力消費に変更されたとき、第２の制御モジュール７０２が、高電力消費選択指示を基地局に送信するように指示送信モジュール７００に直接通知する。
【０１９２】
幾つかの実現可能な実装方式では、場合によっては、第１の制御モジュール７０１による第１のタイマが切れたかどうかの判定結果が否定的であるとき、即ち、第１のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、第１の制御モジュール７０１はさらに、「電力選択指示」の送信が制限されると上位層に通知するようにＡＳに指示するように構成される。対応する第１のタイマが切れた後、第１の制御モジュール７０１はさらに、送信が制限されていないと上位層にさらに通知するようにＡＳに指示するように構成される。しかし、当該ＡＳの上位層が当該非制限指示を受信した後、ユーザ機器が依然として低電力消費選択指示を送信する必要があると上位層が判定した場合には、アクセス層ＡＳに通知してもよい。そうでなく、ユーザ機器が低電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、ユーザ機器が動作を実施しなくともよい。
【０１９３】
幾つかの実現可能な実装方式では、第１のタイマの長さはユーザ機器で予め設定される。この場合、場合によっては、ユーザ機器はさらに、ユーザ機器内の第１のタイマの長さを予め設定するように構成された設定モジュール（図示せず）を備えてもよい。
【０１９４】
幾つかの実現可能な実装方式では、第１のタイマの長さは、無線リソース管理接続セットアップ・プロセスまたは無線リソース管理接続再構成プロセスで、基地局によりユーザ機器に対して指定される。この場合、場合によっては、ユーザ機器はさらに、基地局によりユーザ機器に対して指定された第１のタイマの長さを受信するように構成された長さ受信モジュール（図示せず）を備えてもよい。
【０１９５】
幾つかの実現可能な実装方式では、ユーザ機器はさらに、第４のタイマと第５のタイマのうち少なくとも１つを取得するように構成されたタイマ取得モジュール（図示せず）と、タイマ取得モジュールにより取得された第４のタイマが切れるか、または、ユーザ機器のアイドル状態の期間がタイマ取得モジュールにより取得された第４のタイマの長さ以上であるとユーザ機器が推定したとき、ユーザ機器の電力消費選択が低電力消費に変更されたと判定し、かつ／または、タイマ取得モジュールにより取得された第５のタイマが切れるか、または、ユーザ機器のアイドル状態の期間がタイマ取得モジュールにより取得された第５のタイマの長さ以下であるとユーザ機器が推定したとき、ユーザ機器の電力消費選択が高電力消費に変更されたと判定するように構成された指示決定モジュール（図示せず）とを備えてもよい。
【０１９６】
幾つかの実現可能な実装方式では、タイマ取得モジュールは第１の取得サブモジュールと第２の取得サブモジュールのうち少なくとも１つを備える。第１の取得サブモジュールは、第４のタイマを第６のタイマに従って設定するか、または、第４のタイマを基地局から取得するように構成され、第６のタイマは基地局で設定されたタイマであり、第２の取得サブモジュールは、第５のタイマを第７のタイマに従って設定するか、または、第５のタイマを基地局から取得するように構成され、第７のタイマは基地局で設定されたタイマである。
【０１９７】
幾つかの実現可能な実装方式では、第４のタイマの長さは第６のタイマの長さ以下であり、第１の取得サブモジュールはさらに、第６のタイマを基地局から取得するか、または基地局から取得されたメッセージに従って、基地局で設定された第６のタイマの長さを推定するように構成され、第５のタイマの長さは第７のタイマの長さ以下であり、第２の取得サブモジュールはさらに、第７のタイマを基地局から取得するか、または、基地局から取得されたメッセージに従って、基地局で設定された第７のタイマの長さを推定するように構成される。
【０１９８】
幾つかの実現可能な実装方式では、第１の取得サブモジュールが第４のタイマを基地局から取得してもよく、第２の取得サブモジュールが第５のタイマを基地局から取得してもよい。第４のタイマまたは第５のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第４のタイマの長さは基地局における第６のタイマの長さ以下であり、第５のタイマの長さは基地局における第７のタイマの長さ以下である。第６のタイマは基地局で維持され基地局側により使用される、低電力消費をトリガするためのトリガであり、第７のタイマは基地局で維持され基地局側により使用される、高電力消費をトリガするためのトリガである。それにより、指示決定モジュールが、第１の取得サブモジュールが取得した第４のタイマが切れたと知ったとき、指示決定モジュールが、ユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定してもよい。
【０１９９】
幾つかの実現可能な実装方式では、第１の取得サブモジュールが第６のタイマを基地局から取得してもよく、第２の取得サブモジュールが第７のタイマを基地局から取得してもよい。第６のタイマまたは第７のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第１の取得サブモジュールが第６のタイマを基地局から取得するとき、第４のタイマを第６のタイマに従ってユーザ機器において設定してもよく、第２の取得サブモジュールが第７のタイマを基地局から取得するとき、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、指示決定モジュールが、第１の取得サブモジュールが取得した第４のタイマが切れたと知ったとき、指示決定モジュールはユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定する。
【０２００】
幾つかの実現可能な実装方式では、ユーザ機器自体が、第１の取得サブモジュールが基地局から取得したメッセージに従って第６のタイマを推定するか、または、第２の取得サブモジュールが基地局から取得したメッセージに従って第７のタイマの長さを推定するか、または、その両方であってもよい。例えば、ＵＥがデータ送受信動作を実施した後タイマを開始し、ＵＥが次のデータ送受信動作を実施した後に当該タイマを再開する。基地局が再構成メッセージまたはＲＲＣ接続解放メッセージをユーザ機器に配信すると仮定すると、第１の取得サブモジュールが、再構成メッセージまたはＲＲＣ接続解放メッセージの内容に従って、当該タイマの長さを第６のタイマの長さとして記録するかどうかを判定してもよく、第２の取得サブモジュールが、再構成メッセージまたはＲＲＣ接続解放メッセージの内容に従って、当該タイマの長さを第７のタイマの長さとして記録するかどうかを判定してもよい。例えば、再構成メッセージまたはＲＲＣ接続解放メッセージがハンドオーバ・コマンドであるか、または、新たな無線ベアラをセットアップするか、もしくは、元の無線ベアラを解放する等のために使用される場合には、第１の取得サブモジュールまたは第２の取得サブモジュールは当該タイマの長さを第６のタイマの長さとして記録せず、再構成メッセージまたはＲＲＣ接続解放メッセージがＤＲＸを構成するかまたはより多くの電力節約ＤＲＸを構成するために使用される場合には、第１の取得サブモジュールは当該タイマの長さを第６のタイマの長さとして記録する。
【０２０１】
具体的な実装では、第６のタイマの長さと第７のタイマの長さを記録するとき、第１の取得サブモジュールが第６のタイマに従って第４のタイマをユーザ機器において設定してもよく、第２の取得サブモジュールが第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、指示決定モジュールが、第１の取得サブモジュールが取得した第４のタイマが切れたと知ったとき、指示決定モジュールはユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定する。
【０２０２】
幾つかの実現可能な実装方式では、ユーザ機器が、複数の推定を実施することで、例えば、複数の推定結果を平均することで、または、最小値を用いることで、または、最大値を用いることで、第６のタイマの長さまたは第７のタイマまたはその両方を取得してもよい。各推定プロセスは上述の推定方法と同じでありここでは繰り返さない。これにより、第６のタイマまたは第７のタイマまたはその両方の取得した長さの精度が高まる。
【０２０３】
幾つかの実現可能な実装方式では、ユーザ機器がデータ送受信動作を完了しアイドル状態を入ったとき、ユーザ機器がユーザ機器のアイドル状態の期間、例えば、１０秒を推定してもよい（具体的な実装では、ユーザ機器が、ユーザ機器が送信または受信しているデータのサービス・タイプや現在のネットワーク条件のような因子に従ってユーザ機器のアイドル状態の期間を推定してもよい）。一方、ユーザ機器が、基地局から受信した第６のタイマに従って第４のタイマを設定してもよく、第６のタイマが８秒であると仮定すると、ユーザ機器が、第４のタイマを５秒に設定するか、または、基地局から直接第４のタイマ（例えば、１１秒）を受信してもよい。それにより、ユーザ機器のアイドル状態の期間（例えば、１０秒）がユーザ機器の第４のタイマの長さ（例えば、５秒）以上であるとユーザ機器が推定したとき、ユーザ機器の電力消費選択が低電力消費に変更されたと判定される。ユーザ機器のアイドル状態の期間（例えば、１０秒）がユーザ機器の第４のタイマの長さ（例えば、１１秒）より短いとユーザ機器が推定した場合には、選択が低電力消費に変更されたとの結論に達することはできない。第５のタイマはそれと同様でありここでは繰り返さない。
【０２０４】
具体的な実装では、本発明の当該実施形態のユーザ機器がタイマ取得モジュールと指示決定モジュールのみを備えてもよく、かかるユーザ機器が専らユーザ機器の電力消費選択を決定してもよい。
【０２０５】
幾つかの実現可能な実装方式では、場合によっては、ユーザ機器が低電力消費選択指示を基地局に送信するかまたは高電力消費選択指示を基地局に送信した後、基地局は無線リソース・パラメータ構成をユーザ機器に対して現在更新できるかどうかを判定してもよく、判定結果が否定的である場合には、基地局は低電力消費選択指示に応答しないか、または、基地局は高電力消費選択指示に応答しない。
【０２０６】
幾つかの実現可能な実装方式では、場合によっては、ユーザ機器が低電力消費選択指示を基地局に送信した後、基地局は無線リソース・パラメータ構成をユーザ機器に対して現在更新できるかどうかを判定し、判定結果が否定的である場合には、基地局は低電力消費選択指示に応答しない。
【０２０７】
上から分かるように、本発明の幾つかの実現可能な実装方式では、第１のタイマを使用してユーザ機器による低電力消費選択指示の送信を制限するが、高電力消費選択指示の送信は制限されない。それによりユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。さらに、本発明の当該実施形態では、ネットワーク側の第６のタイマにより制御される第４のタイマが、ユーザ機器が低電力消費選択に入るかどうかを制御し、当該ネットワーク側の第７のタイマにより制御される第５のタイマが高電力消費選択を制御する。したがって、当該ネットワーク側とユーザ機器の電力選択要件がより効果的に調整され、ユーザ機器が電力選択を最短時間で調節することが保証される。ネットワーク側のタイマとユーザ機器側のタイマの期間の衝突に起因して電力選択を適時に調節できないという欠点を効果的に解決することができる。さらに、本発明の当該実施形態では、第４のタイマおよび第５のタイマを、ユーザ機器により推定されるユーザ機器のアイドル状態の期間とともに使用してユーザ機器が低電力消費または高電力消費選択に入るかどうかを一緒に制御する。したがって、ユーザ機器の電力選択要件がより効果的に調整され、ユーザ機器が電力選択を最短時間で調節することが保証される。
【０２０８】
図６は、本発明に従うユーザ機器の第２の実施形態の略構造図である。図６に示すように、本発明のユーザ機器は、指示送信モジュール８００、第１の制御モジュール８０１、および第３の制御モジュール８０３を備えてもよい。
【０２０９】
指示送信モジュール８００は、電力消費選択指示を基地局に送信するように構成される。当該電力消費選択指示は低電力消費選択指示または高電力消費選択指示を含む。
【０２１０】
第１の制御モジュール８０１は、ユーザ機器の電力消費選択が低電力消費に変更されたとき、低電力消費選択指示の送信を制限するために使用される第１のタイマが切れたかどうかを判定し、判定結果が肯定的である場合に、低電力消費選択指示を基地局に送信するように指示送信モジュール８００に通知するように構成される。
【０２１１】
第３の制御モジュール８０３は、ユーザ機器の電力消費選択が高電力消費に変更されたとき、高電力消費選択指示の送信を制限するために使用される第２のタイマが切れたかどうかを判定し、判定結果が肯定的である場合に、高電力消費選択指示を基地局に送信するように指示送信モジュール８００に通知するように構成される。
【０２１２】
幾つかの実現可能な実装方式では、電力消費選択指示（「電力選択指示」。低電力消費選択指示と高電力消費選択指示を含む）の送信は、ユーザ機器の２つの有限状態に基づいて実施される。この場合、ユーザ機器は２つの状態、即ち、デフォルト状態（「ｄｅｆａｕｌｔ」状態）と低電力消費状態（「ｌｏｗｅｒ  ｐｏｗｅｒ  ｃｏｎｓｕｍｐｔｉｏｎ」状態）を有する。ユーザ機器が「デフォルト（ｄｅｆａｕｌｔ）」状態にあるとユーザ機器が判定したとき、ユーザ機器は、「低電力消費（ｌｏｗｅｒ  ｐｏｗｅｒ  ｃｏｎｓｕｍｐｔｉｏｎ）」選択指示を基地局（例えば、発展型ＮｏｄｅＢ  ｅＮＢ）に送信できるのみである。逆に、ユーザが「低電力消費」状態にあるとユーザが判定した場合には、ユーザは「デフォルト」状態（高電力消費）に戻るための選択指示を基地局に送信できるのみである。この場合、場合によっては、ユーザ機器はさらに状態判定モジュール８０４を備える。ユーザ機器の電力消費選択が低電力消費に変更され、ユーザ機器がデフォルト状態にあると状態判定モジュール８０４が示すとき、第１の制御モジュール８０１は、低電力消費選択指示の送信を制限するために使用される第１のタイマ（これを「Ｔ＿Ｄｅｆａｕｌｔ」と記録してもよい）が切れた（即ち、当該タイマが実行されていない）かどうかを判定し、判定結果が肯定的である場合に、低電力消費選択指示を基地局に送信するように指示送信モジュール８００に通知し、ユーザ機器の電力消費選択が高電力消費に変更され、ユーザ機器が低電力消費状態にあると状態判定モジュール８０４が示すとき、第３の制御モジュール８０３は、高電力消費選択指示の送信を制限するために使用される第２のタイマ（これを「Ｔ＿ＬｏｗｅｒＰｏｗｅｒ」として記録してもよい）が切れたかどうかを判定し、判定結果が肯定的である場合に、高電力消費選択指示を基地局に送信するように指示送信モジュール８００に通知する。
【０２１３】
幾つかの実現可能な実装方式では、状態判定モジュール８０４によりユーザ機器の状態を決定する方法が、状態判定モジュール８０４により、指定されたパラメータ長に従ってユーザ機器の状態を決定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定するステップを含んでもよい。例えば、状態判定モジュール８０４が、ユーザ機器における不連続受信サイクル（ＤＲＸサイクル）の長さを用いることでユーザ機器の状態を決定してもよい。ユーザ機器に対して現在構成されているＤＲＸサイクルの長さがアイドル（ＩＤＬＥ）状態にあるＤＲＸサイクルの長さより短いとき、状態判定モジュール８０４はユーザ機器が「デフォルト」状態にあると判定し、ユーザ機器に対して現在構成されているＤＲＸサイクルの長さがアイドル状態にあるＤＲＸサイクルの長さ以上であるとき、状態判定モジュール８０４はＵＥが「低電力消費」状態にあるとみなす。アイドル状態にあるＤＲＸサイクルの長さを上では「デフォルト」状態と「低電力消費」状態を区別するための閾値として使用しているが、これは例にすぎない。具体的な実装では、他のパラメータの長さを、判定を実行するための閾値として使用してもよい。それにより、状態判定モジュール８０４が、ユーザ機器が「デフォルト」状態に対応するＤＲＸサイクルの長さを使用している、即ち、ユーザ機器が「デフォルト」状態にあると判定したとき、ユーザ機器の電力選択が変化しユーザ機器が低電力消費を期待する場合には、第１のタイマが切れたことを前提に、「電力選択指示」が基地局に送信され、「低電力消費」状態に対応するＤＲＸパラメータ構成の使用を要求する。状態判定モジュール８０４が、ユーザ機器が「低電力消費」状態に対応するＤＲＸサイクルの長さを使用している、即ち、ユーザ機器が「低電力消費」状態にあると判定したとき、ユーザ機器の電力選択が変化しユーザ機器が高性能、即ち、高電力消費を期待する場合には、「電力選択指示」が基地局に送信され、「デフォルト」状態に対応するＤＲＸパラメータ構成の使用を要求する。
【０２１４】
幾つかの実現可能な実装方式では、状態判定モジュール８０４によるユーザ機器の状態を決定するための方法は、状態判定モジュール８０４により、ユーザ機器に対して基地局により構成された不連続受信ＤＲＸパラメータに従ってユーザ機器の状態を決定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含んでもよい。
【０２１５】
幾つかの実現可能な実装方式では、基地局が、ユーザ機器に対するデフォルト状態に対応する不連続受信ＤＲＸパラメータおよび低電力消費状態に対応する不連続受信ＤＲＸパラメータを同時に構成してもよく、当該パラメータに対応する状態をユーザに明示的または暗黙的に通知してもよい。あるいは、基地局が、ユーザ機器に対して１組のＤＲＸパラメータのみを毎回構成し、当該ＤＲＸパラメータに対応する状態を明示的に示してもよい。例えば、基地局が、無線リソース管理ＲＲＣ接続を構成するときユーザ機器に対して２組の異なるＤＲＸパラメータを構成してもよい。さらに、基地局が、ＵＥがＲＲＣ接続状態に入ったときにどの組のＤＲＸパラメータを使用するか（「デフォルト」に対応するＤＲＸパラメータを使用するか、または、「低電力消費」に対応するＤＲＸパラメータを使用する）、即ち、ＵＥがどの状態にあるかを明示的に示してもよく、または、デフォルトで、ユーザ機器が、ＲＲＣ接続状態に入ったとき「デフォルト」状態に直接入り、「デフォルト」状態に対応するＤＲＸパラメータを使用すると示してもよく、または、デフォルトで、ユーザ機器が、ＲＲＣ接続状態に入ったとき「低電力消費」状態に直接入り、「低電力消費」状態に対応するＤＲＸパラメータを使用すると示してもよい。別の例として、基地局がＲＲＣ接続再構成プロセスで当該構成を実施してもよい。即ち、基地局は、ＲＲＣ接続再構成プロセスでユーザ機器に対して２組の異なるＤＲＸパラメータを構成する。したがって、基地局が、ＲＲＣ接続再構成プロセスの後にどの組のＤＲＸパラメータがユーザ機器により使用されるか、即ち、ユーザ機器がどの状態にあるかを示してもよい。別の例として、基地局がユーザ機器の状態を暗黙的に示す。通常は、現在使用されているＤＲＸパラメータを決定することでユーザ機器がユーザ機器の状態を決定する。即ち、基地局により新たに構成された２組のＤＲＸパラメータのうち一方の組がユーザ機器により現在使用されているＤＲＸパラメータと同じであることをユーザ機器が発見した場合には、ＵＥは、当該１組のＤＲＸパラメータに対応する状態を使用することで、再構成の後のＵＥの状態を決定する。それにより、状態判定モジュール８０４が、ユーザ機器が「デフォルト」状態に対応するＤＲＸパラメータを使用している、即ち、ユーザ機器が「デフォルト」状態にあると判定したとき、ユーザ機器の電力選択が変化しユーザ機器が低電力消費を期待する場合には、第１のタイマが切れたことを前提に、ユーザ機器は「電力選択指示」を基地局に送信し、「低電力消費」状態に対応するＤＲＸパラメータ構成の使用を要求する。状態判定モジュール８０４が、ユーザ機器が「低電力消費」状態に対応するＤＲＸパラメータを使用している、即ち、ユーザ機器が「低電力消費」状態にあると判定したとき、ユーザ機器の電力選択が変化しユーザ機器が高性能、即ち、高電力消費を期待する場合には、第２のタイマが切れたことを前提に、ユーザ機器は「電力選択指示」を基地局に送信し、「デフォルト」状態に対応するＤＲＸパラメータ構成の使用を要求する。
【０２１６】
幾つかの実現可能な実装方式では、電力消費選択指示（「電力選択指示」。低電力消費選択指示と高電力消費選択指示を含む）の送信をユーザ機器の状態により制限しなくともよい。即ち、ユーザ機器の電力消費選択が変化する限り、電力消費選択指示を基地局に送信してもよい。この場合、ユーザ機器は状態判定モジュール８０４を備えなくともよい。ユーザ機器の電力消費選択が低電力消費に変更されたとき、第１の制御モジュール８０１が、低電力消費選択指示の送信を制限するために使用される第１のタイマが切れたかどうかを直接判定し、判定結果が肯定的である場合に、低電力消費選択指示を基地局に送信するように指示送信モジュール８００に通知し、ユーザ機器の電力消費選択が高電力消費に変更されたとき、第３の制御モジュール８０３が、高電力消費選択指示の送信を制限するために使用される第２のタイマが切れたかどうかを直接判定し、判定結果が肯定的である場合に、高電力消費選択指示を基地局に送信するように指示送信モジュール８００に通知する。
【０２１７】
幾つかの実現可能な実装方式では、場合によっては、第１の制御モジュール８０１による第１のタイマが切れたかどうかの判定結果が否定的であるとき、即ち、第１のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、第１の制御モジュール８０１はさらに、「電力選択指示」の送信が制限されると上位層に通知するようにユーザ機器のＡＳに指示してもよく、対応する第１のタイマが切れた後、第１のコントローラ８０１がさらに、送信が制限されていないと上位層に通知するようにＡＳに指示してもよい。しかし、当該ＡＳの上位層が当該非制限指示を受信した後、ユーザ機器が依然として低電力消費選択指示を送信する必要があると上位層が判定した場合には、アクセス層ＡＳに通知してもよい。そうでなく、ユーザ機器が低電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、第１の制御モジュール８０１は、動作を実施しないようにユーザ機器に指示する。
【０２１８】
幾つかの実現可能な諸実施形態では、場合によっては、第３の制御モジュール８０３による第２のタイマが切れたかどうかの判定結果が否定的である、即ち、第２のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、第３の制御モジュール８０３が、「電力選択指示」の送信が制限されると上位層に通知するようにユーザ機器のＡＳに指示してもよく、第２のタイマが切れた後は、第３の制御モジュール８０３が、送信が制限されていないと上位層に通知するようにユーザ機器のＡＳに指示してもよい。しかし、当該ＡＳの上位層が当該非制限指示を受信した後、ユーザ機器が依然として高電力消費選択指示を送信する必要があると当該上位層が判定した場合には、アクセス層ＡＳに通知してもよい。そうでなく、ユーザ機器が高電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、第３の制御モジュール８０３は、動作を実施しないようにユーザ機器に指示する。
【０２１９】
幾つかの実現可能な実装方式では、第１のタイマの長さと第２のタイマの長さをユーザ機器で予め設定してもよい。この場合、場合によっては、ユーザ機器はさらに、ユーザ機器内の第１のタイマの長さおよび第２のタイマの長さを予め設定するように構成された設定モジュール（図示せず）を備えてもよい。
【０２２０】
幾つかの実現可能な実装方式では、第１のタイマの長さと第２のタイマの長さが無線リソース管理接続セットアップ・プロセスまたは無線リソース管理接続再構成プロセスでユーザ機器に対して基地局により指定される。この場合、場合によっては、ユーザ機器はさらに、ユーザ機器に対して基地局により指定された第１のタイマの長さと第２のタイマの長さを受信するように構成された長さ受信モジュール（図示せず）を備えてもよい。幾つかの実現可能な実装方式では、第１のタイマの長さは第２のタイマの長さ以上である。
【０２２１】
幾つかの実現可能な実装方式では、ユーザ機器はさらに、第４のタイマと第５のタイマのうち少なくとも１つを取得するように構成されたタイマ取得モジュール（図示せず）と、タイマ取得モジュールにより取得された第４のタイマが切れるか、または、ユーザ機器のアイドル状態の期間がタイマ取得モジュールにより取得された第４のタイマの長さ以上であるとユーザ機器が推定したとき、ユーザ機器の電力消費選択が低電力消費に変更されたと判定し、かつ／または、タイマ取得モジュールにより取得された第５のタイマが切れるか、または、ユーザ機器のアイドル状態の期間がタイマ取得モジュールにより取得された第５のタイマの長さ以下であるとユーザ機器が推定したとき、ユーザ機器の電力消費選択が高電力消費に変更されたと判定するように構成された指示決定モジュール（図示せず）とを備えてもよい。
【０２２２】
幾つかの実現可能な実装方式では、タイマ取得モジュールは第１の取得サブモジュールと第２の取得サブモジュールのうち少なくとも１つを備える。第１の取得サブモジュールは、第４のタイマを第６のタイマに従って設定するか、または、第４のタイマを基地局から取得するように構成され、第６のタイマは基地局で設定されたタイマであり、第２の取得サブモジュールは、第５のタイマを第７のタイマに従って設定するか、または、第５のタイマを基地局から取得するように構成され、第７のタイマは基地局で設定されたタイマである。
【０２２３】
幾つかの実現可能な実装方式では、第４のタイマの長さは第６のタイマの長さ以下であり、第１の取得サブモジュールはさらに、第６のタイマを基地局から取得するか、または基地局から取得されたメッセージに従って、基地局で設定された第６のタイマの長さを推定するように構成され、第５のタイマの長さは第７のタイマの長さ以下であり、第２の取得サブモジュールはさらに、第７のタイマを基地局から取得するか、または、基地局から取得されたメッセージに従って、基地局で設定された第７のタイマの長さを推定するように構成される。
【０２２４】
幾つかの実現可能な実装方式では、第１の取得サブモジュールが第４のタイマを基地局から取得してもよく、第２の取得サブモジュールが第５のタイマを基地局から取得してもよい。第４のタイマまたは第５のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第４のタイマの長さは基地局における第６のタイマの長さ以下であり、第５のタイマの長さは基地局における第７のタイマの長さ以下である。第６のタイマは基地局で維持され基地局側により使用される、低電力消費をトリガするためのトリガであり、第７のタイマは基地局で維持され基地局側により使用される、高電力消費をトリガするためのトリガである。それにより、指示決定モジュールが、第１の取得サブモジュールが取得した第４のタイマが切れたと知ったとき、指示決定モジュールが、ユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定してもよい。
【０２２５】
幾つかの実現可能な実装方式では、第１の取得サブモジュールが第６のタイマを基地局から取得してもよく、第２の取得サブモジュールが第７のタイマを基地局から取得してもよい。第６のタイマまたは第７のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第１の取得サブモジュールが第６のタイマを基地局から取得するとき、第４のタイマを第６のタイマに従ってユーザ機器において設定してもよく、第２の取得サブモジュールが第７のタイマを基地局から取得するとき、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、指示決定モジュールが、第１の取得サブモジュールが取得した第４のタイマが切れたと知ったとき、指示決定モジュールはユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定する。
【０２２６】
幾つかの実現可能な実装方式では、ユーザ機器自体が、第１の取得サブモジュールが基地局から取得したメッセージに従って第６のタイマを推定するか、または、第２の取得サブモジュールが基地局から取得したメッセージに従って第７のタイマの長さを推定するか、または、その両方であってもよい。例えば、ＵＥがデータ送受信動作を実施した後タイマを開始し、ＵＥが次のデータ送受信動作を実施した後に当該タイマを再開する。基地局が再構成メッセージまたはＲＲＣ接続解放メッセージをユーザ機器に配信すると仮定すると、第１の取得サブモジュールが、再構成メッセージまたはＲＲＣ接続解放メッセージの内容に従って、当該タイマの長さを第６のタイマの長さとして記録するかどうかを判定してもよく、第２の取得サブモジュールが、再構成メッセージまたはＲＲＣ接続解放メッセージの内容に従って、当該タイマの長さを第７のタイマの長さとして記録するかどうかを判定してもよい。例えば、再構成メッセージまたはＲＲＣ接続解放メッセージがハンドオーバ・コマンドであるか、または、新たな無線ベアラをセットアップするか、もしくは、元の無線ベアラを解放する等のために使用される場合には、第１の取得サブモジュールまたは第２の取得サブモジュールは当該タイマの長さを第６のタイマの長さとして記録せず、再構成メッセージまたはＲＲＣ接続解放メッセージがＤＲＸを構成するかまたはより多くの電力節約ＤＲＸを構成するために使用される場合には、第１の取得サブモジュールは当該タイマの長さを第６のタイマの長さとして記録する。
【０２２７】
具体的な実装では、第６のタイマの長さと第７のタイマの長さを記録するとき、第１の取得サブモジュールが第６のタイマに従って第４のタイマをユーザ機器において設定してもよく、第２の取得サブモジュールが第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、指示決定モジュールが、第１の取得サブモジュールが取得した第４のタイマが切れたと知ったとき、指示決定モジュールはユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定する。
【０２２８】
幾つかの実現可能な実装方式では、ユーザ機器が、複数の推定を実施することで、例えば、複数の推定結果を平均することで、または、最小値を用いることで、または、最大値を用いることで、第６のタイマの長さまたは第７のタイマまたはその両方を取得してもよい。各推定プロセスは上述の推定方法と同じでありここでは繰り返さない。これにより、第６のタイマまたは第７のタイマまたはその両方の取得した長さの精度が高まる。
【０２２９】
幾つかの実現可能な実装方式では、ユーザ機器がデータ送受信動作を完了しアイドル状態を入ったとき、ユーザ機器がユーザ機器のアイドル状態の期間、例えば、１０秒を推定してもよい（具体的な実装では、ユーザ機器が、ユーザ機器が送信または受信しているデータのサービス・タイプや現在のネットワーク条件のような因子に従ってユーザ機器のアイドル状態の期間を推定してもよい）。一方、ユーザ機器が、基地局から受信した第６のタイマに従って第４のタイマを設定してもよく、第６のタイマが８秒であると仮定すると、ユーザ機器が、第４のタイマを５秒に設定するか、または、基地局から直接第４のタイマ（例えば、１１秒）を受信してもよい。それにより、ユーザ機器のアイドル状態の期間（例えば、１０秒）がユーザ機器の第４のタイマの長さ（例えば、５秒）以上であるとユーザ機器が推定したとき、ユーザ機器の電力消費選択が低電力消費に変更されたと判定される。ユーザ機器のアイドル状態の期間（例えば、１０秒）がユーザ機器の第４のタイマの長さ（例えば、１１秒）より短いとユーザ機器が推定した場合には、選択が低電力消費に変更されたとの結論に達することはできない。第５のタイマはそれと同様でありここでは繰り返さない。
【０２３０】
具体的な実装では、本発明の当該実施形態のユーザ機器がタイマ取得モジュールと指示決定モジュールのみを備えてもよく、かかるユーザ機器が専らユーザ機器の電力消費選択を決定してもよい。
【０２３１】
幾つかの実現可能な実装方式では、場合によっては、ユーザ機器が低電力消費選択指示を基地局に送信するかまたは高電力消費選択指示を基地局に送信した後、基地局は無線リソース・パラメータ構成をユーザ機器に対して現在更新できるかどうかを判定してもよく、判定結果が否定的である場合には、基地局は低電力消費選択指示に応答しないか、または、基地局は高電力消費選択指示に応答しない。
【０２３２】
幾つかの実現可能な実装方式では、場合によっては、ユーザ機器が低電力消費選択指示を基地局に送信した後、基地局は無線リソース・パラメータ構成をユーザ機器に対して現在更新できるかどうかを判定し、判定結果が否定的である場合には、基地局は低電力消費選択指示に応答しない。
【０２３３】
上から分かるように、本発明の幾つかの実現可能な実装方式では、第１のタイマを使用してユーザ機器による低電力消費選択指示の送信を制限し、第２のタイマを使用して高電力消費選択指示の送信を制限する。それによりユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。さらに、本発明の当該実施形態では、ネットワーク側の第６のタイマにより制御される第４のタイマが、ユーザ機器が低電力消費選択に入るかどうかを制御し、当該ネットワーク側の第７のタイマにより制御される第５のタイマが高電力消費選択を制御する。したがって、当該ネットワーク側とユーザ機器の電力選択要件がより効果的に調整され、ユーザ機器が電力選択を最短時間で調節することが保証される。ネットワーク側のタイマとユーザ機器側のタイマの期間の衝突に起因して電力選択を適時に調節できないという欠点を効果的に解決することができる。さらに、本発明の当該実施形態では、第４のタイマおよび第５のタイマを、ユーザ機器により推定されるユーザ機器のアイドル状態の期間とともに使用してユーザ機器が低電力消費または高電力消費選択に入るかどうかを一緒に制御する。したがって、ユーザ機器の電力選択要件がより効果的に調整され、ユーザ機器が電力選択を最短時間で調節することが保証される。
【０２３４】
図７は、本発明に従うユーザ機器の第３の実施形態の略構造図である。当該実施形態は第２の実施形態に基づく拡張である。図７に示すように、ユーザ機器は、指示送信モジュール９００、第１の制御モジュール９０１、第２の制御モジュール９０２、第３の制御モジュール９０３、および第１のタイマ管理モジュール９０４を備えてもよい。第２の制御モジュール９０２および第３の制御モジュール９０３のうち少なくとも１つが本発明のユーザ機器に存在する。
【０２３５】
指示送信モジュール９００は、電力消費選択指示を基地局に送信するように構成される。当該電力消費選択指示は低電力消費選択指示または高電力消費選択指示を含む。
【０２３６】
第１の制御モジュール９０１は、ユーザ機器の電力消費選択が低電力消費に変更されたとき、低電力消費選択指示の送信を制限するために使用される第１のタイマが切れたかどうかを判定し、判定結果が肯定的である場合に、低電力消費選択指示を基地局に送信するように指示送信モジュール９００に通知するように構成される。
【０２３７】
第２の制御モジュール９０２は、ユーザ機器の電力消費選択が高電力消費に変更されたとき、高電力消費選択指示を基地局に送信するように指示送信モジュール９００に通知するように構成される。
【０２３８】
第３の制御モジュール９０３は、ユーザ機器の電力消費選択が高電力消費に変更されたとき、高電力消費選択指示の送信を制限するために使用される第２のタイマが切れたかどうかを判定し、判定結果が肯定的である場合に、高電力消費選択指示を基地局に送信するように指示送信モジュール９００に通知するように構成される。
【０２３９】
第１のタイマ管理モジュール９０４は、指示送信モジュール９００が電力消費選択指示を基地局に送信した後かつユーザ機器が第１のタイマを備えるとき、第１のタイマを開始し、指示送信モジュール９００が電力消費選択指示を基地局に送信した後かつユーザ機器が第１のタイマと第２のタイマを備えるとき、第１のタイマまたは第２のタイマまたは第１のタイマと第２のタイマの両方を開始するように構成される。
【０２４０】
幾つかの実現可能な実装方式では、電力消費選択指示（「電力選択指示」。低電力消費選択指示と高電力消費選択指示を含む）の送信は、ユーザ機器の２つの有限状態に基づいて実施される。この場合、ユーザ機器は２つの状態、即ち、デフォルト状態（「ｄｅｆａｕｌｔ」状態）と低電力消費状態（「ｌｏｗｅｒ  ｐｏｗｅｒ  ｃｏｎｓｕｍｐｔｉｏｎ」状態）を有する。ユーザ機器が「デフォルト（ｄｅｆａｕｌｔ）」状態にあるとユーザ機器が判定したとき、ユーザ機器は、「低電力消費（ｌｏｗｅｒ  ｐｏｗｅｒ  ｃｏｎｓｕｍｐｔｉｏｎ）」選択指示を基地局（例えば、発展型ＮｏｄｅＢ  ｅＮＢ）に送信できるのみである。逆に、ユーザが「低電力消費」状態にあるとユーザが判定した場合には、ユーザは「デフォルト」状態（高電力消費）に戻るための選択指示を基地局に送信できるのみである。この場合、場合によっては、本発明のユーザ機器はさらに、ユーザ機器の状態を判定するように構成された状態判定モジュール９０５を備える。第１の制御モジュール９０１は、ユーザ機器の電力消費選択が低電力消費に変更され、ユーザ機器がデフォルト状態にあると状態判定モジュール９０５が示すとき、低電力消費選択指示の送信を制限するために使用される第１のタイマ（これを「Ｔ＿Ｄｅｆａｕｌｔ」と記録してもよい）が切れた（即ち、当該タイマが実行されていない）かどうかを判定し、判定結果が肯定的である場合に、低電力消費選択指示を基地局に送信するように指示送信モジュール９００に通知する。第２の制御モジュール９０２は、ユーザ機器の電力消費選択が高電力消費に変更され、ユーザ機器が低電力消費状態にあると状態判定モジュール９０５が示すとき、高電力消費指示を基地局に送信するように指示送信モジュール９００に通知する。ユーザ機器の電力消費選択が高電力消費に変更され、ユーザ機器が低電力消費状態にあると状態判定モジュール９０５が示すとき、第３の制御モジュール９０３は、高電力消費選択指示の送信を制限するために使用される第２のタイマ（これを「Ｔ＿ＬｏｗｅｒＰｏｗｅｒ」として記録してもよい）が切れたかどうかを判定し、判定結果が肯定的である場合に、高電力消費選択指示を基地局に送信するように指示送信モジュール９００に通知する。
【０２４１】
幾つかの実現可能な実装方式では、状態判定モジュール９０５によるユーザ機器の状態を決定するための方法は、状態判定モジュール９０５により、指定されたパラメータ長に従ってユーザ機器の状態を決定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定するステップを含んでもよい。例えば、状態判定モジュール９０５が、ユーザ機器における不連続受信サイクル（ＤＲＸサイクル）の長さを用いることでユーザ機器の状態を決定してもよい。ユーザ機器に対して現在構成されているＤＲＸサイクルの長さがアイドル（ＩＤＬＥ）状態にあるＤＲＸサイクルの長さより短いとき、状態判定モジュール９０５はユーザ機器が「デフォルト」状態にあると判定し、ユーザ機器に対して現在構成されているＤＲＸサイクルの長さがアイドル状態にあるＤＲＸサイクルの長さ以上であるとき、状態判定モジュール９０５はＵＥが「低電力消費」状態にあるとみなす。アイドル状態にあるＤＲＸサイクルの長さを上では「デフォルト」状態と「低電力消費」状態を区別するための閾値として使用しているが、これは例にすぎない。具体的な実装では、他のパラメータの長さを、判定を実行するための閾値として使用してもよい。それにより、状態判定モジュール９０５が、ユーザ機器が「デフォルト」状態に対応するＤＲＸサイクルの長さを使用している、即ち、ユーザ機器が「デフォルト」状態にあると判定したとき、ユーザ機器の電力選択が変化しユーザ機器が低電力消費を期待する場合には、第１のタイマが切れたことを前提に、「電力選択指示」が基地局に送信され、「低電力消費」状態に対応するＤＲＸパラメータ構成の使用を要求する。状態判定モジュール９０５が、ユーザ機器が「低電力消費」状態に対応するＤＲＸサイクルの長さを使用している、即ち、ユーザ機器が「低電力消費」状態にあると判定したとき、ユーザ機器の電力選択が変化しユーザ機器が高性能、即ち、高電力消費を期待する場合には、「電力選択指示」が基地局に送信され、「デフォルト」状態に対応するＤＲＸパラメータ構成の使用を要求する。
【０２４２】
幾つかの実現可能な実装方式では、状態判定モジュール９０５によるユーザ機器の状態を決定するための方法は、状態判定モジュール９０５により、ユーザ機器に対して基地局により構成された不連続受信ＤＲＸパラメータに従ってユーザ機器の状態を決定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含んでもよい。
【０２４３】
幾つかの実現可能な実装方式では、基地局が、ユーザ機器に対するデフォルト状態に対応する不連続受信ＤＲＸパラメータおよび低電力消費状態に対応する不連続受信ＤＲＸパラメータを同時に構成してもよく、当該パラメータに対応する状態をユーザに明示的または暗黙的に通知してもよい。あるいは、基地局が、ユーザ機器に対して１組のＤＲＸパラメータのみを毎回構成し、当該ＤＲＸパラメータに対応する状態を明示的に示してもよい。例えば、基地局が、無線リソース管理ＲＲＣ接続を構成するときユーザ機器に対して２組の異なるＤＲＸパラメータを構成してもよい。さらに、基地局が、ＵＥがＲＲＣ接続状態に入ったときにどの組のＤＲＸパラメータを使用するか（「デフォルト」に対応するＤＲＸパラメータを使用するか、または、「低電力消費」に対応するＤＲＸパラメータを使用する）、即ち、ＵＥがどの状態にあるかを明示的に示してもよく、または、デフォルトで、ユーザ機器が、ＲＲＣ接続状態に入ったとき「デフォルト」状態に直接入り、「デフォルト」状態に対応するＤＲＸパラメータを使用すると示してもよく、または、デフォルトで、ユーザ機器が、ＲＲＣ接続状態に入ったとき「低電力消費」状態に直接入り、「低電力消費」状態に対応するＤＲＸパラメータを使用すると示してもよい。別の例として、基地局がＲＲＣ接続再構成プロセスで当該構成を実施してもよい。即ち、基地局は、ＲＲＣ接続再構成プロセスでユーザ機器に対して２組の異なるＤＲＸパラメータを構成する。したがって、基地局が、ＲＲＣ接続再構成プロセスの後にどの組のＤＲＸパラメータがユーザ機器により使用されるか、即ち、ユーザ機器がどの状態にあるかを示してもよい。別の例として、基地局がユーザ機器の状態を暗黙的に示す。通常は、現在使用されているＤＲＸパラメータを決定することでユーザ機器がユーザ機器の状態を決定する。即ち、基地局により新たに構成された２組のＤＲＸパラメータのうち一方の組がユーザ機器により現在使用されているＤＲＸパラメータと同じであることをユーザ機器が発見した場合には、ＵＥは、当該１組のＤＲＸパラメータに対応する状態を使用することで、再構成の後のＵＥの状態を決定する。それにより、状態判定モジュール９０５が、ユーザ機器が「デフォルト」状態に対応するＤＲＸパラメータを使用している、即ち、ユーザ機器が「デフォルト」状態にあると判定したとき、ユーザ機器の電力選択が変化しユーザ機器が低電力消費を期待する場合には、第１のタイマが切れたことを前提に、指示送信モジュール９００は「電力選択指示」を基地局に送信して、「低電力消費」状態に対応するＤＲＸパラメータ構成を使用することを要求してもよい。状態判定モジュール９０５が、ユーザ機器が「低電力消費」状態に対応するＤＲＸパラメータを使用している、即ち、ユーザ機器が「低電力消費」状態にあると判定したとき、ユーザ機器の電力選択が変化しユーザ機器が高性能、即ち、高電力消費を期待する場合には、第２のタイマが切れたことを前提に（ユーザ機器が第３の制御モジュール９０３を備えることを前提に）、指示送信モジュール９００は「電力選択指示」を基地局に送信して、「デフォルト」状態に対応するＤＲＸパラメータ構成の使用を要求してもよい。状態判定モジュール９０４が、ユーザ機器が「低電力消費」状態に対応するＤＲＸパラメータを使用している、即ち、ユーザ機器が「低電力消費」状態にあると判定したとき、ユーザ機器の電力選択が変化しユーザ機器が高性能、即ち、高電力消費を期待する場合には、指示送信モジュール９００は（ユーザ機器が第２の制御モジュール９０２を備えることを前提に）「電力選択指示」を基地局に送信してもよく、「デフォルト」状態に対応するＤＲＸパラメータ構成の使用を要求する。
【０２４４】
幾つかの実現可能な実装方式では、電力消費選択指示（「電力選択指示」。低電力消費選択指示と高電力消費選択指示を含む）の送信をユーザ機器の状態により制限しなくともよい。即ち、ユーザ機器の電力消費選択が変化する限り、電力消費選択指示を基地局に送信してもよい。この場合、ユーザ機器は状態判定モジュール９０５を備えなくともよい。ユーザ機器の電力消費選択が低電力消費に変更されたとき、第１の制御モジュール９０１が、低電力消費選択指示の送信を制限するために使用される第１のタイマが切れたかどうかを直接判定し、判定結果が肯定的である場合に、低電力消費選択指示を基地局に送信するように指示送信モジュール９００に通知する。ユーザ機器の電力消費選択が高電力消費に変更されたとき、第２の制御モジュール９０２が、高電力消費選択指示を基地局に送信するように指示送信モジュール９００に直接通知する。ユーザ機器の電力消費選択が高電力消費に変更されたとき、第３の制御モジュール９０３が、高電力消費選択指示の送信を制限するために使用される第２のタイマが切れたかどうかを直接判定し、判定結果が肯定的である場合に、高電力消費選択指示を基地局に送信するように指示送信モジュール９００に通知する。
【０２４５】
幾つかの実現可能な実装方式では、場合によっては、第１の制御モジュール９０１による第１のタイマが切れたかどうかの判定結果が否定的であるとき、即ち、第１のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、第１の制御モジュール９０１はさらに、「電力選択指示」の送信が制限されると上位層に通知するようにユーザ機器のＡＳに指示してもよく、対応する第１のタイマが切れた後、ユーザ機器のＡＳは、送信が制限されていないと上位層に通知するように指示される。しかし、当該ＡＳの上位層が当該非制限指示を受信した後、ユーザ機器が依然として低電力消費選択指示を送信する必要があると上位層が判定した場合には、アクセス層ＡＳに通知してもよい。そうでなく、ユーザ機器が低電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、第１の制御モジュール９０１は、動作を実施しないようにユーザ機器に通知してもよい。
【０２４６】
幾つかの実現可能な諸実施形態では、場合によっては、第３の制御モジュール９０３による第２のタイマが切れたかどうかの判定結果が否定的である、即ち、第２のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、第３の制御モジュール９０３が、「電力選択指示」の送信が制限されると上位層に通知するようにユーザ機器のＡＳに指示してもよく、第２のタイマが切れた後は、第３の制御モジュール９０３が、送信が制限されていないと上位層に通知するようにユーザ機器のＡＳに指示してもよい。しかし、当該ＡＳの上位層が当該非制限指示を受信した後、ユーザ機器が依然として高電力消費選択指示を送信する必要があると当該上位層が判定した場合には、アクセス層ＡＳに通知してもよい。そうでなく、ユーザ機器が高電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、第３の制御モジュール９０３は、動作を実施しないようにユーザ機器に指示する。
【０２４７】
幾つかの実現可能な実装方式では、第１のタイマの長さと第２のタイマの長さをユーザ機器で予め設定してもよい。この場合、場合によっては、ユーザ機器はさらに、ユーザ機器内の第１のタイマの長さおよび第２のタイマの長さを予め設定するように構成された設定モジュール（図示せず）を備えてもよい。
【０２４８】
幾つかの実現可能な実装方式では、第１のタイマの長さと第２のタイマの長さが無線リソース管理接続セットアップ・プロセスまたは無線リソース管理接続再構成プロセスでユーザ機器に対して基地局により指定される。この場合、場合によっては、ユーザ機器はさらに、ユーザ機器に対して基地局により指定された第１のタイマの長さと第２のタイマの長さを受信するように構成された長さ受信モジュール（図示せず）を備えてもよい。幾つかの実現可能な実装方式では、第１のタイマの長さは第２のタイマの長さ以上である。
【０２４９】
幾つかの実現可能な実装方式では、ユーザ機器はさらに、第４のタイマと第５のタイマのうち少なくとも１つを取得するように構成されたタイマ取得モジュール（図示せず）と、タイマ取得モジュールにより取得された第４のタイマが切れるか、または、ユーザ機器のアイドル状態の期間がタイマ取得モジュールにより取得された第４のタイマの長さ以上であるとユーザ機器が推定したとき、ユーザ機器の電力消費選択が低電力消費に変更されたと判定し、かつ／または、タイマ取得モジュールにより取得された第５のタイマが切れるか、または、ユーザ機器のアイドル状態の期間がタイマ取得モジュールにより取得された第５のタイマの長さ以下であるとユーザ機器が推定したとき、ユーザ機器の電力消費選択が高電力消費に変更されたと判定するように構成された指示決定モジュール（図示せず）とを備えてもよい。
【０２５０】
幾つかの実現可能な実装方式では、タイマ取得モジュールは第１の取得サブモジュールと第２の取得サブモジュールのうち少なくとも１つを備える。第１の取得サブモジュールは、第４のタイマを第６のタイマに従って設定するか、または、第４のタイマを基地局から取得するように構成され、第６のタイマは基地局で設定されたタイマであり、第２の取得サブモジュールは、第５のタイマを第７のタイマに従って設定するか、または、第５のタイマを基地局から取得するように構成され、第７のタイマは基地局で設定されたタイマである。
【０２５１】
幾つかの実現可能な実装方式では、第４のタイマの長さは第６のタイマの長さ以下であり、第１の取得サブモジュールはさらに、第６のタイマを基地局から取得するか、または基地局から取得されたメッセージに従って、基地局で設定された第６のタイマの長さを推定するように構成され、第５のタイマの長さは第７のタイマの長さ以下であり、第２の取得サブモジュールはさらに、第７のタイマを基地局から取得するか、または、基地局から取得されたメッセージに従って、基地局で設定された第７のタイマの長さを推定するように構成される。
【０２５２】
幾つかの実現可能な実装方式では、第１の取得サブモジュールが第４のタイマを基地局から取得してもよく、第２の取得サブモジュールが第５のタイマを基地局から取得してもよい。第４のタイマまたは第５のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第４のタイマの長さは基地局における第６のタイマの長さ以下であり、第５のタイマの長さは基地局における第７のタイマの長さ以下である。第６のタイマは基地局で維持され基地局側により使用される、低電力消費をトリガするためのトリガであり、第７のタイマは基地局で維持され基地局側により使用される、高電力消費をトリガするためのトリガである。それにより、指示決定モジュールが、第１の取得サブモジュールが取得した第４のタイマが切れたと知ったとき、指示決定モジュールが、ユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定してもよい。
【０２５３】
幾つかの実現可能な実装方式では、第１の取得サブモジュールが第６のタイマを基地局から取得してもよく、第２の取得サブモジュールが第７のタイマを基地局から取得してもよい。第６のタイマまたは第７のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第１の取得サブモジュールが第６のタイマを基地局から取得するとき、第４のタイマを第６のタイマに従ってユーザ機器において設定してもよく、第２の取得サブモジュールが第７のタイマを基地局から取得するとき、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、指示決定モジュールが、第１の取得サブモジュールが取得した第４のタイマが切れたと知ったとき、指示決定モジュールはユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定する。
【０２５４】
幾つかの実現可能な実装方式では、ユーザ機器自体が、第１の取得サブモジュールが基地局から取得したメッセージに従って第６のタイマを推定するか、または、第２の取得サブモジュールが基地局から取得したメッセージに従って第７のタイマの長さを推定するか、または、その両方であってもよい。例えば、ＵＥがデータ送受信動作を実施した後タイマを開始し、ＵＥが次のデータ送受信動作を実施した後に当該タイマを再開する。基地局が再構成メッセージまたはＲＲＣ接続解放メッセージをユーザ機器に配信すると仮定すると、第１の取得サブモジュールが、再構成メッセージまたはＲＲＣ接続解放メッセージの内容に従って、当該タイマの長さを第６のタイマの長さとして記録するかどうかを判定してもよく、第２の取得サブモジュールが、再構成メッセージまたはＲＲＣ接続解放メッセージの内容に従って、当該タイマの長さを第７のタイマの長さとして記録するかどうかを判定してもよい。例えば、再構成メッセージまたはＲＲＣ接続解放メッセージがハンドオーバ・コマンドであるか、または、新たな無線ベアラをセットアップするか、もしくは、元の無線ベアラを解放する等のために使用される場合には、第１の取得サブモジュールまたは第２の取得サブモジュールは当該タイマの長さを第６のタイマの長さとして記録せず、再構成メッセージまたはＲＲＣ接続解放メッセージがＤＲＸを構成するかまたはより多くの電力節約ＤＲＸを構成するために使用される場合には、第１の取得サブモジュールは当該タイマの長さを第６のタイマの長さとして記録する。
【０２５５】
具体的な実装では、第６のタイマの長さと第７のタイマの長さを記録するとき、第１の取得サブモジュールが第６のタイマに従って第４のタイマをユーザ機器において設定してもよく、第２の取得サブモジュールが第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、指示決定モジュールが、第１の取得サブモジュールが取得した第４のタイマが切れたと知ったとき、指示決定モジュールはユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定する。
【０２５６】
幾つかの実現可能な実装方式では、ユーザ機器が、複数の推定を実施することで、例えば、複数の推定結果を平均することで、または、最小値を用いることで、または、最大値を用いることで、第６のタイマの長さまたは第７のタイマまたはその両方を取得してもよい。各推定プロセスは上述の推定方法と同じでありここでは繰り返さない。これにより、第６のタイマまたは第７のタイマまたはその両方の取得した長さの精度が高まる。
【０２５７】
幾つかの実現可能な実装方式では、ユーザ機器がデータ送受信動作を完了しアイドル状態を入ったとき、ユーザ機器がユーザ機器のアイドル状態の期間、例えば、１０秒を推定してもよい（具体的な実装では、ユーザ機器が、ユーザ機器が送信または受信しているデータのサービス・タイプや現在のネットワーク条件のような因子に従ってユーザ機器のアイドル状態の期間を推定してもよい）。一方、ユーザ機器が、基地局から受信した第６のタイマに従って第４のタイマを設定してもよく、第６のタイマが８秒であると仮定すると、ユーザ機器が、第４のタイマを５秒に設定するか、または、基地局から直接第４のタイマ（例えば、１１秒）を受信してもよい。それにより、ユーザ機器のアイドル状態の期間（例えば、１０秒）がユーザ機器の第４のタイマの長さ（例えば、５秒）以上であるとユーザ機器が推定したとき、ユーザ機器の電力消費選択が低電力消費に変更されたと判定される。ユーザ機器のアイドル状態の期間（例えば、１０秒）がユーザ機器の第４のタイマの長さ（例えば、１１秒）より短いとユーザ機器が推定した場合には、選択が低電力消費に変更されたとの結論に達することはできない。第５のタイマはそれと同様でありここでは繰り返さない。
【０２５８】
具体的な実装では、本発明の当該実施形態のユーザ機器がタイマ取得モジュールと指示決定モジュールのみを備えてもよく、かかるユーザ機器が専らユーザ機器の電力消費選択を決定してもよい。
【０２５９】
幾つかの実現可能な実装方式では、場合によっては、ユーザ機器が低電力消費選択指示を基地局に送信するかまたは高電力消費選択指示を基地局に送信した後、基地局は無線リソース・パラメータ構成をユーザ機器に対して現在更新できるかどうかを判定してもよく、判定結果が否定的である場合には、基地局は低電力消費選択指示に応答しないか、または、基地局は高電力消費選択指示に応答しない。
【０２６０】
幾つかの実現可能な実装方式では、場合によっては、ユーザ機器が低電力消費選択指示を基地局に送信した後、基地局は無線リソース・パラメータ構成をユーザ機器に対して現在更新できるかどうかを判定し、判定結果が否定的である場合には、基地局は低電力消費選択指示に応答しない。
【０２６１】
幾つかの実現可能な諸実施形態では、ユーザ機器が２つの有限状態を有し、ユーザ機器がデフォルト状態にあるとき、第１のタイマ管理モジュール９０４が第１のタイマのみを開始してもよく、ユーザ機器が低電力消費状態にあるとき、第１のタイマ管理モジュール９０４が第２のタイマのみを開始してもよい。ユーザ機器が第１のタイマのみを含む場合には、ユーザが低電力消費状態にあるとき第１のタイマ管理モジュール９０４が当該タイマを開始する必要はない。ユーザ機器が当該状態により制限されない場合には、第１のタイマ管理モジュール９０４が第１のタイマと第２のタイマを同時に開始してもよく、ユーザ機器が第１のタイマのみを含む場合、第１のタイマ管理モジュール９０４は第１のタイマのみを開始する。
【０２６２】
幾つかの実現可能な実装方式では、場合によっては、ユーザ機器はさらに構成受信モジュール９０８を備えてもよく、構成受信モジュール９０８を備えることに基づいて、ユーザ機器はさらに、第６の制御モジュール９０９と第７の制御モジュール９１０のうち少なくとも１つを備えてもよい。（この場合、ユーザ機器は第８の制御モジュール９１１と第９の制御モジュール９１２を備えなくともよい）。
【０２６３】
構成受信モジュール９０８は、ユーザ機器に対して基地局により構成された無線リソース・パラメータ構成結果を受信するように構成される。
【０２６４】
第６の制御モジュール９０９は、ユーザ機器内の第１のタイマが切れていないが、構成受信モジュール９０８が無線リソース・パラメータ構成結果を受信し、かつ、ユーザ機器の電力消費選択が再び低電力消費に変更されたとき、第１のタイマが切れる前に、指示送信モジュール９００が低電力消費選択指示を基地局に送信できないと指示送信モジュール９００に通知するように構成される。
【０２６５】
第７の制御モジュール９１０は、ユーザ機器内の第２のタイマが切れていないが、基地局が送信した無線リソース・パラメータ構成結果を構成受信モジュール９０８が受信し、ユーザ機器の電力消費選択が再び高電力消費に変更されたとき、第２のタイマが切れる前に、指示送信モジュール９００が高電力消費選択指示を基地局に送信できないと指示送信モジュール９００に通知するように構成される。
【０２６６】
幾つかの実現可能な実装方式では、場合によっては、ユーザ機器はさらに構成受信モジュール９０８を備えてもよい。構成受信モジュール９０８を備えることに基づいて、ユーザ機器はさらに、第８の制御モジュール９１１と第９の制御モジュール９１２のうち少なくとも１つを備えてもよい（この場合、ユーザ機器は第６の制御モジュール９０９および第７の制御モジュール９１０を備えなくともよい）。
【０２６７】
構成受信モジュール９０８は、ユーザ機器に対して基地局により構成された無線リソース・パラメータ構成結果を受信するように構成される。
【０２６８】
第８の制御モジュール９１１は、ユーザ機器内の第１のタイマが切れたが、構成受信モジュール９０８が基地局により送信された無線リソース・パラメータ構成結果を受信せず、かつ、ユーザ機器の電力消費選択が再び低電力消費に変更されたとき、基地局が送信した無線リソース・パラメータ構成結果を構成受信モジュール９０８が受信する前に、指示送信モジュール９００が低電力消費選択指示を基地局に送信できないと指示送信モジュール９００に通知するように構成される。
【０２６９】
第９の制御モジュール９１２は、ユーザ機器内の第２のタイマが切れたが、構成受信モジュール９０８が基地局により送信された無線リソース・パラメータ構成結果を受信せず、かつ、ユーザ機器の電力消費選択が再び高電力消費に変更されたとき、基地局が送信した無線リソース・パラメータ構成結果を構成受信モジュール９０８が受信する前に、指示送信モジュール９００が高電力消費選択指示を基地局に送信できないと指示送信モジュール９００に通知するように構成される。
【０２７０】
上から分かるように、本発明の幾つかの実現可能な実装方式では、第１のタイマを使用してユーザ機器による低電力消費選択指示の送信を制限し、第２のタイマを使用して高電力消費選択指示の送信を制限する。それによりユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。さらに、本発明の当該実施形態では、ネットワーク側の第６のタイマにより制御される第４のタイマが、ユーザ機器が低電力消費選択に入るかどうかを制御し、当該ネットワーク側の第７のタイマにより制御される第５のタイマが高電力消費選択を制御する。したがって、当該ネットワーク側とユーザ機器の電力選択要件がより効果的に調整され、ユーザ機器が電力選択を最短時間で調節することが保証される。ネットワーク側のタイマとユーザ機器側のタイマの期間の衝突に起因して電力選択を適時に調節できないという欠点を効果的に解決することができる。さらに、本発明の当該実施形態では、第４のタイマおよび第５のタイマを、ユーザ機器により推定されるユーザ機器のアイドル状態の期間とともに使用してユーザ機器が低電力消費または高電力消費選択に入るかどうかを一緒に制御する。したがって、ユーザ機器の電力選択要件がより効果的に調整され、ユーザ機器が電力選択を最短時間で調節することが保証される。
【０２７１】
図８は本発明に従う第４の実施形態のユーザ機器の略構造図である。図８に示すように、当該実施形態のユーザ機器は、指示送信モジュール１０００、第１の制御モジュール１００１、第２の制御モジュール１００２、第３の制御モジュール１００３、構成受信モジュール１００４、および第３のタイマ管理モジュール１００５を備えてもよい。第２の制御モジュール１００２および第３の制御モジュール１００３のうち少なくとも１つが本発明のユーザ機器に存在する。
【０２７２】
指示送信モジュール１０００は、電力消費選択指示を基地局に送信するように構成される。当該電力消費選択指示は低電力消費選択指示または高電力消費選択指示を含む。
【０２７３】
第１の制御モジュール１００１は、ユーザ機器の電力消費選択が低電力消費に変更されたとき、低電力消費選択指示の送信を制限するために使用される第１のタイマが切れたかどうかを判定し、判定結果が肯定的である場合に、低電力消費選択指示を基地局に送信するように指示送信モジュール１０００に通知するように構成される。
【０２７４】
第２の制御モジュール１００２は、ユーザ機器の電力消費選択が高電力消費に変更されたとき、高電力消費選択指示を基地局に送信するように指示送信モジュール１０００に通知するように構成される。
【０２７５】
第３の制御モジュール１００３は、ユーザ機器の電力消費選択が高電力消費に変更されたとき、高電力消費選択指示の送信を制限するために使用される第２のタイマが切れたかどうかを判定し、判定結果が肯定的である場合に、高電力消費選択指示を基地局に送信するように指示送信モジュール１０００に通知するように構成される。
【０２７６】
構成受信モジュール１００４は、ユーザ機器に対して基地局により構成された無線リソース・パラメータ構成結果を受信するように構成される。
【０２７７】
第３のタイマ管理モジュール１００５は、構成受信モジュール１００４が当該無線リソース・パラメータ構成結果を受信した後かつユーザ機器が第１のタイマを備えるとき、第１のタイマを開始し、ユーザ機器が第１のタイマと第２のタイマを備えるとき、第１のタイマまたは第２のタイマまたは第１のタイマと第２のタイマの両方を開始するように構成される。
【０２７８】
幾つかの実現可能な実装方式では、電力消費選択指示（「電力選択指示」。低電力消費選択指示と高電力消費選択指示を含む）の送信は、ユーザ機器の２つの有限状態に基づいて実施される。この場合、ユーザ機器は２つの状態、即ち、デフォルト状態（「ｄｅｆａｕｌｔ」状態）と低電力消費状態（「ｌｏｗｅｒ  ｐｏｗｅｒ  ｃｏｎｓｕｍｐｔｉｏｎ」状態）を有する。ユーザ機器が「デフォルト（ｄｅｆａｕｌｔ）」状態にあるとユーザ機器が判定したとき、ユーザ機器は、「低電力消費（ｌｏｗｅｒ  ｐｏｗｅｒ  ｃｏｎｓｕｍｐｔｉｏｎ）」選択指示を基地局（例えば、発展型ＮｏｄｅＢ  ｅＮＢ）に送信できるのみである。逆に、ユーザが「低電力消費」状態にあるとユーザが判定した場合には、ユーザは「デフォルト」状態（高電力消費）に戻るための選択指示を基地局に送信できるのみである。この場合、場合によっては、本発明のユーザ機器はさらに、ユーザ機器の状態を判定するように構成された状態判定モジュール１００６を備える。第１の制御モジュール１００１は、ユーザ機器の電力消費選択が低電力消費に変更され、状態判定モジュール１００６が、ユーザ機器がデフォルト状態にあると示すとき、低電力消費選択指示の送信を制限するために使用される第１のタイマ（これを「Ｔ＿Ｄｅｆａｕｌｔ」と記録してもよい）が切れた（即ち、当該タイマが実行されていない）かどうかかどうかを判定し、判定結果が肯定的である場合に、低電力消費選択指示を基地局に送信するように指示送信モジュール１０００に通知する。第２の制御モジュール１００２は、ユーザ機器の電力消費選択が高電力消費に変更されたとき、状態判定モジュール１００６は、ユーザ機器が低電力消費状態にあると示し、高電力消費指示を基地局に送信するように指示送信モジュール１０００に通知する。ユーザ機器の電力消費選択が高電力消費に変更されたとき、状態判定モジュール１００６は、ユーザ機器が低電力消費状態にあると示し、第３の制御モジュール１００３は、高電力消費選択指示の送信を制限するために使用される第２のタイマ（これを「Ｔ＿ＬｏｗｅｒＰｏｗｅｒ」として記録してもよい）が切れたかどうかを判定し、判定結果が肯定的である場合に、高電力消費選択指示を基地局に送信するように指示送信モジュール１０００に通知する。
【０２７９】
幾つかの実現可能な実装方式では、状態判定モジュール１００６によりユーザ機器の状態を決定するための方法は、状態判定モジュール１００６により、指定されたパラメータ長に従ってユーザ機器の状態を決定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定するステップを含んでもよい。例えば、状態判定モジュール１００６が、ユーザ機器における不連続受信サイクル（ＤＲＸサイクル）の長さを用いることでユーザ機器の状態を決定してもよい。ユーザ機器に対して現在構成されているＤＲＸサイクルの長さがアイドル（ＩＤＬＥ）状態にあるＤＲＸサイクルの長さより短いとき、状態判定モジュール１００６はユーザ機器が「デフォルト」状態にあると判定し、ユーザ機器に対して現在構成されているＤＲＸサイクルの長さがアイドル状態にあるＤＲＸサイクルの長さ以上であるとき、状態判定モジュール１００６はＵＥが「低電力消費」状態にあるとみなす。アイドル状態にあるＤＲＸサイクルの長さを上では「デフォルト」状態と「低電力消費」状態を区別するための閾値として使用しているが、これは例にすぎない。具体的な実装では、他のパラメータの長さを、判定を実行するための閾値として使用してもよい。それにより、状態判定モジュール１００６が、ユーザ機器が「デフォルト」状態に対応するＤＲＸサイクルの長さを使用している、即ち、ユーザ機器が「デフォルト」状態にあると判定したとき、ユーザ機器の電力選択が変化しユーザ機器が低電力消費を期待する場合には、第１のタイマが切れたことを前提に、「電力選択指示」が基地局に送信され、「低電力消費」状態に対応するＤＲＸパラメータ構成の使用を要求する。状態判定モジュール１００６が、ユーザ機器が「低電力消費」状態に対応するＤＲＸサイクルの長さを使用している、即ち、ユーザ機器が「低電力消費」状態にあると判定したとき、ユーザ機器の電力選択が変化しユーザ機器が高性能、即ち、高電力消費を期待する場合には、「電力選択指示」が基地局に送信され、「デフォルト」状態に対応するＤＲＸパラメータ構成の使用を要求する。
【０２８０】
幾つかの実現可能な実装方式では、状態判定モジュール１００６によるユーザ機器の状態を決定するための方法は、状態判定モジュール１００６により、ユーザ機器に対して基地局により構成された不連続受信ＤＲＸパラメータに従ってユーザ機器の状態を判定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含んでもよい。
【０２８１】
幾つかの実現可能な実装方式では、基地局が、ユーザ機器に対するデフォルト状態に対応する不連続受信ＤＲＸパラメータおよび低電力消費状態に対応する不連続受信ＤＲＸパラメータを同時に構成してもよく、当該パラメータに対応する状態をユーザに明示的または暗黙的に通知してもよい。あるいは、基地局が、ユーザ機器に対して１組のＤＲＸパラメータのみを毎回構成し、当該ＤＲＸパラメータに対応する状態を明示的に示してもよい。例えば、基地局が、無線リソース管理ＲＲＣ接続を構成するときユーザ機器に対して２組の異なるＤＲＸパラメータを構成してもよい。さらに、基地局が、ＵＥがＲＲＣ接続状態に入ったときにどの組のＤＲＸパラメータを使用するか（「デフォルト」に対応するＤＲＸパラメータを使用するか、または、「低電力消費」に対応するＤＲＸパラメータを使用する）、即ち、ＵＥがどの状態にあるかを明示的に示してもよく、または、デフォルトで、ユーザ機器が、ＲＲＣ接続状態に入ったとき「デフォルト」状態に直接入り、「デフォルト」状態に対応するＤＲＸパラメータを使用すると示してもよく、または、デフォルトで、ユーザ機器が、ＲＲＣ接続状態に入ったとき「低電力消費」状態に直接入り、「低電力消費」状態に対応するＤＲＸパラメータを使用すると示してもよい。別の例として、基地局がＲＲＣ接続再構成プロセスで当該構成を実施してもよい。即ち、基地局は、ＲＲＣ接続再構成プロセスでユーザ機器に対して２組の異なるＤＲＸパラメータを構成する。したがって、基地局が、ＲＲＣ接続再構成プロセスの後にどの組のＤＲＸパラメータがユーザ機器により使用されるか、即ち、ユーザ機器がどの状態にあるかを示してもよい。別の例として、基地局がユーザ機器の状態を暗黙的に示す。通常は、現在使用されているＤＲＸパラメータを決定することでユーザ機器がユーザ機器の状態を決定する。即ち、基地局により新たに構成された２組のＤＲＸパラメータのうち一方の組がユーザ機器により現在使用されているＤＲＸパラメータと同じであることをユーザ機器が発見した場合には、ＵＥは、当該１組のＤＲＸパラメータに対応する状態を使用することで、再構成の後のＵＥの状態を決定する。それにより、状態判定モジュール１００６が、ユーザ機器が「デフォルト」状態に対応するＤＲＸパラメータを使用している、即ち、ユーザ機器が「デフォルト」状態にあると判定したとき、ユーザ機器の電力選択が変化しユーザ機器が低電力消費を期待する場合には、第１のタイマが切れたことを前提に、指示送信モジュール１０００は「電力選択指示」を基地局に送信して、「低電力消費」状態に対応するＤＲＸパラメータ構成を使用することを要求してもよい。状態判定モジュール１００６が、ユーザ機器が「低電力消費」状態に対応するＤＲＸパラメータを使用している、即ち、ユーザ機器が「低電力消費」状態にあると判定したとき、ユーザ機器の電力選択が変化しユーザ機器が高性能、即ち、高電力消費を期待する場合には、第２のタイマが切れたことを前提に（ユーザ機器が第３の制御モジュール１００３を備えることを前提に）、指示送信モジュール１０００は「電力選択指示」を基地局に送信して、「デフォルト」状態に対応するＤＲＸパラメータ構成の使用を要求してもよい。状態判定モジュール１００６が、ユーザ機器が「低電力消費」状態に対応するＤＲＸパラメータを使用している、即ち、ユーザ機器が「低電力消費」状態にあると判定したとき、ユーザ機器の電力選択が変化しユーザ機器が高性能、即ち、高電力消費を期待する場合には、（ユーザ機器が第２の制御モジュール１００２を備えることを前提に）指示送信モジュール１０００は「電力選択指示」を基地局に送信して、「デフォルト」状態に対応するＤＲＸパラメータ構成の使用を要求してもよい。
【０２８２】
幾つかの実現可能な実装方式では、電力消費選択指示（「電力選択指示」。低電力消費選択指示と高電力消費選択指示を含む）の送信をユーザ機器の状態により制限しなくともよい。即ち、ユーザ機器の電力消費選択が変化する限り、電力消費選択指示を基地局に送信してもよい。この場合、ユーザ機器は状態判定モジュール１００６を備えなくともよい。ユーザ機器の電力消費選択が低電力消費に変更されたとき、第１の制御モジュール１００１が、低電力消費選択指示の送信を制限するために使用される第１のタイマが切れたかどうかを直接判定し、判定結果が肯定的である場合に、低電力消費選択指示を基地局に送信するように指示送信モジュール１０００に通知する。ユーザ機器の電力消費選択が高電力消費に変更されたとき、第２の制御モジュール１００２は、高電力消費選択指示を基地局に送信するように指示送信モジュール１０００に直接通知する。ユーザ機器の電力消費選択が高電力消費に変更されたとき、第３の制御モジュール１００３が、高電力消費選択指示の送信を制限するために使用される第２のタイマが切れたかどうかを直接判定し、判定結果が肯定的である場合に、高電力消費選択指示を基地局に送信するように指示送信モジュール１０００に通知する。
【０２８３】
幾つかの実現可能な実装方式では、場合によっては、第１の制御モジュール１００１による第１のタイマが切れたかどうかの判定結果が否定的であるとき、即ち、第１のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、第１の制御モジュール１００１はさらに、「電力選択指示」の送信が制限されると上位層に通知するようにユーザ機器のＡＳに指示してもよく、対応する第１のタイマが切れた後、ユーザ機器のＡＳは、送信が制限されていないと上位層に通知するように指示される。しかし、当該ＡＳの上位層が当該非制限指示を受信した後、ユーザ機器が依然として低電力消費選択指示を送信する必要があると上位層が判定した場合には、アクセス層ＡＳに通知してもよい。そうでなく、ユーザ機器が低電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、第１の制御モジュール１００１は、動作を実施しないようにユーザ機器に通知してもよい。
【０２８４】
幾つかの実現可能な諸実施形態では、場合によっては、第３の制御モジュール１００３による第２のタイマが切れたかどうかの判定結果が否定的である、即ち、第２のタイマが依然として実行されているとき、ユーザ機器が、ユーザ機器が「電力選択指示」の送信とタイマ管理動作を実施するプロトコル層と異なるプロトコル層で当該電力選択の変化を決定した場合、（説明の簡単さのため、ユーザ機器が「電力選択指示」の送信とタイマ管理動作を実施するプロトコル層をＡＳ（Ａｃｃｅｓｓ  Ｓｔｒａｔｕｍ、アクセス層）と称してもよく、電力選択が決定されるプロトコル層をＡＳの上位層（ｕｐｐｅｒ  ｌａｙｅｒ）と称する）、第３の制御モジュール１００３が、「電力選択指示」の送信が制限されると上位層に通知するようにユーザ機器のＡＳに指示してもよく、第２のタイマが切れた後は、第３の制御モジュール１００３が、送信が制限されていないと上位層に通知するようにユーザ機器のＡＳに指示してもよい。しかし、当該ＡＳの上位層が当該非制限指示を受信した後、ユーザ機器が依然として高電力消費選択指示を送信する必要があると当該上位層が判定した場合には、アクセス層ＡＳに通知してもよい。そうでなく、ユーザ機器が高電力消費選択指示を送信する必要がない場合には、動作は実施されない。ユーザ機器が、ユーザ機器が「電力選択指示」の送信とタイマ管理動作を実施するプロトコル層と同じプロトコル層で電力選択を決定する場合、（当該プロトコル層はここでは具体的に定義されず、その実行体を集合的にユーザ機器と称する）、第３の制御モジュール１００３は、動作を実施しないようにユーザ機器に指示する。
【０２８５】
幾つかの実現可能な実装方式では、第１のタイマの長さと第２のタイマの長さをユーザ機器で予め設定してもよい。この場合、場合によっては、ユーザ機器はさらに、ユーザ機器内の第１のタイマの長さおよび第２のタイマの長さを予め設定するように構成された設定モジュール（図示せず）を備えてもよい。
【０２８６】
幾つかの実現可能な実装方式では、第１のタイマの長さと第２のタイマの長さが無線リソース管理接続セットアップ・プロセスまたは無線リソース管理接続再構成プロセスでユーザ機器に対して基地局により指定される。この場合、場合によっては、ユーザ機器はさらに、するユーザ機器に対して基地局により指定された第１のタイマの長さと第２のタイマの長さを受信するように構成された長さ受信モジュール（図示せず）を備えてもよい。幾つかの実現可能な実装方式では第１のタイマの長さは第２のタイマの長さ以上である。
【０２８７】
幾つかの実現可能な実装方式では、ユーザ機器はさらに、第４のタイマと第５のタイマのうち少なくとも１つを取得するように構成されたタイマ取得モジュール（図示せず）と、タイマ取得モジュールにより取得された第４のタイマが切れるか、または、ユーザ機器のアイドル状態の期間がタイマ取得モジュールにより取得された第４のタイマの長さ以上であるとユーザ機器が推定したとき、ユーザ機器の電力消費選択が低電力消費に変更されたと判定し、かつ／または、タイマ取得モジュールにより取得された第５のタイマが切れるか、または、ユーザ機器のアイドル状態の期間がタイマ取得モジュールにより取得された第５のタイマの長さ以下であるとユーザ機器が推定したとき、ユーザ機器の電力消費選択が高電力消費に変更されたと判定するように構成された指示決定モジュール（図示せず）とを備えてもよい。
【０２８８】
幾つかの実現可能な実装方式では、タイマ取得モジュールは第１の取得サブモジュールと第２の取得サブモジュールのうち少なくとも１つを備える。第１の取得サブモジュールは、第４のタイマを第６のタイマに従って設定するか、または、第４のタイマを基地局から取得するように構成され、第６のタイマは基地局で設定されたタイマであり、第２の取得サブモジュールは、第５のタイマを第７のタイマに従って設定するか、または、第５のタイマを基地局から取得するように構成され、第７のタイマは基地局で設定されたタイマである。
【０２８９】
幾つかの実現可能な実装方式では、第４のタイマの長さは第６のタイマの長さ以下であり、第１の取得サブモジュールはさらに、第６のタイマを基地局から取得するか、または基地局から取得されたメッセージに従って、基地局で設定された第６のタイマの長さを推定するように構成され、第５のタイマの長さは第７のタイマの長さ以下であり、第２の取得サブモジュールはさらに、第７のタイマを基地局から取得するか、または、基地局から取得されたメッセージに従って、基地局で設定された第７のタイマの長さを推定するように構成される。
【０２９０】
幾つかの実現可能な実装方式では、第１の取得サブモジュールが第４のタイマを基地局から取得してもよく、第２の取得サブモジュールが第５のタイマを基地局から取得してもよい。第４のタイマまたは第５のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第４のタイマの長さは基地局における第６のタイマの長さ以下であり、第５のタイマの長さは基地局における第７のタイマの長さ以下である。第６のタイマは基地局で維持され基地局側により使用される、低電力消費をトリガするためのトリガであり、第７のタイマは基地局で維持され基地局側により使用される、高電力消費をトリガするためのトリガである。それにより、指示決定モジュールが、第１の取得サブモジュールが取得した第４のタイマが切れたと知ったとき、指示決定モジュールが、ユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定してもよい。
【０２９１】
幾つかの実現可能な実装方式では、第１の取得サブモジュールが第６のタイマを基地局から取得してもよく、第２の取得サブモジュールが第７のタイマを基地局から取得してもよい。第６のタイマまたは第７のタイマまたはその両方を、基地局により送信された無線リソース制御プロトコル・メッセージ、物理層メッセージ、データ・リンク層メッセージ、およびセル・ハンドオーバ・メッセージのうち少なくとも１つから取得してもよい。具体的な実装では、第１の取得サブモジュールが第６のタイマを基地局から取得するとき、第４のタイマを第６のタイマに従ってユーザ機器において設定してもよく、第２の取得サブモジュールが第７のタイマを基地局から取得するとき、第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、指示決定モジュールが、第１の取得サブモジュールが取得した第４のタイマが切れたと知ったとき、指示決定モジュールはユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定する。
【０２９２】
幾つかの実現可能な実装方式では、ユーザ機器自体が、第１の取得サブモジュールが基地局から取得したメッセージに従って第６のタイマを推定するか、または、第２の取得サブモジュールが基地局から取得したメッセージに従って第７のタイマの長さを推定するか、または、その両方であってもよい。例えば、ＵＥがデータ送受信動作を実施した後タイマを開始し、ＵＥが次のデータ送受信動作を実施した後に当該タイマを再開する。基地局が再構成メッセージまたはＲＲＣ接続解放メッセージをユーザ機器に配信すると仮定すると、第１の取得サブモジュールが、再構成メッセージまたはＲＲＣ接続解放メッセージの内容に従って、当該タイマの長さを第６のタイマの長さとして記録するかどうかを判定してもよく、第２の取得サブモジュールが、再構成メッセージまたはＲＲＣ接続解放メッセージの内容に従って、当該タイマの長さを第７のタイマの長さとして記録するかどうかを判定してもよい。例えば、再構成メッセージまたはＲＲＣ接続解放メッセージがハンドオーバ・コマンドであるか、または、新たな無線ベアラをセットアップするか、もしくは、元の無線ベアラを解放する等のために使用される場合には、第１の取得サブモジュールまたは第２の取得サブモジュールは当該タイマの長さを第６のタイマの長さとして記録せず、再構成メッセージまたはＲＲＣ接続解放メッセージがＤＲＸを構成するかまたはより多くの電力節約ＤＲＸを構成するために使用される場合には、第１の取得サブモジュールは当該タイマの長さを第６のタイマの長さとして記録する。
【０２９３】
具体的な実装では、第６のタイマの長さと第７のタイマの長さを記録するとき、第１の取得サブモジュールが第６のタイマに従って第４のタイマをユーザ機器において設定してもよく、第２の取得サブモジュールが第５のタイマを第７のタイマに従って設定してもよい。さらに、設定した第４のタイマの長さが第６のタイマの長さ以下であってもよく、設定した第５のタイマの長さが第７のタイマの長さ以下であってもよい。それにより、指示決定モジュールが、第１の取得サブモジュールが取得した第４のタイマが切れたと知ったとき、指示決定モジュールはユーザ機器の電力消費選択が低電力消費に変更されたと判定し、指示決定モジュールが、第２の取得サブモジュールが取得した第５のタイマが切れたと知ったとき、ユーザ機器の電力消費選択が高電力消費に変更されたと判定する。
【０２９４】
幾つかの実現可能な実装方式では、ユーザ機器が、複数の推定を実施することで、例えば、複数の推定結果を平均することで、または、最小値を用いることで、または、最大値を用いることで、第６のタイマの長さまたは第７のタイマまたはその両方を取得してもよい。各推定プロセスは上述の推定方法と同じでありここでは繰り返さない。これにより、第６のタイマまたは第７のタイマまたはその両方の取得した長さの精度が高まる。
【０２９５】
幾つかの実現可能な実装方式では、ユーザ機器がデータ送受信動作を完了しアイドル状態を入ったとき、ユーザ機器がユーザ機器のアイドル状態の期間、例えば、１０秒を推定してもよい（具体的な実装では、ユーザ機器が、ユーザ機器が送信または受信しているデータのサービス・タイプや現在のネットワーク条件のような因子に従ってユーザ機器のアイドル状態の期間を推定してもよい）。一方、ユーザ機器が、基地局から受信した第６のタイマに従って第４のタイマを設定してもよく、第６のタイマが８秒であると仮定すると、ユーザ機器が、第４のタイマを５秒に設定するか、または、基地局から直接第４のタイマ（例えば、１１秒）を受信してもよい。それにより、ユーザ機器のアイドル状態の期間（例えば、１０秒）がユーザ機器の第４のタイマの長さ（例えば、５秒）以上であるとユーザ機器が推定したとき、ユーザ機器の電力消費選択が低電力消費に変更されたと判定される。ユーザ機器のアイドル状態の期間（例えば、１０秒）がユーザ機器の第４のタイマの長さ（例えば、１１秒）より短いとユーザ機器が推定した場合には、選択が低電力消費に変更されたとの結論に達することはできない。第５のタイマはそれと同様でありここでは繰り返さない。
【０２９６】
具体的な実装では、本発明の当該実施形態のユーザ機器がタイマ取得モジュールと指示決定モジュールのみを備えてもよく、かかるユーザ機器が専らユーザ機器の電力消費選択を決定してもよい。
【０２９７】
幾つかの実現可能な実装方式では、基地局が低電力消費選択指示を受信した後、基地局が、低電力消費（「ｌｏｗｅｒ  ｐｏｗｅｒ  ｃｏｎｓｕｍｐｔｉｏｎ」）状態および（ＣＱＩ、Ｓｏｕｎｄｉｎｇのような）物理層パラメータに対応するＤＲＸパラメータをユーザ機器に対して構成する。通常は以下のように行われるかもしれない。
【０２９８】
ＲＲＣ接続再構成の最中に、基地局が、ユーザ機器に対して２組の不連続受信ＤＲＸパラメータを構成し、ユーザ機器が無線リソース管理接続を実施したとき、「低電力消費」に対応するＤＲＸパラメータを使用するようにユーザ機器に指示し、基地局が、当該２組の不連続受信ＤＲＸパラメータに従ってユーザ機器に対して２組の物理層パラメータを構成し、ユーザ機器が無線リソース管理接続を実施したとき、「低電力消費」に対応するＤＲＸパラメータに対応する物理層パラメータを使用するようにユーザ機器に指示する。
【０２９９】
幾つかの実現可能な実装方式では、基地局が高電力消費選択指示を受信した後、基地局が、高電力消費（「デフォルト」）状態および（ＣＱＩ、Ｓｏｕｎｄｉｎｇのような）物理層パラメータに対応するＤＲＸパラメータをユーザ機器に対して構成する。通常は以下のように行われるかもしれない。
【０３００】
ＲＲＣ接続再構成の最中に、基地局が、ユーザ機器に対して２組の不連続受信ＤＲＸパラメータを構成し、ユーザ機器が無線リソース管理接続を実施したとき、「デフォルト」に対応するＤＲＸパラメータを使用するようにユーザ機器に指示する。基地局が、当該２組の不連続受信ＤＲＸパラメータに従ってユーザ機器に対して２組の物理層パラメータを構成し、ユーザ機器が無線リソース管理接続を実施したとき、「デフォルト」に対応するＤＲＸパラメータに対応する物理層パラメータを使用するようにユーザ機器に指示する。
【０３０１】
幾つかの実現可能な実装方式では、基地局により当該ＤＲＸパラメータを設定するステップは当該ＤＲＸサイクルの長さを設定するステップを含む。低電力消費選択指示を受信した後、基地局が、当該ＤＲＸサイクルの長さを、アイドル状態にあるＤＲＸサイクルの長さより短く設定してもよい。高電力消費選択指示を受信した後、基地局が、当該ＤＲＸサイクルの長さを、アイドル状態にあるＤＲＸサイクルの長さを超えない長さに設定してもよい。
【０３０２】
幾つかの実現可能な諸実施形態では、ユーザ機器が、ユーザ機器の現在状態を決定することで、使用されているＤＲＸパラメータを暗黙的に決定してもよい。即ち、ユーザ機器が現在「デフォルト」状態にあるとき、基地局が必ずしも当該状態を変更するようにユーザ機器に指示しない場合には、ユーザ機器は「デフォルト」状態に対応する新たなＤＲＸパラメータを使用し、そうでない場合には、ユーザ機器が現在「低電力消費」状態にあるとき、基地局が必ずしも当該状態を変更するようにユーザ機器に指示しない場合には、ユーザ機器は「低電力消費」状態に対応する新たなＤＲＸパラメータを使用する。
【０３０３】
幾つかの実現可能な実装方式では、場合によっては、ユーザ機器が低電力消費選択指示を基地局に送信するかまたは高電力消費選択指示を基地局に送信した後、基地局は無線リソース・パラメータ構成をユーザ機器に対して現在更新できるかどうかを判定してもよく、判定結果が否定的である場合には、基地局は低電力消費選択指示に応答しないか、または、基地局は高電力消費選択指示に応答しない。
【０３０４】
幾つかの実現可能な実装方式では、場合によっては、ユーザ機器が低電力消費選択指示を基地局に送信した後、基地局は無線リソース・パラメータ構成をユーザ機器に対して現在更新できるかどうかを判定し、判定結果が否定的である場合には、基地局は低電力消費選択指示に応答しない。
【０３０５】
幾つかの実現可能な諸実施形態では、ユーザ機器が２つの有限状態を有し、ユーザ機器がデフォルト状態にあるとき、第３のタイマ管理モジュール１００５が第１のタイマのみを開始してもよく、ユーザ機器が低電力消費状態にあるとき、第３のタイマ管理モジュール１００５が第２のタイマのみを開始してもよい。ユーザ機器が第１のタイマのみを含む場合には、ユーザが低電力消費状態にあるとき第３のタイマ管理モジュール１００５が当該タイマを開始する必要はない。ユーザ機器が当該状態により制限されない場合には、第３のタイマ管理モジュール１００５が第１のタイマと第２のタイマを同時に開始してもよく、ユーザ機器が第１のタイマのみを含む場合、第３のタイマ管理モジュール１００５は第１のタイマのみを開始する。
【０３０６】
上から分かるように、本発明の幾つかの実現可能な実装方式では、第１のタイマを使用してユーザ機器による低電力消費選択指示の送信を制限し、第２のタイマを使用して高電力消費選択指示の送信を制限する。それによりユーザ機器による低電力消費選択指示の送信と高電力消費選択指示の送信が別々に制限され、制限が同一のタイマを用いて実施される先行技術よりも、柔軟であり、かつ、より良いユーザ・エクスペリエンスが実現される。さらに、本発明の当該実施形態では、ネットワーク側の第６のタイマにより制御される第４のタイマが、ユーザ機器が低電力消費選択に入るかどうかを制御し、当該ネットワーク側の第７のタイマにより制御される第５のタイマが高電力消費選択を制御する。したがって、当該ネットワーク側とユーザ機器の電力選択要件がより効果的に調整され、ユーザ機器が電力選択を最短時間で調節することが保証される。ネットワーク側のタイマとユーザ機器側のタイマの期間の衝突に起因して電力選択を適時に調節できないという欠点を効果的に解決することができる。さらに、本発明の当該実施形態では、第４のタイマおよび第５のタイマを、ユーザ機器により推定されるユーザ機器のアイドル状態の期間とともに使用してユーザ機器が低電力消費または高電力消費選択に入るかどうかを一緒に制御する。したがって、ユーザ機器の電力選択要件がより効果的に調整され、ユーザ機器が電力選択を最短時間で調節することが保証される。
【０３０７】
上記に対応して、本発明の１実施形態はさらにシグナリングを送信するためのシステムを提供する。当該システムはユーザ機器１３１と基地局１３２を備えてもよい。ユーザ機器１３１は本発明のユーザ機器の上述の実施形態における任意の１つであり、基地局１３２は、ユーザ機器により送信された電力消費選択指示を受信し、無線リソース管理プロセスでユーザ機器に対して無線リソース・パラメータ構成を実施するように構成される。当該電力消費選択指示は低電力消費選択指示または高電力消費選択指示を含む。基地局はさらに、第４のタイマ、第５のタイマ、第６のタイマ、および第７のタイマのうち少なくとも１つをユーザ機器に送信するように構成される。
【０３０８】
ユーザ機器が２つの状態、即ち、デフォルト状態と低電力消費状態を有するとき、基地局により、ユーザ機器に対する無線リソース・パラメータ構成を無線リソース管理プロセスで実施するステップは、無線リソース管理接続セットアップの間に、基地局により、ユーザ機器に対して２組の不連続受信ＤＲＸパラメータを構成し、ユーザ機器が無線リソース管理接続を実施するときに使用されるＤＲＸパラメータを示すステップであって、一方の組のパラメータはユーザ機器がデフォルト状態にあることを示すのに使用され、他方の組のパラメータはユーザ機器が低電力消費状態にあることを示すのに使用されるステップと、基地局により、異なる不連続受信ＤＲＸパラメータに従って、ユーザ機器に対する２組の対応する物理層を構成するステップを含み、または、基地局により、ユーザ機器に対する無線リソース・パラメータ構成を無線リソース管理プロセスで実施するステップは、無線リソース管理再構成プロセスにおいて、基地局により、ユーザ機器に対して２組の不連続受信ＤＲＸパラメータを構成し、ユーザ機器が無線リソース管理再構成を完了した後に使用されるＤＲＸパラメータを示すステップであって、一方の組のパラメータはユーザ機器がデフォルト状態にあることを示すのに使用され、他方の組のパラメータはユーザ機器が低電力消費状態にあることを示すのに使用されるステップと、基地局により、異なる不連続受信ＤＲＸパラメータに従って、ユーザ機器に対する２組の対応する物理層を構成するステップを含む。
【０３０９】
具体的な実装では、本発明はさらにコンピュータ記憶媒体を提供する。当該コンピュータ記憶媒体はプログラムを格納することができ、当該プログラムが実行されたとき、当該プログラムが、本発明に従うシグナリングを送信するための方法または電力消費選択を決定するための方法の実施形態におけるステップの全部または一部を含んでもよい。当該記憶媒体が、磁気ディスク、光ディスク、読取専用メモリ（Ｒｅａｄ−ＯｎｌｙＭｅｍｏｒｙ、ＲＯＭ）、またはランダム・アクセス・メモリ（ＲおよびｏｍＡｃｃｅｓｓＭｅｍｏｒｙ、ＲＡＭ）等であってもよい。
【０３１０】
具体的な実装では、図１０に示すように、本発明はさらにユーザ機器１４を提供する。ユーザ機器１４は、入力装置１４１、出力装置１４２、およびプロセッサ１４４（具体的な実装では、ユーザ機器１４の複数のプロセッサ１４４が存在してもよく、図１０では１つのみのプロセッサ１４４の例を使用する）を備えてもよい。プロセッサ１４４は、ユーザ機器の電力消費選択が低電力消費に変更されたとき、低電力消費選択指示の送信を制限するために使用される第１のタイマが切れたかどうかを判定し、判定結果が肯定的である場合に、低電力消費選択指示を基地局に送信するように出力装置１４２に指示するステップと、ユーザ機器の電力消費選択が高電力消費に変更されたとき、高電力消費選択指示を基地局に送信するように出力装置１４２に指示するか、または、高電力消費選択指示の送信を制限するために使用される第２のタイマが切れたかどうかを判定し、判定結果が肯定的である場合に、高電力消費選択指示を基地局に送信するように出力装置１４２に指示するステップとを実施する。
【０３１１】
幾つかの実現可能な実装方式では、ユーザ機器は２つの状態、即ち、デフォルト状態と低電力消費状態を有し、したがってプロセッサ１４４はさらに、ユーザ機器の電力消費選択が低電力消費に変更されたとき、ユーザ機器がデフォルト状態にあるかどうかに関する第１の判定を実行し、当該第１の判定の判定結果が肯定的である場合には、低電力消費選択指示の送信を制限するために使用される第１のタイマが切れたかどうかに関する第２の判定を実行し、当該第２の判定の判定結果が肯定的である場合には、低電力消費選択指示を基地局に送信するように出力装置１４２に指示するステップと、ユーザ機器の電力消費選択が高電力消費に変更されたとき、ユーザ機器が低電力消費状態にあるかどうかを判定し、判定結果が肯定的である場合に、高電力消費指示を基地局に送信するように出力装置１４２に指示するステップと、ユーザ機器の電力消費選択が高電力消費に変更されたとき、ユーザ機器が低電力消費状態にあるかどうかに関する第３の判定を実行し、当該第３の判定の判定結果が肯定的である場合には、高電力消費選択指示の送信を制限するために使用される第２のタイマが切れたかどうかに関する第４の判定を実行し、当該第４の判定の判定結果が肯定的である場合には、高電力消費選択指示を基地局に送信するように出力装置１４２に指示するステップと、を実施する。
【０３１２】
幾つかの実現可能な実装方式では、プロセッサ１４４によりユーザ機器の状態を決定するための方法は、プロセッサ１４４により、指定されたパラメータ長に従ってユーザ機器の状態を決定し、デフォルト状態が要求する長さを当該パラメータ長が満たすとき、ユーザ機器がデフォルト状態にあると判定するか、または、低電力消費状態が要求する長さを当該パラメータ長が満たすとき、ユーザ機器が低電力消費状態にあると判定するステップを含み、または、プロセッサ１４４によりユーザ機器の状態を決定するための方法は、プロセッサ１４４によって、ユーザ機器に対して基地局により構成された不連続受信ＤＲＸパラメータに従ってユーザ機器の状態を決定し、ユーザ機器がデフォルト状態に対応する不連続受信ＤＲＸパラメータを使用しているとき、ユーザ機器がデフォルト状態にあると判定するか、もしくは、ユーザ機器が低電力消費状態に対応する不連続受信ＤＲＸパラメータを使用しているとき、ユーザ機器が低電力消費状態にあると判定するステップを含む。
【０３１３】
幾つかの実現可能な実装方式では、プロセッサ１４４はさらに、第１のタイマが切れたかどうかの判定結果が否定的であるとき、低電力消費選択指示を送信するために使用されるユーザ機器内のプロトコル層に通知して、ユーザ機器の電力消費選択の変化を学習するために使用されるプロトコル層に、低電力消費選択指示の送信が制限されることを通知するステップ、または、第１のタイマが切れたかどうかの判定結果が否定的であるとき、動作を実施しないようにユーザ機器に通知するステップを実施する。
【０３１４】
幾つかの実現可能な実装方式では、プロセッサ１４４はさらに、第２のタイマが切れたかどうかの判定結果が否定的であるとき、高電力消費選択指示を送信するために使用されるユーザ機器内のプロトコル層に通知して、ユーザ機器の電力消費選択の変化を学習するために使用されるプロトコル層に高電力消費選択指示の送信が制限されることを通知するステップ、または、第２のタイマが切れたかどうかの判定結果が否定的であるとき、動作を実施しないようにユーザ機器に通知するステップを実施する。
【０３１５】
幾つかの実現可能な実装方式では、プロセッサ１４４が低電力消費選択指示を基地局に送信するかまたは高電力消費選択指示を基地局に送信した後、プロセッサ１４４はさらに、ユーザ機器が第１のタイマを備えるとき第１のタイマを開始するステップと、ユーザ機器が第１のタイマと第２のタイマを備えるとき、第１のタイマまたは第２のタイマまたはその両方を開始するステップと、を実施する。
【０３１６】
幾つかの実現可能な実装方式では、プロセッサ１４４はさらに、ユーザ機器内の第１のタイマが切れておらず、基地局が送信した無線リソース・パラメータ構成結果が受信され、かつ、ユーザ機器の電力消費選択が再び低電力消費に変更されたとき、第１のタイマが切れるまで、出力装置１４２が低電力消費選択指示を基地局に送信できないと示すステップと、ユーザ機器内の第２のタイマが切れておらず、基地局が送信した無線リソース・パラメータ構成結果が受信され、かつ、ユーザ機器の電力消費選択が再び高電力消費に変更されたとき、第２のタイマが切れるまで、出力装置１４２が高電力消費選択指示を基地局に送信できないと示すステップと、を実施する。
【０３１７】
幾つかの実現可能な実装方式では、プロセッサ１４４はさらに、ユーザ機器内の第１のタイマが切れたが、基地局が送信した無線リソース・パラメータ構成結果が受信されず、かつ、ユーザ機器の電力消費選択が再び低電力消費に変更されたとき、基地局が送信した無線リソース・パラメータ構成結果が受信されるまで、出力装置１４２が低電力消費選択指示を基地局に送信できないと示すステップと、ユーザ機器内の第２のタイマが切れたが、基地局が送信した無線リソース・パラメータ構成結果が受信されず、かつ、ユーザ機器の電力消費選択が再び高電力消費に変更されたとき、基地局が送信した無線リソース・パラメータ構成結果が受信されるまで、出力装置１４２が高電力消費選択指示を基地局に送信できないと示すステップと、を実施する。
【０３１８】
幾つかの実現可能な実装方式では、プロセッサ１４４はさらに、基地局が送信した無線リソース・パラメータ構成結果を受信するステップと、ユーザ機器が第１のタイマを備えるとき第１のタイマを開始するステップと、ユーザ機器が第１のタイマと第２のタイマを備えるとき、第１のタイマまたは第２のタイマまたはその両方を開始するステップとを実施する。
【０３１９】
幾つかの実現可能な実装方式では、プロセッサ１４４はさらに、基地局が送信した無線リソース・パラメータ構成結果を入力装置１４１が受信したとき、第３のタイマを停止するステップを実施する。幾つかの実現可能な実装方式では、第１のタイマの長さは第２のタイマの長さ以上である。
【０３２０】
幾つかの実現可能な実装方式では、プロセッサ１４４はさらに、第１のタイマの長さと第２のタイマの長さをユーザ機器で予め設定するステップ、または、無線リソース管理接続セットアップ・プロセスまたは無線リソース管理接続再構成プロセスで、ユーザ機器に対して基地局により指定された第１のタイマの長さと第２のタイマの長さを受信するステップを実施する。
【０３２１】
幾つかの実現可能な実装方式では、場合によっては、プロセッサ１４４はさらに、第４のタイマを取得するステップと、取得した第４のタイマが切れるか、または、ユーザ機器のアイドル状態の期間が第４のタイマの長さ以上であるとユーザ機器が推定したとき、プロセッサにより、ユーザ機器の電力消費選択が低電力消費に変更されたと判定するステップと、第５のタイマを取得するステップと、ユーザ機器の第５のタイマが切れるか、または、ユーザ機器のアイドル状態の期間がユーザ機器の第５のタイマの長さ以下であるとユーザ機器が推定したとき、プロセッサにより、ユーザ機器の電力消費選択が高電力消費に変更されたと判定するステップと、を実施する。
【０３２２】
幾つかの実現可能な実装方式では、プロセッサ１４４により、第４のタイマを取得するステップは特に、プロセッサにより、第６のタイマに従って第４のタイマを設定するか、または、プロセッサにより、第４のタイマを基地局から取得するステップであって、第６のタイマは基地局で設定されたタイマであるステップを含み、プロセッサにより第５のタイマを取得するステップは特に、プロセッサにより、第７のタイマに従って第５のタイマを設定するか、または、プロセッサにより、第５のタイマを基地局から取得するステップであって、第７のタイマは基地局で設定されたタイマであるステップを含む。
【０３２３】
幾つかの実現可能な実装方式では、第４のタイマの長さは第６のタイマの長さ以下であり、プロセッサ１４４が第４のタイマを第６のタイマに従って設定する前に、プロセッサはさらに、第６のタイマを基地局から取得するか、または、基地局から取得されたメッセージに従って、基地局で設定された第６のタイマの長さを推定するステップを実施し、第５のタイマの長さは第７のタイマの長さ以下であり、プロセッサが第７のタイマに従って第５のタイマを設定する前に、プロセッサはさらに、第７のタイマを基地局から取得するか、または、基地局から取得されたメッセージに従って、基地局で設定された第７のタイマの長さを推定するステップを実施する。
【０３２４】
幾つかの実現可能な実装方式では、プロセッサ１４４が第４のタイマを基地局から取得するとき、第４のタイマは、基地局により送信された無線リソース制御プロトコル・メッセージ、物理層メッセージ、データ・リンク層メッセージ、およびセル・ハンドオーバ・メッセージのうち何れか１つで運搬され、プロセッサ１４４が第５のタイマを基地局から取得した、第５のタイマは、基地局により送信された無線リソース制御プロトコル・メッセージ、物理層メッセージ、データ・リンク層メッセージ、およびセル・ハンドオーバ・メッセージのうち何れか１つで運搬され、プロセッサ１４４が第６のタイマを基地局から取得するとき、第６のタイマは、基地局により送信された無線リソース制御プロトコル・メッセージ、物理層メッセージ、データ・リンク層メッセージ、およびセル・ハンドオーバ・メッセージのうち何れか１つで運搬され、プロセッサ１４４が第７のタイマを基地局から取得するとき、第７のタイマは、基地局により送信された無線リソース制御プロトコル・メッセージ、物理層メッセージ、データ・リンク層メッセージ、およびセル・ハンドオーバ・メッセージのうち何れか１つで運搬される。
【０３２５】
本発明の範囲または趣旨から逸脱せずに本発明に様々な修正や変形を加えうることは当業者には明らかである。本発明は、添付の特許請求の範囲またはその均等物により定義される保護範囲に入る修正や変形を包含する。
【符号の説明】
【０３２６】
７００  指示送信モジュール
７０１  第１の制御モジュール
７０２  第２の制御モジュール
７０４  状態判定モジュール
８００  指示送信モジュール
８０１  第１の制御モジュール
８０３  第３の制御モジュール
８０４  状態判定モジュール
９００  指示送信モジュール
９０１  第１の制御モジュール
９０２  第２の制御モジュール
９０３  第３の制御モジュール
９０４  第１のタイマ管理モジュール
９０５  状態判定モジュール
９０８  構成受信モジュール
９０９  第６の制御モジュール
９１０  第７の制御モジュール
９１１  第８の制御モジュール
９１２  第９の制御モジュール
１０００  指示送信モジュール
１００１  第１の制御モジュール
１００２  第２の制御モジュール
１００３  第３の制御モジュール
１００４  構成受信モジュール
１００５  第３のタイマ制御モジュール
１００６  状態判定モジュール
１１００  指示送信モジュール
１１０１  第１の制御モジュール
１１０２  第２の制御モジュール
１１０３  第３の制御モジュール
１１０４  第１のタイマ制御モジュール
１１０５  第２のタイマ制御モジュール
１１０６  第４の制御モジュール
１１０７  第５の制御モジュール
１１０８  状態判定モジュール
１２００  指示送信モジュール
１２０１  第１の制御モジュール
１２０２  第２の制御モジュール
１２０３  第３の制御モジュール
１２０４  構成受信モジュール
１２０５  第３のタイマ制御モジュール
１２０６  第４のタイマ制御モジュール
１２０７  第１０の制御モジュール
１２０８  第１１の制御モジュール
１２０９  第１２の制御モジュール
１２１０  第１３の制御モジュール
１２１１  第１４の制御モジュール
１２１２  状態判定モジュール
１３１  ユーザ機器
１３２  基地局
１４  ユーザ機器
１４１  入力装置
１４２  出力装置
１４４  プロセッサ
【図１】
0006465466.tif 000002
【図２】
0006465466.tif 000003
【図３】
0006465466.tif 000004
【図４】
0006465466.tif 000005
【図５】
0006465466.tif 000006
【図６】
0006465466.tif 000007
【図７】
0006465466.tif 000008
【図８】
0006465466.tif 000009
【図９】
0006465466.tif 000010
【図１０】
0006465466.tif 000011